(57)【要約】【課題】特定表示結果ではない表示結果が可変表示装置に導出表示されることを遊技者に認識され難くして、遊技者が可変表示装置における可変表示に対する興味を失わせないようにする。【解決手段】一方の可変表示装置において表示結果が大当り図柄になることに決定されている可変表示の実行中では、他方の可変表示装置において実行される可変表示の表示結果を強制的にはずれにする。すなわち、Ａ〜Ｄのタイミング（正確には、変動が開始されるとき）のそれぞれにおいて、遊技制御用マイクロコンピュータは、大当りとするか否かの抽選結果を強制的にはずれにする。また、表示結果を強制的にはずれにすることに決定された可変表示は、一方の可変表示装置において表示結果が大当り図柄になったことに応じて開始される大当り遊技の開始時に終了される。【選択図】図２８
2007130254.tif 000002
【特許請求の範囲】
【請求項１】
あらかじめ定められている可変表示の第１の実行条件が成立した後に可変表示の第１の開始条件の成立にもとづいて識別情報の可変表示を開始し、表示結果を導出表示する第１の可変表示部と、あらかじめ定められている可変表示の第２の実行条件が成立した後に可変表示の第２の開始条件の成立にもとづいて識別情報の可変表示を開始し、表示結果を導出表示する第２の可変表示部とを備え、前記第１の可変表示部と前記第２の可変表示部のいずれかに特定表示結果が導出表示されたときに遊技状態を遊技者にとって有利な特定遊技状態に移行させる遊技機であって、
前記第１の開始条件の成立にもとづく前記第１の可変表示部の識別情報の可変表示を開始するときに、前記第１の可変表示部の識別情報の可変表示の表示結果を前記特定表示結果にするか否かを決定する第１事前決定手段と、
前記第２の開始条件の成立にもとづく前記第２の可変表示部の識別情報の可変表示を開始するときに、前記第２の可変表示部の識別情報の可変表示の表示結果を前記特定表示結果にするか否かを決定する第２事前決定手段と、
前記第１の開始条件の成立にもとづいて、前記第１の可変表示部で識別情報の可変表示を開始して当該可変表示を実行する第１可変表示実行手段と、
前記第１可変表示実行手段により前記第１の可変表示部で識別情報の可変表示が開始されてから所定の可変表示時間が経過したときに、前記第１事前決定手段の決定結果にもとづいて前記第１の可変表示部に表示結果を導出表示する第１表示結果導出手段と、
前記第２の開始条件の成立にもとづいて、前記第２の可変表示部で識別情報の可変表示を開始して当該可変表示を実行する第２可変表示実行手段と、
前記第２可変表示実行手段により前記第２の可変表示部で識別情報の可変表示が開始されてから所定の可変表示時間が経過したときに、前記第２事前決定手段の決定結果にもとづいて前記第２の可変表示部に表示結果を導出表示する第２表示結果導出手段と、
前記第２表示結果導出手段により前記特定表示結果が導出表示されたときから、前記第２表示結果導出手段により前記特定表示結果が導出表示されたことにもとづく特定遊技状態が終了するまでの間、前記第１の開始条件を成立させない所定の制御を実行する制御手段とを備え、
前記第１事前決定手段は、前記第２事前決定手段が可変表示の表示結果を前記特定表示結果とすることに決定したことにもとづいて、前記第２事前決定手段が可変表示の表示結果を前記特定表示結果にすると決定した後から前記第２可変表示実行手段によって表示結果が導出表示されるまでの特定期間には、前記第１の可変表示部の識別情報の可変表示の表示結果を前記特定表示結果にしないことに決定する強制非特定結果決定手段を含み、
前記第１可変表示実行手段は、前記強制非特定結果決定手段の決定結果にもとづく識別情報の可変表示を実行中の前記第２事前決定手段の決定結果にもとづいて前記特定表示結果が導出表示されたときから前記特定遊技状態が終了するときまでの間に、前記第１の可変表示部での識別情報の可変表示を無効化する可変表示無効化手段を含む
ことを特徴とする遊技機。
【請求項２】
可変表示無効化手段は、第１の可変表示部での識別情報の可変表示を無効化するときに、特定表示結果ではない表示結果を前記第１の可変表示部に導出表示する
請求項１記載の遊技機。
【請求項３】
可変表示無効化手段は、第１の可変表示部での識別情報の可変表示を無効化するときに、識別情報以外の演出画像を前記第１の可変表示部に表示する
請求項１記載の遊技機。
【請求項４】
遊技の進行を制御する遊技制御処理を実行し、第１の可変表示部および第２の可変表示部を制御させるための所定のコマンドを送信する遊技制御マイクロコンピュータを搭載した遊技制御基板と、
前記遊技制御マイクロコンピュータからの前記所定のコマンドにもとづいて、前記第１の可変表示部および前記第２の可変表示部を制御する演出制御マイクロコンピュータを搭載した演出制御基板とを備え、
前記遊技制御マイクロコンピュータは、前記所定のコマンドとして特定遊技状態が開始されることを示す特定遊技状態開始コマンドを前記演出制御マイクロコンピュータに送信する特定遊技状態開始コマンド送信手段を含み、
可変表示無効化手段は、前記特定遊技状態開始コマンドを受信したことにもとづいて前記第１の可変表示部での識別情報の可変表示を無効化する
請求項１から請求項３のうちのいずれかに記載の遊技機。
【請求項５】
遊技の進行を制御する遊技制御処理を実行し、第１の可変表示部および第２の可変表示部を制御させるための所定のコマンドを送信する遊技制御マイクロコンピュータを搭載した遊技制御基板と、
前記遊技制御マイクロコンピュータからの前記所定のコマンドにもとづいて、前記第１の可変表示部および前記第２の可変表示部を制御する演出制御マイクロコンピュータを搭載した演出制御基板とを備え、
前記遊技制御マイクロコンピュータは、前記所定のコマンドとして特定遊技状態を終了することを示す特定遊技状態終了コマンドを前記演出制御マイクロコンピュータに送信する特定遊技状態終了コマンド送信手段を含み、
可変表示無効化手段は、前記特定遊技状態終了コマンドを受信したことにもとづいて前記第１の可変表示部での識別情報の可変表示を無効化する
請求項１から請求項３のうちのいずれかに記載の遊技機。
【請求項６】
強制非特定結果決定手段の決定結果にもとづく識別情報の可変表示の実行中に、第２の可変表示部に特定表示結果が導出表示されることを報知するための報知演出を実行するか否かを決定する報知演出決定手段を備え、
第１可変表示実行手段は、前記報知演出決定手段により報知演出を実行すると決定されたときに、第１の可変表示部において報知演出を実行する
請求項１から請求項４のうちのいずれかに記載の遊技機。
【請求項７】
第１事前決定手段は、抽選処理により第１の可変表示部の識別情報の可変表示の表示結果を特定表示結果にするか否かを決定する抽選手段を含み、
強制非特定表示結果決定手段は、特定期間において、前記抽選手段による抽選処理の実行を禁止することにより前記第１の可変表示部の識別情報の可変表示の表示結果を前記特定表示結果にしないことに決定する抽選処理禁止手段を含む
請求項１から請求項６のうちのいずれかに記載の遊技機。
【請求項８】
第１の可変表示部における識別情報の可変表示の可変表示態様を決定する第１可変表示態様決定手段と、
第１事前決定手段が前記第１の可変表示部の識別情報の可変表示の表示結果を特定表示結果にしないことに決定したときに使用される可変表示態様を示すデータが設定された第１可変表示態様データ記憶手段と、
強制非特定表示結果決定手段が前記第１の可変表示部の識別情報の可変表示の表示結果を前記特定表示結果にしないことに決定したときに使用される、前記第１可変表示態様データ記憶手段に設定された可変表示態様を示すデータとは異なる可変表示態様を示すデータが設定された第２可変表示態様データ記憶手段とを備え、
前記第１可変表示態様決定手段は、前記強制非特定表示結果決定手段が前記第１の可変表示部の識別情報の可変表示の表示結果を前記特定表示結果にしないことに決定したときには、前記第２可変表示態様データ記憶手段のデータを使用して可変表示態様を決定する
請求項１から請求項７のうちのいずれかに記載の遊技機。
【請求項９】
第２の可変表示部における識別情報の可変表示の可変表示態様を決定する第２可変表示態様決定手段と、
第２事前決定手段が第２の可変表示部の識別情報の可変表示の表示結果を特定表示結果とすると決定したときに使用される特定データ記憶手段を備え、
第２可変表示態様データ記憶手段は、第２の可変表示部における表示結果が特定表示結果になるときに前記第２可変表示態様決定手段が前記特定データ記憶手段のデータを使用して決定する可変表示態様の可変表示時間より長い可変表示時間の特殊可変表示態様を示すデータを含む
請求項８記載の遊技機。
【請求項１０】
第１可変表示態様決定手段は、第２可変表示態様データ記憶手段に設定された可変表示態様を示すデータの中から高い割合で特殊可変表示態様に決定する
請求項９記載の遊技機。
【請求項１１】
第１事前決定手段の決定にもとづいて、第１の可変表示部において導出表示される可変表示の表示結果としての識別情報を決定する識別情報決定手段を備え、
前記識別情報決定手段により決定された識別情報が導出表示される前に、前記識別情報決定手段により決定された識別情報とは異なる仮停止表示結果を仮停止表示する仮停止手段と、
前記仮停止表示結果として仮停止表示される識別情報を選択する仮停止識別情報選択手段とを備え、
第１可変表示実行手段は、前記仮停止識別情報選択手段により選択された識別情報を前記仮停止手段により仮停止表示させる演出表示を実行する演出表示実行手段を含み、
第２可変表示態様データ記憶手段は、前記演出表示を所定回実行する所定回演出表示態様を示すデータを含み、
前記演出表示実行手段は、第１可変表示態様決定手段が所定回演出表示態様に決定したときに前記演出表示を所定回実行する
請求項８から請求項１０のうちのいずれかに記載の遊技機。
【発明の詳細な説明】
【技術分野】
【０００１】
本発明は、あらかじめ定められている可変表示の第１の実行条件の成立にもとづいて識別情報の可変表示を開始し、表示結果を導出表示する第１の可変表示部と、あらかじめ定められている可変表示の第２の実行条件の成立にもとづいて識別情報の可変表示を開始し、表示結果を導出表示する第２の可変表示部とを備え、第１の可変表示部と第２の可変表示部のいずれかに特定表示結果が導出表示されたときに遊技者にとって有利な特定遊技状態に移行させる遊技機に関する。
【背景技術】
【０００２】
遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。さらに、識別情報を可変表示（「変動」ともいう。）可能な可変表示部が複数設けられ、いずれかの可変表示部において識別情報の可変表示の表示結果が特定表示結果となった場合に遊技者にとって有利な特定遊技状態に制御可能になるように構成されたものがある。
【０００３】
特定遊技状態とは、所定の遊技価値が付与された遊技者にとって有利な状態を意味する。具体的には、特定遊技状態は、例えば特別可変入賞装置の状態を打球が入賞しやすい遊技者にとって有利な状態（大当り遊技状態）、遊技者にとって有利な状態になるための権利が発生した状態、景品遊技媒体払出の条件が成立しやすくなる状態などの所定の遊技価値が付与された状態である。
【０００４】
そのような遊技機では、識別情報としての特別図柄を表示する可変表示部における表示結果があらかじめ定められた特定の表示態様の組合せ（特定表示結果）になることを、通常、「大当り」という。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９．５秒）が決められ、入賞数が所定個に達しなくても開放時間が経過すると大入賞口は閉成する。また、大入賞口が閉成した時点で所定の条件（例えば、大入賞口内に設けられているＶゾーンへの入賞）が成立していない場合には、大当り遊技状態は終了するように構成されていることもある。
【０００５】
また、そのような遊技機には、２つの可変表示部を備え、一方の可変表示部において表示結果を特定表示結果とすることが決定されているとき、または一方の特別可変入賞装置が特定遊技状態に制御されているときに他方の可変表示部における識別情報の可変表示を開始するまでの時間を遅らせるものがある（例えば、特許文献１参照。）。
【０００６】
【特許文献１】特開２００１−６２０８１号公報（第８−１１頁、図９）
【発明の開示】
【発明が解決しようとする課題】
【０００７】
特許文献１に記載された遊技機では、一方の可変表示部において実行されている識別情報の可変表示の表示結果が特定表示結果になることに決定されている場合に、他方の可変表示部の可変表示開始を遅延させているので、一方の可変表示部に特定表示結果が導出表示（識別情報が停止表示されること。）されたことに応じて開始された特定遊技状態中に他方の可変表示部に特定表示結果が導出表示されることを防止できる。しかし、他方の可変表示部での可変表示開始が遅延されたことによって、遊技者は現在可変表示中の一方の可変表示部の表示結果が特定表示結果になることを容易に把握できる。さらに、２つの可変表示部において同時に可変表示が実行されている場合には、可変表示の表示結果が特定表示結果にならないことになり、遊技者は、可変表示の表示結果が特定表示結果にならないことを容易に把握できる。従って、遊技者に与えられる興趣が下がるおそれがある。
【０００８】
そこで、本発明は、複数の可変表示部で識別情報の可変表示を行う遊技機において、１つの可変表示部に特定表示結果が導出表示されることを、他の可変表示部における可変表示にもとづいて遊技者に認識され難くして、遊技者が可変表示部における可変表示に対する興味を失わせないようにすることを目的とする。
【課題を解決するための手段】
【０００９】
あらかじめ定められている可変表示の第１の実行条件が成立（例えば、第１始動入賞口１３に遊技球が入賞したこと）した後に可変表示の第１の開始条件の成立（例えば、第１特別図柄および第１飾り図柄の最終停止後であって、保留記憶が０でないこと）にもとづいて識別情報（例えば、第１特別図柄および第１飾り図柄）の可変表示を開始し、表示結果を導出表示する第１の可変表示部（例えば、第１特別図柄表示器８ａおよび第１可変表示装置９ａ）と、あらかじめ定められている可変表示の第２の実行条件が成立（例えば、第２始動入賞口１４に遊技球が入賞したこと）した後に可変表示の第２の開始条件の成立（例えば、第２特別図柄および第２飾り図柄の最終停止後であって、保留記憶が０でないこと）にもとづいて識別情報（例えば、第２特別図柄および第２飾り図柄）の可変表示を開始し、表示結果を導出表示する第２の可変表示部（例えば、第２特別図柄表示器８ｂおよび第２可変表示装置９ｂ）とを備え、第１の可変表示部と第２の可変表示部のいずれかに特定表示結果（例えば、大当り図柄）が導出表示されたときに遊技状態を遊技者にとって有利な特定遊技状態（例えば、大当り遊技状態）に移行させる遊技機であって、第１の開始条件の成立にもとづく第１の可変表示部の識別情報の可変表示を開始するときに、第１の可変表示部の識別情報の可変表示の表示結果を特定表示結果にするか否かを決定する第１事前決定手段（例えば、遊技制御用マイクロコンピュータ５６０においてステップＳ６１，Ｓ６２，Ｓ６３の処理を実行する部分）と、第２の開始条件の成立にもとづく第２の可変表示部の識別情報の可変表示を開始するときに、第２の可変表示部の識別情報の可変表示の表示結果を特定表示結果にするか否かを決定する第２事前決定手段（例えば、遊技制御用マイクロコンピュータ５６０において第２特別図柄プロセス処理でステップＳ６１，Ｓ６２，Ｓ６３の処理と同様の処理を実行する部分）と、第１の開始条件の成立にもとづいて、第１の可変表示部で識別情報の可変表示を開始して当該可変表示を実行する第１可変表示実行手段（例えば、遊技制御用マイクロコンピュータ５６０においてステップＳ１９６〜Ｓ１９７、ステップＳ１２１〜Ｓ１２４の処理を実行する部分、演出制御用マイクロコンピュータ１００においてステップＳ８４４、Ｓ８４５、Ｓ８２１〜Ｓ８２６の処理を実行する部分）と、第１可変表示実行手段により第１の可変表示部で識別情報の可変表示が開始されてから所定の可変表示時間が経過したときに、第１事前決定手段の決定結果にもとづいて第１の可変表示部に表示結果を導出表示する第１表示結果導出手段（例えば、遊技制御用マイクロコンピュータ５６０においてステップＳ１４１の処理を実行する部分、演出制御用マイクロコンピュータ１００においてステップＳ８０４の処理を実行する部分）と、第２の開始条件の成立にもとづいて、第２の可変表示部で識別情報の可変表示を開始して当該可変表示を実行する第２可変表示実行手段（例えば、遊技制御用マイクロコンピュータ５６０において第２特別図柄プロセス処理でステップＳ１９６〜Ｓ１９７、ステップＳ１２１〜Ｓ１２４の処理と同様の処理を実行する部分、演出制御用マイクロコンピュータ１００において第２演出制御プロセス処理でステップＳ８４４、Ｓ８４５、Ｓ８２１〜Ｓ８２６の処理と同様の処理を実行する部分）と、第２可変表示実行手段により第２の可変表示部で識別情報の可変表示が開始されてから所定の可変表示時間が経過したときに、第２事前決定手段の決定結果にもとづいて第２の可変表示部に表示結果を導出表示する第２表示結果導出手段（例えば、遊技制御用マイクロコンピュータ５６０において第２特別図柄プロセス処理でステップＳ１４１の処理と同様の処理を実行する部分、演出制御用マイクロコンピュータ１００において第２演出制御プロセス処理でステップＳ８０４の処理と同様の処理を実行する部分）と、第２表示結果導出手段により特定表示結果が導出表示されたときから、第２表示結果導出手段により特定表示結果が導出表示されたことにもとづく特定遊技状態が終了するまでの間、第１の開始条件を成立させない所定の制御を実行する制御手段（例えば、遊技制御用マイクロコンピュータ５６０においてステップＳ４０の処理を実行する部分）とを備え、第１事前決定手段は、第２事前決定手段が可変表示の表示結果を特定表示結果とすることに決定したことにもとづいて、第２事前決定手段が可変表示の表示結果を特定表示結果にすると決定した後から第２可変表示実行手段によって表示結果が導出表示されるまでの特定期間には、第１の可変表示部の識別情報の可変表示の表示結果を特定表示結果にしないことに決定する強制非特定結果決定手段（例えば、遊技制御用マイクロコンピュータ５６０においてステップＳ６０の処理を実行する部分）を含み、第１可変表示実行手段は、強制非特定結果決定手段の決定結果にもとづく識別情報の可変表示を実行中の第２事前決定手段の決定結果にもとづいて特定表示結果が導出表示されたときから特定遊技状態が終了するときまでの間に、第１の可変表示部での識別情報の可変表示を無効化する可変表示無効化手段（例えば、第１特別図柄プロセスフラグの値を更新したり第１変動時間タイマの値をクリアしたりすることによって強制的に可変表示を終了させること。遊技制御用マイクロコンピュータ５６０においてステップＳ１２８〜Ｓ１３０、Ｓ１５１、Ｓ１２９Ａ、Ｓ１２９Ｂの処理を実行する部分、演出制御用マイクロコンピュータ１００においてステップＳ８２７、Ｓ８２８、Ｓ８２６、Ｓ８０４の処理を実行する部分）を含むことを特徴とする。
【００１０】
可変表示無効化手段は、第１の可変表示部での識別情報の可変表示を無効化するときに、特定表示結果ではない表示結果を第１の可変表示部に導出表示する（例えば、ステップＳ８０４の第１飾り図柄停止処理において停止図柄を導出表示する）ように構成されていてもよい。
【００１１】
可変表示無効化手段は、第１の可変表示部での識別情報の可変表示を無効化するときに、識別情報以外の演出画像（例えば、図３２（Ｂ）に示すキャラクタ画像）を第１の可変表示部に表示する（例えば、ステップＳ８０４の第１飾り図柄停止処理において停止図柄を導出表示せずに、キャラクタ画像を表示する）ように構成されていてもよい。
【００１２】
遊技の進行を制御する遊技制御処理を実行し、第１の可変表示部および第２の可変表示部を制御させるための所定のコマンド（例えば、演出制御コマンド）を送信する遊技制御マイクロコンピュータ（例えば、遊技制御用マイクロコンピュータ５６０）を搭載した遊技制御基板（例えば、主基板３１）と、遊技制御マイクロコンピュータからの所定のコマンドにもとづいて、第１の可変表示部および第２の可変表示部を制御する演出制御マイクロコンピュータ（例えば、演出制御用マイクロコンピュータ１００）を搭載した演出制御基板（例えば、演出制御基板８０）とを備え、遊技制御マイクロコンピュータは、所定のコマンドとして特定遊技状態が開始されることを示す特定遊技状態開始コマンドを演出制御マイクロコンピュータに送信する特定遊技状態開始コマンド送信手段（例えば、遊技制御用マイクロコンピュータ５６０においてステップＳ１４５の処理を実行する部分）を含み、可変表示無効化手段は、特定遊技状態開始コマンドを受信したことにもとづいて第１の可変表示部での識別情報の可変表示を無効化する（例えば、図３９に示すステップＳ８２８、Ｓ８２６、Ｓ８０４）ように構成されていてもよい。
【００１３】
遊技の進行を制御する遊技制御処理を実行し、第１の可変表示部および第２の可変表示部を制御させるための所定のコマンド（例えば、演出制御コマンド）を送信する遊技制御マイクロコンピュータ（例えば、遊技制御用マイクロコンピュータ５６０）を搭載した遊技制御基板（例えば、主基板３１）と、遊技制御マイクロコンピュータからの所定のコマンドにもとづいて、第１の可変表示部および第２の可変表示部を制御する演出制御マイクロコンピュータ（例えば、演出制御用マイクロコンピュータ１００）を搭載した演出制御基板（例えば、演出制御基板８０）とを備え、遊技制御マイクロコンピュータは、所定のコマンドとして特定遊技状態を終了することを示す特定遊技状態終了コマンドを演出制御マイクロコンピュータに送信する特定遊技状態終了コマンド送信手段（例えば、遊技制御用マイクロコンピュータ５６０においてステップＳ１６１の処理を実行する部分）を含み、可変表示無効化手段は、特定遊技状態終了コマンドを受信したことにもとづいて第１の可変表示部での識別情報の可変表示を無効化する（例えば、図４７に示すステップＳ８２８Ａ、Ｓ８２６、Ｓ８０４）ように構成されていてもよい。
【００１４】
強制非特定結果決定手段の決定結果にもとづく識別情報の可変表示の実行中に、第２の可変表示部に特定表示結果が導出表示されることを報知するための報知演出（例えば、予告演出）を実行するか否かを決定する報知演出決定手段（例えば、演出制御用マイクロコンピュータ１００においてステップＳ８１１、Ｓ８１２の処理を実行する部分）を備え、第１可変表示実行手段は、報知演出決定手段により報知演出を実行すると決定されたときに、第１の可変表示部において報知演出を実行する（例えば、ステップＳ８１２で決定された種類の態様に応じたプロセステーブルを用いて表示制御を実行する）ように構成されていてもよい。
【００１５】
第１事前決定手段は、抽選処理により第１の可変表示部の識別情報の可変表示の表示結果を特定表示結果にするか否かを決定する抽選手段（例えば、遊技制御用マイクロコンピュータ５６０においてステップＳ６１，Ｓ６２，Ｓ６３の処理を実行する部分、すなわち、大当り判定用乱数の値にもとづいて大当りとするか否か抽選する処理を実行する部分）を含み、強制非特定表示結果決定手段は、特定期間において、抽選手段による抽選処理の実行を禁止することにより第１の可変表示部の識別情報の可変表示の表示結果を特定表示結果にしないことに決定する抽選処理禁止手段（例えば、遊技制御用マイクロコンピュータ５６０においてステップＳ６０の処理を実行する部分）を含むように構成されていてもよい。
【００１６】
第１の可変表示部における識別情報の可変表示の可変表示態様を決定する第１可変表示態様決定手段（例えば、遊技制御用マイクロコンピュータ５６０において第１変動パターン設定処理でステップＳ１０４，Ｓ１０５，Ｓ１０８，Ｓ１０９，Ｓ１１３，Ｓ１１４の処理を実行する部分）と、第１事前決定手段が第１の可変表示部の識別情報の可変表示の表示結果を特定表示結果にしないことに決定したときに使用される可変表示態様を示すデータが設定された第１可変表示態様データ記憶手段（例えば、図１９（Ｃ）、（Ｄ）に示す変動パターンテーブル）と、強制非特定表示結果決定手段が第１の可変表示部の識別情報の可変表示の表示結果を特定表示結果にしないことに決定したときに使用される、第１可変表示態様データ記憶手段に設定された可変表示態様を示すデータとは異なる可変表示態様を示すデータ（例えば、第１変動パターン＃９，＃４を示すデータ）が設定された第２可変表示態様データ記憶手段（例えば、図１９（Ｅ）、（Ｆ）に示す変動パターンテーブル）とを備え、第１可変表示態様決定手段は、強制非特定表示結果決定手段が第１の可変表示部の識別情報の可変表示の表示結果を特定表示結果にしないことに決定したときには、第２可変表示態様データ記憶手段のデータを使用して可変表示態様を決定する（例えば、遊技制御用マイクロコンピュータ５６０におけるステップＳ１０６，Ｓ１１３，Ｓ１１４の処理）ように構成されていてもよい。
【００１７】
第２の可変表示部における識別情報の可変表示の可変表示態様を決定する第２可変表示態様決定手段（例えば、遊技制御用マイクロコンピュータ５６０において第２変動パターン設定処理でステップＳ１０４，Ｓ１０５，Ｓ１０８，Ｓ１０９，Ｓ１１３，Ｓ１１４の処理と同様の処理を実行する部分）と、第２事前決定手段が第２の可変表示部の識別情報の可変表示の表示結果を特定表示結果とすると決定したときに使用される特定データ記憶手段（例えば、図１９（Ａ）、（Ｂ）に示す変動パターンテーブルに類する第２変動パターンについての変動パターンテーブル）を備え、第２可変表示態様データ記憶手段は、第２の可変表示部における表示結果が特定表示結果になるときに第２可変表示態様決定手段が特定データ記憶手段のデータを使用して決定する可変表示態様の可変表示時間より長い可変表示時間の特殊可変表示態様を示すデータ（例えば、第１変動パターン＃４を示すデータおよび第１変動パターン＃９を示すデータ、図８および図１９参照）を含むように構成されていてもよい。
【００１８】
第１可変表示態様決定手段は、第２可変表示態様データ記憶手段に設定された可変表示態様を示すデータの中から高い割合で特殊可変表示態様に決定する（図８および図１９（Ｅ），（Ｆ）参照）ように構成されていてもよい。
【００１９】
第１事前決定手段の決定にもとづいて、第１の可変表示部において導出表示される可変表示の表示結果としての識別情報を決定する識別情報決定手段（例えば、演出制御用マイクロコンピュータ１００において、ステップＳ８００で表示結果コマンドにもとづいて第１飾り図柄の停止図柄を決定する部分）を備え、識別情報決定手段により決定された識別情報が導出表示される前に、識別情報決定手段により決定された識別情報とは異なる仮停止表示結果（例えば、図２９における停止期間において仮停止表示される飾り図柄）を仮停止表示する仮停止手段（例えば、演出制御用マイクロコンピュータ１００において、ステップＳ８０１で特殊変動を実行すると決定されたことにもとづいて可変表示を実行するステップＳ８０３の処理を実行する部分、特に図２９に示す停止期間において仮停止表示を表示させる部分）と、仮停止表示結果として仮停止表示される識別情報を選択する仮停止識別情報選択手段（例えば、演出制御用マイクロコンピュータ１００において、ステップＳ８０１の処理を実行する部分）とを備え、第１可変表示実行手段は、仮停止識別情報選択手段により選択された識別情報を仮停止手段により仮停止表示させる演出表示を実行する演出表示実行手段（例えば、演出制御用マイクロコンピュータ１００において、ステップＳ８０１で特殊変動を実行すると決定されたことにもとづいて可変表示を実行するステップＳ８０３の処理を実行する部分）を含み、第２可変表示態様データ記憶手段は、演出表示を所定回（例えば５回。図２９参照）実行する所定回演出表示態様を示すデータ（例えば、第１変動パターン＃４，＃９）を含み、演出表示実行手段は、第１可変表示態様決定手段が所定回演出表示態様に決定したときに演出表示を所定回実行する（例えば、ステップＳ８０１で特殊変動を実行すると決定されたことにもとづいてステップＳ８０３の処理を実行する）ように構成されていてもよい。
【発明の効果】
【００２０】
請求項１記載の発明では、第１事前決定手段が、第２事前決定手段が可変表示の表示結果を特定表示結果とすることに決定したことにもとづいて、第２事前決定手段が可変表示の表示結果を特定表示結果にすると決定した後から第２可変表示実行手段によって表示結果が導出表示されるまでの特定期間には、第１の可変表示部の識別情報の可変表示の表示結果を特定表示結果にしないことに決定する強制非特定結果決定手段を含み、第１可変表示実行手段が、強制非特定結果決定手段の決定結果にもとづく識別情報の可変表示を実行中の第２事前決定手段の決定結果にもとづいて特定表示結果が導出表示されたときから特定遊技状態が終了するときまでの間に、第１の可変表示部での識別情報の可変表示を無効化する可変表示無効化手段を含み、第２表示結果導出手段により特定表示結果が導出表示されたときから、第２表示結果導出手段により特定表示結果が導出表示されたことにもとづく特定遊技状態が終了するまでの間、第１の開始条件を成立させない所定の制御を実行するので、第１の可変表示部における可変表示を、第２の可変表示部に特定表示結果が導出表示され遊技状態が特定遊技状態に移行されるときに関連して無効化することができ、第２の可変表示部に特定表示結果が導出表示されることを、第１の可変表示部における可変表示にもとづいて遊技者に認識され難くすることができる。また、特定遊技状態中に第１の可変表示部に特定表示結果が導出表示されることを防止できる上に、表示結果が非特定表示結果になる可変表示が無駄に長く実行されてしまうことを防止できる。
【００２１】
請求項２記載の発明では、可変表示無効化手段が、第１の可変表示部での識別情報の可変表示を無効化するときに、特定表示結果ではない表示結果を第１の可変表示部に導出表示するように構成されているので、第１の可変表示部での識別情報の可変表示を無効化するときに、遊技者に、可変表示を無効化することをわかりづらくすることができる。
【００２２】
請求項３記載の発明では、可変表示無効化手段が、第１の可変表示部での識別情報の可変表示を無効化するときに、識別情報以外の演出画像を第１の可変表示部に表示するように構成されているので、第１の可変表示部での識別情報の可変表示を無効化するときに新たな演出を付加することができ、演出のバリエーションを増やすことができる。
【００２３】
請求項４記載の発明では、可変表示無効化手段が、特定遊技状態開始コマンドを受信したことにもとづいて第１の可変表示部に表示結果を導出表示するように構成されているので、第１の可変表示部における可変表示を無効化するために特別のコマンドを追加する必要はない。
【００２４】
請求項５記載の発明では、可変表示無効化手段が、特定遊技状態終了コマンドを受信したことにもとづいて第１の可変表示部に表示結果を導出表示するように構成されているので、第１の可変表示部における可変表示を無効化するために特別のコマンドを追加する必要はない。
【００２５】
請求項６記載の発明では、強制非特定結果決定手段の決定結果にもとづいて第１の可変表示部で識別情報の可変表示の実行中に、第２の可変表示部に特定表示結果が導出表示されることを報知するための報知演出を実行するか否かを決定し、報知演出を実行すると決定されたときに第１の可変表示部において報知演出を実行するように構成されているので、第２の可変表示部に特定表示結果が導出表示されることを第１の可変表示部における可変表示にもとづいて遊技者に認識され難くする効果を維持しつつ、複数の可変表示部における演出に関連性を持たせて、可変表示の興趣を向上させることができる。
【００２６】
請求項７記載の発明では、強制非特定表示結果決定手段が、特定期間において、抽選手段による抽選処理の実行を禁止することにより第１の可変表示部の識別情報の可変表示の表示結果を特定表示結果にしないことに決定するように構成されているので、第１事前決定手段がソフトウェアによって実現されている場合に、抽選処理のプログラムをスキップするだけで抽選処理禁止手段を実現することができ、プログラム容量を増大させないようにすることができる。
【００２７】
請求項８記載の発明では、第１事前決定手段が第１の可変表示部の識別情報の可変表示の表示結果を特定表示結果にしないことに決定したときに使用される可変表示態様を示すデータが設定された第１可変表示態様データ記憶手段と、強制非特定表示結果決定手段が第１の可変表示部の識別情報の可変表示の表示結果を特定表示結果にしないことに決定したときに使用される、第１可変表示態様データ記憶手段に設定された可変表示態様を示すデータとは異なる可変表示態様を示すデータが設定された第２可変表示態様データ記憶手段とを備え、第１可変表示態様決定手段が、強制非特定表示結果決定手段が第１の可変表示部の識別情報の可変表示の表示結果を特定表示結果にしないことに決定したときには、第２可変表示態様データ記憶手段のデータを使用して可変表示態様を決定するように構成されているので、強制非特定表示結果決定手段が可変表示の表示結果を特定表示結果にしないことに決定したときに、第１事前決定手段が可変表示の表示結果を特定表示結果にしないことに決定したときに対して異なる可変表示態様を選択でき、遊技の興趣を向上させることができる。
【００２８】
請求項９記載の発明では、第２可変表示態様データ記憶手段が、第２の可変表示部における表示結果が特定表示結果になるときに第２可変表示態様決定手段が特定データ記憶手段のデータを使用して決定する可変表示態様の可変表示時間より長い可変表示時間の特殊可変表示態様を示すデータを含むので、強制非特定表示結果決定手段が第１の可変表示部の識別情報の可変表示の表示結果を特定表示結果にしないようにする可変表示の実行回数を減らすことができる。
【００２９】
請求項１０記載の発明では、第１可変表示態様決定手段が、第２可変表示態様データ記憶手段に設定された可変表示態様を示すデータの中から高い割合で特殊可変表示態様に決定するので、強制非特定表示結果決定手段が第１の可変表示部の識別情報の可変表示の表示結果を特定表示結果にしないようにする可変表示の実行回数を減らすことができる。
【００３０】
請求項１１記載の発明では、第１可変表示実行手段が、仮停止識別情報選択手段により選択された識別情報を仮停止手段により仮停止表示させる演出表示を実行する演出表示実行手段を含み、第２可変表示態様データ記憶手段は、演出表示を所定回実行する所定回演出表示態様を示すデータを含み、演出表示実行手段は、第１可変表示態様決定手段が所定回演出表示態様に決定したときに演出表示を所定回実行するように構成されているので、演出のバリエーションを増やすことができる。
【発明を実施するための最良の形態】
【００３１】
実施の形態１．
以下、本発明の実施の形態を、図面を参照して説明する。まず、遊技機の一例であるパチンコ遊技機１の全体の構成について説明する。図１はパチンコ遊技機（弾球遊技機）１を正面からみた正面図である。なお、ここでは、遊技機の一例としてパチンコ遊技機を示すが、本発明による遊技機はパチンコ遊技機に限られず、例えば、画像式の遊技機、コイン遊技機、および、スロット機等であってもよい。
【００３２】
パチンコ遊技機１は、縦長の方形状に形成された外枠（図示せず）と、外枠の内側に開閉可能に取り付けられた遊技枠とで構成される。また、パチンコ遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）とを含む構造体である。
【００３３】
図１に示すように、パチンコ遊技機１は、額縁状に形成されたガラス扉枠２を有する。ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。
【００３４】
遊技領域７の中央付近には、第１の実行条件である第１始動条件の成立（例えば、打球が第１始動入賞口１３に入賞したこと）にもとづいて各々を識別可能な複数種類の演出用の飾り図柄を可変表示し表示結果を導出表示する第１可変表示装置９ａと、第２の実行条件である第２始動条件の成立（例えば、打球が第２始動入賞口１４に入賞したこと）にもとづいて各々を識別可能な複数種類の演出用の飾り図柄を可変表示し表示結果を導出表示する第２可変表示装置９ｂとが設置されている。この実施形態では、第１可変表示装置９ａおよび第２可変表示装置９ｂはそれぞれ液晶表示装置（ＬＣＤ）で構成され、左・中・右の３つの表示領域に識別情報が表示制御されるように構成されている。なお、入賞とは、入賞口などのあらかじめ入賞領域として定められている領域に遊技球が入ったことである。また、表示結果を導出表示するとは、図柄を停止表示させることである（いわゆる再変動の前の停止を除く。）。
【００３５】
第１可変表示装置９ａおよび第２可変表示装置９ｂの上部には、識別情報としての特別図柄を可変表示する第１特別図柄表示器（特別図柄表示装置）８ａおよび第２特別図柄表示器８ｂが設けられている。この実施の形態では、第１特別図柄表示器８ａおよび第２特別図柄表示器８ｂは、それぞれ、例えば０〜９の数字を可変表示可能な簡易で小型の表示器（例えば７セグメントＬＥＤ）で実現されている。第１特別図柄表示器８ａおよび第２特別図柄表示器８ｂは、停止図柄が確変図柄であるのか非確変図柄であるのかを把握しづらくさせるために、０〜９９など、より多種類の数字を可変表示するように構成されていてもよい。以下、第１特別図柄表示器８ａにおいて可変表示される識別情報を第１特別図柄といい、第２特別図柄表示器８ｂにおいて可変表示される識別情報を第２特別図柄ということがある。また、第１特別図柄と第２特別図柄とを、特別図柄と総称することがある。
【００３６】
第１可変表示装置９ａは、第１特別図柄表示器８ａによる特別図柄の可変表示時間中に、装飾用（演出用）の図柄としての飾り図柄の可変表示を行う。また、第２可変表示装置９ｂは、第２特別図柄表示器８ｂによる特別図柄の可変表示時間中に、装飾用の図柄としての飾り図柄の可変表示を行う。飾り図柄の可変表示を行う第１可変表示装置９ａおよび第２可変表示装置９ｂは、演出制御基板に搭載されている演出制御用マイクロコンピュータによって制御される。以下、第１可変表示装置９ａにおいて可変表示される識別情報を第１飾り図柄といい、第２可変表示装置９ｂにおいて可変表示される識別情報を第２飾り図柄ということがある。また、第１飾り図柄と第２飾り図柄とを、飾り図柄と総称することがある。
【００３７】
第１可変表示装置９ａの近傍には、第１始動入賞口１３に入った有効入賞球数すなわち保留記憶（始動記憶または始動入賞記憶ともいう。）数を表示する４つの表示器からなる第１特別図柄保留記憶表示器１８ａが設けられている。第１特別図柄保留記憶表示器１８ａは、有効始動入賞がある毎に、点灯する表示器の数を１増やす。そして、第１特別図柄表示器８ａの可変表示が開始される毎に、点灯する表示器の数を１減らす。また、第２可変表示装置９ｂの近傍には、第２始動入賞口１４に入った有効入賞球数すなわち保留記憶数を表示する４つの表示器からなる第２特別図柄保留記憶表示器１８ｂが設けられている。第２特別図柄保留記憶表示器１８ｂは、有効始動入賞がある毎に、点灯する表示器の数を１増やす。そして、第２特別図柄表示器８ｂの可変表示が開始される毎に、点灯する表示器の数を１減らす。なお、この例では、保留記憶数を表示する表示器（特別図柄保留記憶表示器）が第１可変表示装置９ａおよび第２可変表示装置９ｂとは別個に設けられているが、例えば、第１可変表示装置９ａおよび第２可変表示装置９ｂの表示領域の一部を特別図柄保留記憶表示領域にしてもよい。その場合には、保留記憶数を表示する表示器をなくすことができる。
【００３８】
また、この実施の形態では、第１特別図柄保留記憶表示器１８ａは第１特別図柄表示器８ａの可変表示についての保留記憶数を表示し、第２特別図柄保留記憶表示器１８ｂは第２特別図柄表示器８ｂの可変表示についての保留記憶数を表示するように構成されているが、単一の特別図柄保留記憶表示器または特別図柄保留記憶表示領域が設けられ、第１特別図柄表示器８ａの可変表示および第２特別図柄表示器８ｂの可変表示についての保留記憶数（例えば上限値を８とする）をまとめて表示するようにしてもよい。また、この実施の形態では、保留記憶数の上限値を４とするが、上限値をより大きい値にしてもよい。さらに、上限値を、遊技状態に応じて変更可能であるようにしてもよい。
【００３９】
この実施の形態では、第１始動入賞口１３は、第１可変表示装置９ａの下方に設けられている。第１始動入賞口１３に入賞した遊技球は、遊技盤６の背面に導かれ、第１始動口スイッチ１３ａによって検出される。
【００４０】
また、第２可変表示装置９ｂの下方には、遊技球が入賞可能な第２始動入賞口１４を有する可変入賞球装置１５が設けられている。第２始動入賞口１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞し易くなり（始動入賞し易くなり）、遊技者にとって有利な状態になる。
【００４１】
なお、この実施の形態では、図１に示すように、第２始動入賞口１４の下部にのみ開閉動作を行う可変入賞球装置が設けられているが、第１始動入賞口１３および第２始動入賞口１４のいずれの下部にも開閉動作を行う可変入賞球装置が設けられている構成であってもよい。
【００４２】
第１始動入賞口１３の下方には、第１特別図柄表示器８ａに特定表示結果（大当り図柄）が導出表示された場合に生起する特定遊技状態（大当り遊技状態）においてソレノイド２１ａによって開状態とされる第１特別可変入賞球装置が設けられている。第１特別可変入賞球装置は、第１開閉板２０ａを備え、第１大入賞口を形成する。第１大入賞口に入った遊技球は第１カウントスイッチ２３ａで検出される。
【００４３】
可変入賞球装置１５の下方には、第２特別図柄表示器８ｂに特定表示結果（大当り図柄）が導出表示された場合に生起する特定遊技状態（大当り遊技状態）においてソレノイド２１ｂによって開状態とされる第２特別可変入賞球装置が設けられている。第２特別可変入賞球装置は、第２開閉板２０ｂを備え、第２大入賞口を形成する。第２大入賞口に入った遊技球は第２カウントスイッチ２３ｂで検出される。
【００４４】
第２可変表示装置９ｂの下方には、普通図柄表示器１０が設けられている。普通図柄表示器１０は、普通図柄と呼ばれる複数種類の識別情報（例えば、「○」および「×」）を可変表示する。
【００４５】
遊技球がゲート３２を通過しゲートスイッチ３２ａで検出されると、普通図柄表示器１０の表示の可変表示が開始される。この実施の形態では、左右のランプ（点灯時に図柄が視認可能になる）が交互に点灯することによって可変表示が行われ、例えば、可変表示の終了時に左側のランプが点灯すれば当りとなる。そして、普通図柄表示器１０における停止図柄が所定の図柄（当り図柄）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、普通図柄保留記憶表示器４１は点灯するＬＥＤを１増やす。そして、普通図柄表示器１０の可変表示が開始される毎に、点灯するＬＥＤを１減らす。
【００４６】
なお、この実施の形態では、１つの普通図柄表示器１０と１つの可変入賞球装置１５が設けられているが、２つの可変入賞球装置を設けた場合に、２つの普通図柄表示器を設けてもよい。
【００４７】
遊技盤６の遊技領域７の左右周辺には、遊技中に点滅表示される装飾ランプ２５が設けられ、下部には、入賞しなかった打球が取り込まれるアウト口２６がある。また、遊技領域７の外側の左右上部には、所定の音声出力として効果音や音声を発声する２つのスピーカ２７が設けられている。遊技領域７の外周上部、外周左部および外周右部には、前面枠に設けられた天枠ランプ２８ａ、左枠ランプ２８ｂおよび右枠ランプ２８ｃが設けられている。また、左枠ランプ２８ｂの近傍には賞球残数があるときに点灯する賞球ランプ５１が設けられ、右枠ランプ２８ｃの近傍には補給球が切れたときに点灯する球切れランプ５２が設けられている。
【００４８】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出されると、第１特別図柄の可変表示を開始できる状態であれば（例えば、前回の可変表示が終了して、第１の開始条件が成立したこと）、第１特別図柄表示器８ａにおいて第１特別図柄の可変表示（変動）が開始されるとともに、第１可変表示装置９ａにおいて第１飾り図柄の可変表示が開始される。第１特別図柄の可変表示を開始できる状態でなければ、第１特別図柄保留記憶表示器１８ａに表示される保留記憶数を１増やす。
【００４９】
また、遊技球が第２始動入賞口１４に入り第２始動口スイッチ１４ａで検出されると、第２特別図柄の可変表示を開始できる状態であれば（例えば、前回の可変表示が終了して、第２の開始条件が成立したこと）、第２特別図柄表示器８ｂにおいて第２特別図柄の可変表示（変動）が開始されるとともに、第２可変表示装置９ｂにおいて第２飾り図柄の可変表示が開始される。第２特別図柄の可変表示を開始できる状態でなければ、第２特別図柄保留記憶表示器１８ｂに表示される保留記憶数を１増やす。
【００５０】
第１特別図柄表示器８ａにおける第１特別図柄の可変表示および第１可変表示装置９ａにおける第１飾り図柄の可変表示は、所定時間が経過したときに停止する。停止時の第１特別図柄が大当り図柄（特定表示結果）になると、大当り遊技状態に移行する。すなわち、一定時間（例えば２９秒）が経過するまで、または、所定個数（例えば、１０個）の遊技球が第１大入賞口に入賞するまで第１特別可変入賞球装置（第１大入賞口）が開放される。第１大入賞口が開放されてから一定期間経過するまで、または、所定個数（例えば、１０個）の打球が第１大入賞口に入賞するまでが大当り遊技状態における１ラウンドである。所定個数の遊技球が第１大入賞口に入賞すると、または第１大入賞口が開放されてから一定期間経過すると、継続権が発生し第１特別可変入賞球装置の開放が再度行われる。継続権の発生は、所定回数（例えば、１５ラウンド）許容される。なお、第１大入賞口にＶ入賞領域を設け、第１大入賞口の開放中に打球がＶ入賞領域に入賞したことを条件に、継続権が発生するようにしてもよい。
【００５１】
第１特別図柄表示器８ａにおける第１特別図柄の変動停止時の停止図柄を、確率変動を伴う大当り図柄（特別表示結果：確変図柄）にすることに決定された場合には、次に当りとなる確率が通常状態（通常遊技状態ともいう。）および時短状態（特別図柄および飾り図柄の変動時間が短縮される遊技状態である時間短縮状態、遊技者にとって有利な遊技状態である特別遊技状態の一例）よりも高い確変状態（遊技者にとって有利な特別遊技状態の一例）という遊技者にとってさらに有利な状態になる。なお、第１特別図柄の停止図柄が確変図柄に決定されて確変状態に制御された場合すなわち確変状態に移行した場合には、第１特別図柄表示器８ａにおける第１特別図柄が大当り図柄になる確率が高くなるだけでなく、第２特別図柄表示器８ｂにおける第２特別図柄が大当り図柄になる確率も高くなる。すなわち、第１始動入賞にもとづく大当りの判定だけでなく、第２始動入賞にもとづく大当りの判定においても通常状態よりも高い確率で大当りと判定されることになる。
【００５２】
また、第２特別図柄表示器８ｂにおける第２特別図柄の可変表示および第２可変表示装置９ｂにおける第２飾り図柄の可変表示は、所定時間が経過したときに停止する。停止時の第２特別図柄が大当り図柄（特定表示結果）になると、大当り遊技状態に移行する。すなわち、一定時間経過するまで、または、所定個数（例えば、１０個）の遊技球が第２大入賞口に入賞するまで第２特別可変入賞球装置（第２大入賞口）が開放される。なお、第２大入賞口が開放されてから一定期間経過するまで、または、所定個数（例えば、１０個）の打球が第２大入賞口に入賞するまでが大当り遊技状態における１ラウンドである。所定個数の遊技球が第２大入賞口に入賞すると、または第２大入賞口が開放されてから一定期間経過すると、継続権が発生し第２特別可変入賞球装置の開放が再度行われる。継続権の発生は、所定回数（例えば、１５ラウンド）許容される。なお、第２大入賞口にＶ入賞領域を設け、第２大入賞口の開放中に打球がＶ入賞領域に入賞したことを条件に、継続権が発生するようにしてもよい。
【００５３】
第２特別図柄表示器８ｂにおける第２特別図柄の変動停止時の停止図柄を、確率変動を伴う大当り図柄（特別表示結果：確変図柄、例えば「７」など）にすることに決定された場合には、次に大当りとなる確率が通常状態および時短状態における確率よりも高い特別遊技状態に制御される。すなわち、確変状態という遊技者にとってさらに有利な状態になる。なお、第２特別図柄の停止図柄が確変図柄に決定されて大当り遊技状態終了後に特別遊技状態に制御された場合は、第２特別図柄表示器８ｂにおける第２特別図柄が大当り図柄になる確率が高くなるだけでなく、第１特別図柄表示器８ａにおける第１特別図柄が大当り図柄になる確率も高くなる。すなわち、第２始動入賞にもとづく大当りの判定だけでなく、第１始動入賞にもとづく大当りの判定においても通常状態よりも高い確率で大当りと判定されることになる。
【００５４】
特別遊技状態としての確変状態では、上述したように、第１特別図柄表示器８ａおよび第２特別図柄表示器８ｂにおいて可変表示される第１特別図柄および第２特別図柄の停止図柄が当り図柄（特定表示結果：例えば、０〜９のうちの奇数）になる確率が通常状態より高められる。さらに、普通図柄表示器１０において、停止図柄が当り図柄になる確率が通常状態より高められるとともに、可変入賞球装置１５における開放時間と開放回数とのうちの一方または双方が通常状態よりも高められ、遊技者にとってさらに有利な状態になる。
【００５５】
なお、確変状態において、第１特別図柄表示器８ａおよび第２特別図柄表示器８ｂにおける第１特別図柄および第２特別図柄の可変表示時間（変動時間）が通常状態よりも短縮されるようにしてもよい。その場合には、頻繁に特別図柄の可変表示が実行されるようになり、そのことからも、所定時間当たりの大当り発生の可能性が高まる。また、確変状態において、普通図柄表示器１０における普通図柄の可変表示時間（変動時間）が通常状態よりも短縮されたり、可変入賞球装置１５において、開放時間と開放回数とのうちの一方または双方が通常状態よりも高められるようにしてもよい。その場合には、第２始動入賞口１４への始動入賞が起こりやすくなり、所定期間内での第２特別図柄表示器８ｂにおける第２特別図柄の可変表示回数が増加して第２特別図柄が大当り図柄になる可能性が通常状態よりも高まり、遊技者にとってさらに有利な状態になる。
【００５６】
第１特別図柄の停止図柄が確変図柄となったときの特別遊技状態と第２特別図柄の停止図柄が確変図柄となったときの特別遊技状態とで格差をつけるようにしてもよい。例えば、第１特別図柄の停止図柄が確変図柄となったときの特別遊技状態を確変状態にし、第２特別図柄の停止図柄が確変図柄となったときの特別遊技状態を時短状態（大当りが発生する確率は高くならないが、特別図柄の可変表示時間が短縮される遊技状態）にするようにして、第１特別図柄の停止図柄が確変図柄となったときの方が第２特別図柄の停止図柄が確変図柄となったときよりも遊技者にとって有利な状態になるように構成してもよい。そのように構成することによって、遊技者に与えられる興趣をさらに向上させることができる。
【００５７】
第１特別図柄表示器８ａにおける第１特別図柄の可変表示と、第１可変表示装置９ａにおける第１飾り図柄の可変表示とは同期している。また、第２特別図柄表示器８ｂにおける第２特別図柄の可変表示と、第２可変表示装置９ｂにおける第２飾り図柄の可変表示とは同期している。ここで、同期とは、可変表示の開始時期および終了時期が同じであって、可変表示の期間が同じであることをいう。また、第１特別図柄表示器８ａにおいて大当り図柄が停止表示されるときには、第１可変表示装置９ａにおいて例えば左中右の飾り図柄が揃った状態で飾り図柄が停止表示される。第２特別図柄表示器８ｂにおいて大当り図柄が停止表示されるときには、第２可変表示装置９ｂにおいて例えば左中右の飾り図柄が揃った状態で飾り図柄が停止表示される。以下、第１可変表示装置９ａおよび第２可変表示装置９ｂにおいて左中右の飾り図柄が揃った状態で停止表示されることを、飾り図柄の大当り図柄が表示されるというように表現する。
【００５８】
さらに、第１特別図柄表示器８ａにおいて確変図柄が停止表示されるときには、第１可変表示装置９ａにおいて確変図柄を想起させるような飾り図柄（例えば「７」，「７」，「７」）が停止表示される。第２特別図柄表示器８ｂにおいて確変図柄が停止表示されるときには、第２可変表示装置９ｂにおいて確変図柄を想起させるような特別の飾り図柄（例えば「７」，「７」，「７」）が停止表示される。
【００５９】
次に、リーチ表示態様（リーチ）について説明する。この実施形態におけるリーチ表示態様（リーチ）とは、停止した飾り図柄（第１飾り図柄または第２飾り図柄）が大当り図柄の一部を構成しているときに未だ停止していない飾り図柄については可変表示（変動表示）が行われていること、および全てまたは一部の飾り図柄が大当り図柄の全てまたは一部を構成しながら同期して変動表示している状態である。
【００６０】
例えば、第１可変表示装置９ａまたは第２可変表示装置９ｂにおける左、中、右の表示領域のうち左、右の表示領域には大当り図柄の一部になる飾り図柄（例えば、「７」）が停止表示されている状態で中の表示領域は未だ変動表示が行われている状態、および表示領域の全てまたは一部の図柄が大当り図柄の全てまたは一部を構成しながら同期して変動表示している状態（例えば、第１可変表示装置９ａにおける左、中、右の表示領域の全てに変動表示が行われ、常に同一の図柄が揃っている状態で変動表示が行われている状態）がリーチ表示態様またはリーチになる。
【００６１】
また、リーチの際に、通常と異なる演出がランプや音で行われる。その演出と第１可変表示装置９ａまたは第２可変表示装置９ｂにおけるリーチ表示態様とをリーチ演出という。また、リーチの際に、キャラクタ（人物等を模した演出表示であり、図柄（飾り図柄等）とは異なるもの）を表示させたり、第１可変表示装置９ａまたは第２可変表示装置９ｂの背景（図柄およびキャラクタとは異なる地の色や模様など）の表示態様（例えば、色等）を変化させたりすることがある。
【００６２】
図２は、主基板（遊技制御基板）３１における回路構成の一例を示すブロック図である。なお、図２には、払出制御基板３７および演出制御基板８０等も示されている。主基板３１には、プログラムに従ってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＲＡＭ５５が内蔵されていればよく、ＲＯＭ５４は外付けであっても内蔵されていてもよい。また、Ｉ／Ｏポート部５７は、外付けであってもよい。
【００６３】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００６４】
また、ゲートスイッチ３２ａ、第１始動口スイッチ１３ａ、第１カウントスイッチ２３ａ、第２始動口スイッチ１４ａ、および第２カウントスイッチ２３ｂからの検出信号を遊技制御用マイクロコンピュータ５６０に与える入力ドライバ回路５８も主基板３１に搭載され、可変入賞球装置１５を開閉するソレノイド１６、第１特別可変入賞球装置を開閉するソレノイド２１ａ、第２特別可変入賞球装置を開閉するソレノイド２１ｂを遊技制御用マイクロコンピュータ５６０からの指令に従って駆動する出力回路５９も主基板３１に搭載され、電源投入時に遊技制御用マイクロコンピュータ５６０をリセットするためのシステムリセット回路（図示せず）や、大当り遊技状態の発生を示す大当り情報等の情報出力信号をホールコンピュータ等の外部装置に対して出力する情報出力回路（図示せず）も主基板３１に搭載されている。なお、主基板３１には、試験信号を遊技機外部に出力するための試験信号出力回路（図示せず）も設けられている。
【００６５】
この実施の形態では、演出制御基板８０に搭載されている演出制御手段（演出制御用マイクロコンピュータで構成される。）が、中継基板７７を介して遊技制御用マイクロコンピュータ５６０からの演出制御コマンドを受信し、飾り図柄を可変表示する第１可変表示装置９ａおよび第２可変表示装置９ｂの表示制御を行う。
【００６６】
図３は、中継基板７７、演出制御基板８０、ランプドライバ基板３５および音声出力基板７０の回路構成例を示すブロック図である。なお、図３に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【００６７】
演出制御基板８０は、演出制御用ＣＰＵ１０１およびＲＡＭを含む演出制御用マイクロコンピュータ１００を搭載している。なお、ＲＡＭは外付けであってもよい。演出制御基板８０において、演出制御用ＣＰＵ１０１は、内蔵または外付けのＲＯＭ（図示せず）に格納されたプログラムに従って動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドにもとづいて、ＶＤＰ（ビデオディスプレイプロセッサ）１０９に、ＬＣＤを用いた第１可変表示装置９ａおよび第２可変表示装置９ｂの表示制御を行わせる。
【００６８】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００６９】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、例えばダイオードやトランジスタが使用される。図３には、ダイオードが例示されている。また、単方向性回路は、各信号毎に設けられる。さらに、単方向性回路である出力ポート５７１を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。なお、出力ポート５７１は、図２に示されたＩ／Ｏポート部５７の一部である。また、出力ポート５７１の外側（中継基板７７側）に、さらに、単方向性回路である信号ドライバ回路が設けられていてもよい。主基板３１に、中継基板７７からの信号の入力を阻止する第１の信号方向規制手段（出力ポート５７１に相当）が設けられ、中継基板７７に、演出制御基板８０からの信号の入力を阻止する第２の信号方向規制手段（単方向性回路７４に相当）が設けられているので、主基板３１以外の基板から周辺基板への信号線を利用して周辺基板を経由して主基板３１に不正信号が送り込まれることを防止できる。
【００７０】
さらに、演出制御用ＣＰＵ１０１は、入出力ポート１０５を介してランプドライバ基板３５に対してランプを駆動する信号を出力する。また、演出制御用ＣＰＵ１０１は、入出力ポート１０４を介して音声出力基板７０に対して音番号データを出力する。
【００７１】
ランプドライバ基板３５において、ランプを駆動する信号は、入出力ドライバ３５１を介してランプドライバ３５２に入力される。ランプドライバ３５２は、ランプを駆動する信号を増幅して天枠ランプ２８ａ、左枠ランプ２８ｂ、右枠ランプ２８ｃなどの枠側に設けられている各ランプに供給する。また、枠側に設けられている装飾ランプ２５に供給する。
【００７２】
音声出力基板７０において、音番号データは、入出力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７に出力する。音声データＲＯＭ７０４には、音番号データに応じた制御データが格納されている。音番号データに応じた制御データは、所定期間（例えば飾り図柄の変動期間）における効果音または音声の出力態様を時系列的に示すデータの集まりである。
【００７３】
なお、ランプを駆動する信号および音番号データは、演出制御用ＣＰＵ１０１とランプドライバ基板３５および音声出力基板７０との間で、双方向通信（信号受信側から送信側に応答信号を送信するような通信）によって伝達される。
【００７４】
演出制御用ＣＰＵ１０１は、受信した演出制御コマンドに従ってキャラクタＲＯＭ（図示せず）から必要なデータを読み出す。キャラクタＲＯＭは、第１可変表示装置９ａおよび第２可変表示装置９ｂに表示される画像の中でも使用頻度の高いキャラクタ画像データ、具体的には、人物、文字、図形または記号等（飾り図柄を含む）をあらかじめ格納しておくためのものである。演出制御用ＣＰＵ１０１は、キャラクタＲＯＭから読み出したデータをＶＤＰ１０９に出力する。ＶＤＰ１０９は、演出制御用ＣＰＵ１０１から入力されたデータにもとづいて表示制御を実行する。
【００７５】
この実施の形態では、第１可変表示装置９ａの表示制御および第２可変表示装置９ｂの表示制御を行うＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、ＶＤＰによって生成された画像データを展開するためのバッファメモリである。そして、ＶＤＰ１０９は、ＶＲＡＭ内の画像データを第１可変表示装置９ａおよび第２可変表示装置９ｂに出力する。なお、可変表示装置の数に対応した数のＶＤＰを演出制御基板８０に搭載するようにしてもよい。
【００７６】
なお、この実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、可変表示装置９を制御する回路が搭載された第１の演出制御基板（表示制御基板）と、その他の演出装置（ランプ、ＬＥＤ、スピーカ２７など）を制御する回路が搭載された第２の演出制御基板との２つの基板を設けるようにしてもよい。また、この実施の形態では、遊技制御用マイクロコンピュータ５６０は、演出制御用マイクロコンピュータ１００に対して直接コマンドを送信していたが、他の基板（例えば、図３に示す音声出力基板７０やランプドライバ基板３５など）を経由して演出制御基板８０における演出制御用マイクロコンピュータ１００に送信されるようにしてもよい。その場合、他の基板においてコマンドが単に通過するようにしてもよいし、音声出力基板７０やランプドライバ基板３５にマイクロコンピュータ等の制御手段を搭載し、制御手段がコマンドを受信したことに応じて音声制御やランプ制御に関わる制御を実行し、さらに、受信したコマンドを、そのまま、または例えば簡略化したコマンドに変更して、可変表示装置９を制御する演出制御用マイクロコンピュータ１００に送信するようにしてもよい。また、第１の演出制御基板と第２の演出制御基板との２つの基板を設けた場合に、遊技制御用マイクロコンピュータ５６０からの演出に関するコマンドは第２の演出制御基板に対して送信され、第２の演出制御基板から第１の演出制御基板に対してコマンドがそのまま送信されたり、加工（例えば、コマンドの形態や内容を変えたり、簡略化したり、必要なコマンドのみを選択）した後に送信されるように構成してもよい。
【００７７】
次に遊技機の動作について説明する。図４は、主基板３１における遊技制御用マイクロコンピュータ５６０が実行するメイン処理を示すフローチャートである。遊技機に対して電源が投入され、リセット信号が入力されるリセット端子の入力レベルがハイレベルになると、遊技制御用マイクロコンピュータ５６０（具体的には、ＣＰＵ５６）は、プログラムの内容が正当か否か確認するための処理であるセキュリティチェック処理を実行した後、ステップＳ１以降のメイン処理を開始する。メイン処理において、ＣＰＵ５６は、まず、必要な初期設定を行う。
【００７８】
初期設定処理において、ＣＰＵ５６は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスレジスタの初期化を行う（ステップＳ４）。また、内蔵デバイス（内蔵周辺回路）であるＣＴＣ（カウンタ／タイマ）およびＰＩＯ（パラレル入出力ポート）の初期化（ステップＳ５）を行った後、ＲＡＭをアクセス可能状態に設定する（ステップＳ６）。なお、割込みモード２は、ＣＰＵ５６が内蔵する特定レジスタ（Ｉレジスタ）の値（１バイト）と内蔵デバイスが出力する割込みベクタ（１バイト：最下位ビット０）から合成されるアドレスが、割込み番地を示すモードである。
【００７９】
次いで、ＣＰＵ５６は、入力ポートを介して入力されるクリアスイッチ（例えば、電源基板に搭載されている。）の出力信号の状態を１回だけ確認する（ステップＳ７）。その確認においてオンを検出した場合には、ＣＰＵ５６は、通常の初期化処理を実行する（ステップＳ１０〜ステップＳ１５）。
【００８０】
クリアスイッチがオンの状態でない場合には、遊技機への電力供給が停止したときにバックアップＲＡＭ領域のデータ保護処理（例えばパリティデータの付加等の電力供給停止時処理）が行われたか否か確認する（ステップＳ８）。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。この例では、バックアップフラグ領域に「５５Ｈ」が設定されていればバックアップあり（オン状態）を意味し、「５５Ｈ」以外の値が設定されていればバックアップなし（オフ状態）を意味する。
【００８１】
バックアップありを確認したら、ＣＰＵ５６は、バックアップＲＡＭ領域のデータチェック（この例ではパリティチェック）を行う（ステップＳ９）。ステップＳ９では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００８２】
チェック結果が正常であれば、ＣＰＵ５６は、遊技制御手段の内部状態と演出制御手段等の電気部品制御手段の制御状態を電力供給停止時の状態に戻すための遊技状態復旧処理を行う。具体的には、ＲＯＭ５４に格納されているバックアップ時設定テーブルの先頭アドレスをポインタに設定し（ステップＳ９１）、バックアップ時設定テーブルの内容を順次作業領域（ＲＡＭ５５内の領域）に設定する（ステップＳ９２）。作業領域はバックアップ電源によって電源バックアップされている。バックアップ時設定テーブルには、作業領域のうち初期化してもよい領域についての初期化データが設定されている。ステップＳ９１およびＳ９２の処理によって、作業領域のうち初期化してはならない部分については、保存されていた内容がそのまま残る。初期化してはならない部分とは、例えば、電力供給停止前の遊技状態を示すデータ（特別図柄プロセスフラグなど）、出力ポートの出力状態が保存されている領域（出力ポートバッファ）、未払出賞球数を示すデータが設定されている部分などである。
【００８３】
また、ＣＰＵ５６は、ＲＯＭ５４に格納されているバックアップ時コマンド送信テーブルの先頭アドレスをポインタに設定し（ステップＳ９３）、その内容に従って演出制御基板８０に、電力供給が復旧した旨を示す制御コマンド（電力供給復旧時の初期化コマンドとしての復旧コマンド）が送信されるように制御する（ステップＳ９４）。そして、ステップＳ１５に移行する。
【００８４】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、状態復旧処理を実行するための契機としてもよい。
【００８５】
初期化処理では、ＣＰＵ５６は、まず、ＲＡＭクリア処理を行う（ステップＳ１０）。なお、ＲＡＭ５５の全領域を初期化せず、所定のデータ（例えば大当り判定用乱数を生成するためのカウンタのカウント値のデータ）をそのままにしてもよい。また、ＲＯＭ５４に格納されている初期化時設定テーブルの先頭アドレスをポインタに設定し（ステップＳ１１）、初期化時設定テーブルの内容を順次作業領域に設定する（ステップＳ１２）。
【００８６】
ステップＳ１１およびＳ１２の処理によって、例えば、普通図柄判定用乱数カウンタ、普通図柄判定用バッファ、特別図柄バッファ、総賞球数格納バッファ、特別図柄プロセスフラグ、賞球中フラグ、球切れフラグ、払出停止フラグなど制御状態に応じて選択的に処理を行うためのフラグに初期値が設定される。
【００８７】
また、ＣＰＵ５６は、ＲＯＭ５４に格納されている初期化時コマンド送信テーブルの先頭アドレスをポインタに設定し（ステップＳ１３）、その内容に従ってサブ基板を初期化するための初期化コマンドをサブ基板に送信する処理を実行する（ステップＳ１４）。初期化コマンドとして、可変表示装置９に表示される初期図柄を示すコマンド等がある。
【００８８】
そして、ステップＳ１５において、ＣＰＵ５６は、所定時間（例えば４ｍｓ）毎に定期的にタイマ割込がかかるように遊技制御用マイクロコンピュータ５６０に内蔵されているＣＴＣのレジスタの設定を行なう。すなわち、初期値として例えば４ｍｓに相当する値が所定のレジスタ（時間定数レジスタ）に設定される。この実施の形態では、４ｍｓ毎に定期的にタイマ割込がかかるとする。
【００８９】
初期化処理の実行（ステップＳ１０〜Ｓ１５）が完了すると、ＣＰＵ５６は、メイン処理で、表示用乱数更新処理（ステップＳ１７）および初期値用乱数更新処理（ステップＳ１８）を繰り返し実行する。表示用乱数更新処理および初期値用乱数更新処理を実行するときには割込禁止状態に設定し（ステップＳ１６）、表示用乱数更新処理および初期値用乱数更新処理の実行が終了すると割込許可状態に設定する（ステップＳ１９）。この実施の形態では、表示用乱数とは、変動パターンを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。初期値用乱数とは、大当りとするか否か決定するための乱数を発生するためのカウンタ（大当り判定用乱数発生カウンタ）等の、カウント値の初期値を決定するための乱数である。後述する遊技の進行を制御する遊技制御処理（遊技制御用マイクロコンピュータ５６０が、遊技機に設けられている可変表示装置、可変入賞球装置、球払出装置等の遊技用の装置を、自身で制御する処理、または他のマイクロコンピュータに制御させるために指令信号を送信する処理、遊技装置制御処理ともいう）において、大当り決定用乱数発生カウンタ等のカウント値が１周（大当り決定用乱数発生カウンタ等の取りうる値の最小値から最大値までの間の数値の個数分歩進したこと）すると、そのカウンタに初期値が設定される。
【００９０】
タイマ割込が発生すると、ＣＰＵ５６は、図５に示すステップＳ２０〜Ｓ３３の遊技制御処理を実行する。遊技制御処理において、まず、電源断信号が出力されたか否か（オン状態になったか否か）を検出する電源断検出処理を実行する（ステップＳ２０）。電源断信号は、例えば電源基板に搭載されている電圧低下監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第１カウントスイッチ２３ａ、第２始動口スイッチ１４ａ、および第２カウントスイッチ２３ｂの検出信号を入力し、それらの状態判定を行う（スイッチ処理：ステップＳ２１）。
【００９１】
次に、ＣＰＵ５６は、第１特別図柄表示器８ａ、第２特別図柄表示器８ｂ、普通図柄表示器１０、第１特別図柄保留記憶表示器１８ａ、第１特別図柄保留記憶表示器１８ｂおよび普通図柄始動記憶表示器４１の表示制御を行う表示制御処理を実行する（ステップＳ２２）。第１特別図柄表示器８ａ、第２特別図柄表示器８ｂおよび普通図柄表示器１０については、ステップＳ３２，Ｓ３３で設定された出力バッファの内容に応じて各表示器に対して駆動信号を出力する制御を実行する。
【００９２】
次に、遊技制御に用いられる大当り判定用の乱数等の各判定用乱数を生成するための各カウンタのカウント値を更新する処理を行う（判定用乱数更新処理：ステップＳ２３）。ＣＰＵ５６は、さらに、初期値用乱数および表示用乱数を生成するためのカウンタのカウント値を更新する処理を行う（初期値用乱数更新処理，表示用乱数更新処理：ステップＳ２４，Ｓ２５）。
【００９３】
図６は、各乱数を示す説明図である。各乱数を示す説明図である。各乱数は、以下のように使用される。
（１）ランダム１：大当りを発生させるか否か決定する（大当り判定用）
（２）ランダム２：大当りを発生させる特別図柄を決定する（大当り図柄決定用）
（３）ランダム３： 特別図柄のはずれ図柄を決定する（はずれ図柄決定用）
（４）ランダム４：特別図柄の変動パターンを決定する（変動パターン決定用）（５）ランダム５：普通図柄にもとづく当りを発生させるか否か決定する（普通図柄当り判定用）
（６）ランダム６：ランダム１の初期値を決定する（ランダム１初期値決定用）
（７）ランダム７：ランダム５の初期値を決定する（ランダム５初期値決定用）
（８）ランダム８：確変状態を終了させるか否か判定する（確変状態終了判定用）
（９）ランダム９：確変回数を決定する（回数決定用）
【００９４】
図５に示された遊技制御処理におけるステップＳ２３では、遊技制御用マイクロコンピュータ５６０は、（１）の大当り判定用乱数、（２）の大当り図柄決定用乱数、（３）のはずれ図柄決定用乱数、（５）の普通図柄当り判定用乱数、（８）の確変状態終了判定用乱数、および（９）の回数決定用乱数を生成するためのカウンタのカウントアップ（１加算）を行う。すなわち、それらが判定用乱数であり、それら以外の乱数が表示用乱数または初期値用乱数である。なお、遊技効果を高めるために、上記（１）〜（９）の乱数以外の乱数も用いられている。
【００９５】
また、この実施の形態では、ステップＳ２６Ａの第１特別図柄プロセス処理でもステップＳ２６Ｂの第２特別図柄プロセス処理でも、同じ乱数（特に、ランダム１〜３）が用いられるが、第１特別図柄プロセス処理と第２特別図柄プロセス処理とで、異なる乱数（特に、ランダム１〜３について）を用いるようにしてもよい。異なる乱数を用いる場合には、例えば、第１特別図柄プロセス処理で用いられるランダム１〜３の他に、第２特別図柄プロセス処理で用いられるランダム１〜３があり、ステップＳ２３の判定用乱数更新処理では、ＣＰＵ５６は、それぞれについてのカウンタを更新する。
【００９６】
さらに、ＣＰＵ５６は、第１特別図柄プロセス処理を行う（ステップＳ２６Ａ）。第１特別図柄プロセス処理では、遊技状態に応じて第１特別図柄表示器８ａや第１特別可変入賞球装置を所定の順序で制御するための第１特別図柄プロセスフラグに従って該当する処理を実行する。ＣＰＵ５６は、第１特別図柄プロセスフラグの値を、遊技状態に応じて各処理中に更新する。次いで、ＣＰＵ５６は、第２特別図柄プロセス処理を行う（ステップＳ２６Ｂ）。第２特別図柄プロセス処理では、遊技状態に応じて第２特別図柄表示器８ｂや第２特別可変入賞球装置を所定の順序で制御するための第２特別図柄プロセスフラグに従って該当する処理を実行する。ＣＰＵ５６は、第２特別図柄プロセスフラグの値を、遊技状態に応じて各処理中に更新する。
【００９７】
また、普通図柄プロセス処理を行う（ステップＳ２７）。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて各処理中に更新する。
【００９８】
次いで、ＣＰＵ５６は、第１可変表示装置９ａおよび第２可変表示装置９ｂの表示制御に関する演出制御コマンドを送出する処理を行う（飾り図柄コマンド制御処理：ステップＳ２８）。
【００９９】
さらに、ＣＰＵ５６は、例えばホール管理用コンピュータに供給される大当り情報、始動情報、確率変動情報などのデータを出力する情報出力処理を行う（ステップＳ２９）。
【０１００】
また、ＣＰＵ５６は、第１始動口スイッチ１３ａ、第１カウントスイッチ２３ａ、第２始動口スイッチ１４ａおよび第２カウントスイッチ２３ｂの検出信号にもとづく賞球個数の設定などを行う賞球処理を実行する（ステップＳ３０）。具体的には、第１始動口スイッチ１３ａ、第１カウントスイッチ２３ａ、第２始動口スイッチ１４ａおよび第２カウントスイッチ２３ｂのいずれかがオンしたことにもとづく入賞検出に応じて、払出制御基板３７に搭載されている払出制御用マイクロコンピュータに賞球個数を示す払出制御コマンドを出力する。払出制御用マイクロコンピュータは、賞球個数を示す払出制御コマンドに応じて球払出装置９７を駆動する。
【０１０１】
この実施の形態では、出力ポートの出力状態に対応したＲＡＭ領域（出力ポートバッファ）が設けられているのであるが、ＣＰＵ５６は、出力ポートのＲＡＭ領域におけるソレノイドのオン／オフに関する内容を出力ポートに出力する（ステップＳ３１：出力処理）。
【０１０２】
また、ＣＰＵ５６は、第１特別図柄プロセスフラグの値に応じて第１特別図柄の演出表示を行うための第１特別図柄表示制御データを第１特別図柄表示制御データ設定用の出力バッファに設定するとともに、第２特別図柄プロセスフラグの値に応じて第２特別図柄の演出表示を行うための第２特別図柄表示制御データを第２特別図柄表示制御データ設定用の出力バッファに設定する特別図柄表示制御処理を行う（ステップＳ３２）。ＣＰＵ５６は、例えば、後述するステップＳ１９６の処理で開始フラグがセットされると、後述するステップＳ１５１で終了フラグがセットされるまで、変動速度が１コマ／０．２秒であれば、０．２秒が経過する毎に、出力バッファに設定される表示制御データの値を＋１する。また、ＣＰＵ５６は、出力バッファに設定された表示制御データに応じて、ステップＳ２２において駆動信号を出力することによって、第１特別図柄表示器８ａおよび第２特別図柄表示器８ｂにおける特別図柄の可変表示を実行する。
【０１０３】
さらに、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う（ステップＳ３３）。ＣＰＵ５６は、例えば普通図柄の変動速度が０．２秒ごとに表示状態（「○」および「×」）を切り替えるような速度であれば、０．２秒が経過する毎に、出力バッファに設定される表示制御データの値（例えば、「○」を示す１と「×」を示す０）を切り替える。また、ＣＰＵ５６は、出力バッファに設定された表示制御データに応じて、ステップＳ２２において駆動信号を出力することによって、普通図柄表示器１０における普通図柄の演出表示を実行する。
【０１０４】
また、遊技機の制御状態を遊技機外部で確認できるようにするための試験信号を作成して出力する処理である第１試験端子処理および第２試験端子処理を実行する（ステップＳ３４，Ｓ３５）。なお、遊技制御用マイクロコンピュータ５６０から出力される試験信号は、遊技制御処理において様々に変化する遊技制御の状態、例えば大当り状態や確変状態、時短状態、エラー状態等を示す信号である。これらの信号は、遊技制御処理においてオン／オフされるフラグ（大当りフラグ、確変フラグ、時短フラグ等）の状態に応じて作成される。その後、割込許可状態に設定し（ステップＳ３６）、処理を終了する。
【０１０５】
以上の制御によって、この実施の形態では、遊技制御処理は４ｍｓ毎に起動されることになる。なお、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【０１０６】
なお、この実施の形態では、第１特別図柄表示器８ａと第２特別図柄表示器８ｂの２つの表示器によって第１特別図柄および第２特別図柄の変動表示が実行されるが、ＣＰＵ５６は、２つの表示器において同時に大当りが発生しないような制御を行う。
【０１０７】
図７は、大当り判定用乱数と大当り判定値との関係の一例を示す説明図である。ＣＰＵ５６は、所定の時期に、大当り判定用乱数を発生するためのカウンタのカウント値を抽出して抽出値を大当り判定用乱数値とするのであるが、大当り判定用乱数値が図７に示す大当り判定値に一致すると、大当りとすることに決定する。なお、ＣＰＵ５６は、通常状態では、大当り判定用乱数値と図７における左欄に記載されている数値とを比較し、確変状態では、大当り判定用乱数値と図７における右欄に記載されている数値とを比較する。図７における左欄に記載されている数値は、通常時大当り判定値としてＲＯＭ５４に設定され、図７における右欄に記載されている数値は確変時大当り判定値としてＲＯＭ５４に設定されている。
【０１０８】
図８は、この実施の形態で用いられる特別図柄および飾り図柄の変動パターン（変動時間）を示す説明図である。図８に示すＥＸＴとは、それぞれの変動パターンに対応した演出制御コマンド（２バイト構成）の２バイト目のデータである。
【０１０９】
図８に示す例では、第１変動パターン＃１〜＃１０の１０種類と、第２変動パターン＃１〜＃１０の１０種類とが用いられる。なお、第１変動パターン＃１〜＃１０のそれぞれは、第２変動パターン＃１〜＃１０のそれぞれと同じであるが、演出制御コマンドとして別になっているので、図８において別個に示されている。以下、例えば変動パターン＃ｎ（ｎ＝１〜１０）というときには、第１変動パターン＃ｎと第２変動パターン＃ｎの双方を意味する。
【０１１０】
図８に示すように、通常状態において変動パターン＃１〜＃５が用いられ、確変状態において変動パターン＃６〜＃１０が用いられる。また、通常状態のときである通常時に比べて、確変状態では、はずれ変動（停止図柄が大当り図柄にならず、かつ、リーチにもならない変動）時の変動時間は短い。この実施の形態では、通常時と確変時とで、はずれ変動以外の変動で用いられる変動時間は同じである。すなわち、変動パターン＃１〜＃４のそれぞれの変動時間は、変動パターン＃６〜＃９のそれぞれの変動時間と同じである。しかし、変動時間が同じでも、飾り図柄の変動中の表示態様（例えば、キャラクタの種類や表示タイミング、図柄およびキャラクタ以外の可変表示装置における背景の表示の仕方）は異なっている。例えば、変動パターン＃１と変動パターン＃６とでは飾り図柄の表示態様は異なる。また、特別図柄についても、通常時と確変時とで表示態様（特別図柄の変動速度など）を異ならせるようにしてもよい。さらに、変動パターン＃１〜＃４の変動時間を、変動パターン＃６〜＃９の変動時間と異ならせてもよい。
【０１１１】
つまり、変動パターン＃１と変動パターン＃６とで変動時間を異ならせ、変動パターン＃２と変動パターン＃７とで変動時間を異ならせ、変動パターン＃３と変動パターン＃８とで変動時間を異ならせ、変動パターン＃４と変動パターン＃９とで変動時間を異ならせるようにしてもよい。例えば、変動パターン＃１の変動時間を変動パターン＃６の変動時間よりも短くし、変動パターン＃２の変動時間を変動パターン＃７の変動時間よりも短くし、変動パターン＃３の変動時間を変動パターン＃８の変動時間よりも短く、変動パターン＃４の変動時間を変動パターン＃９の変動時間よりも短くしてもよい。
【０１１２】
なお、変動パターン＃４および変動パターン＃９は、後述する強制はずれと判定されたときに使用される。
【０１１３】
また、変動パターン＃４および変動パターン＃９の変動時間（この例では４０秒）は、大当りとするときに使用されうる変動パターン＃１〜＃３および＃７〜＃９の変動時間よりも長い。
【０１１４】
また、図８には示されていないが、時短状態では、例えば、図８に示された変動パターン＃１〜＃４，＃６〜＃９の変動時間が短縮（例えば半分に）される。具体的には、変動パターン＃１〜＃４，＃６〜＃９のそれぞれに対応した変動パターンであって、時短状態において使用される変動パターンもあるが、図８では記載省略されている。
【０１１５】
また、この実施の形態では、演出制御用マイクロコンピュータ１００は、後述する大当り指定コマンド（確変大当り指定コマンド、通常大当り指定コマンド）およびはずれ指定コマンドにもとづいて飾り図柄の停止図柄を大当り図柄にすべきか否か判定するが、停止図柄を大当り図柄にするときに使用される変動パターンを指令する情報（変動パターンコマンド）を別にして、演出制御用マイクロコンピュータ１００は、受信した変動パターンコマンドにもとづいて飾り図柄の停止図柄を大当り図柄にすべきか否か判定するようにしてもよい。変動パターンコマンドを別にする場合、例えば、後述するＭＯＤＥバイトを別にする。
【０１１６】
図９は、特別図柄の停止図柄と、その後に制御される遊技状態との関係の一例を示す説明図である。図９に示す例では、停止図柄が偶数の図柄である場合には、はずれとなり、奇数の図柄である場合には、大当りとなり、特別図柄の変動終了後に大当り遊技状態に移行する。さらに、奇数の図柄のうち「１」、「３」、「５」、「７」である場合には、遊技状態が通常状態から確変状態に変化する。特別図柄の変動終了後に大当り遊技状態に移行するような図柄を大当り図柄という。また、遊技状態が通常状態から確変状態に変化するような図柄を確変図柄という。また、確変図柄ではない大当り図柄を非確変図柄または非確変大当り図柄という。この実施の形態では、第１特別図柄の大当り図柄を決定することによって大当り遊技状態終了後に確変状態（特別遊技状態）と通常状態とのいずれの遊技状態に制御するかが決定される。
【０１１７】
なお、確変図柄と非確変図柄とを区別せず、単に、大当り図柄とはずれ図柄とに分けてもよい。その場合には、遊技制御用マイクロコンピュータ５６０は、抽選によって決定した図柄に応じて確変状態に移行させるか否か決定するのではなく、乱数等を用いて確変状態に移行させるか否かの抽選を行う。また、演出制御用マイクロコンピュータ１００は、確変大当りが発生した場合に、大当り遊技が開始された後（例えば、大当り遊技中や大当り遊技の終了時）に、遊技機に設けられている電気部品によって確変大当りの報知を行う。そのように構成した場合には、遊技者は停止図柄から遊技状態の変化を把握することができなくなり報知によって初めて遊技状態の変更を把握することができるので遊技の興趣が向上する。なお、第１可変表示装置９ａおよび第２可変表示装置９ｂにおいて可変表示および停止表示される飾り図柄は、数字、アルファベット、キャラクタ状の図柄、キャラクタ状の表示物の中に数字等が表示されている図柄、その他どのような図柄であってもよい。
【０１１８】
図１０は、主基板３１に搭載される遊技制御用マイクロコンピュータ５６０（具体的には、ＣＰＵ５６）が実行する第１特別図柄プロセス処理（ステップＳ２６Ａ）のプログラムの一例を示すフローチャートである。上述したように、第１特別図柄プロセス処理では第１特別図柄表示器８ａおよび第１特別可変入賞球装置を制御するための処理が実行される。なお、第２特別図柄プロセス処理（ステップＳ２６Ｂ）のプログラムも同様に構成される。すなわち、以下の説明において、「第１」を「第２」と読み替え、「第２」を「第１」と読み替えれば、第２特別図柄プロセス処理が説明されることになる。
【０１１９】
なお、この実施の形態では、遊技状態として通常状態、確変状態および時短状態がある。そして、所定の移行条件が成立することにより、３つの遊技状態のうちのいずれかの遊技状態に移行するように制御される。遊技状態の移行に関する制御は、確変フラグおよび時短フラグのオン／オフ（セット／リセット）にもとづいて行われる。
【０１２０】
ＣＰＵ５６は、第１特別図柄プロセス処理を行う際に、遊技盤６に設けられている第１始動入賞口１３に遊技球が入賞したことを検出するための第１始動口スイッチ１３ａがオンしていたら、すなわち遊技球が第１始動入賞口１３に入賞する始動入賞が発生していたら（ステップＳ３１１）、保留記憶数が上限値に達していないことを条件に（ステップＳ３１２）、保留記憶数を示す第１保留記憶カウンタの値を１増やす（ステップＳ３１３）。そして、内部状態（具体的には、第１特別図柄プロセスフラグの値）に応じて、ステップＳ３００〜Ｓ３０９のうちのいずれかの処理を行う。
【０１２１】
なお、第１保留記憶カウンタの値を１増やす際に、ＣＰＵ５６は、大当り判定用乱数等を生成するためのカウンタの値等を抽出し、それらを、抽出した乱数値として第１保留記憶カウンタの値に対応する保留記憶バッファにおける保存領域に格納する処理を実行する。保留記憶バッファにおいて、保存領域は、保留記憶数の上限値と同数確保されている。また、大当り判定用乱数等を生成するためのカウンタや保留記憶バッファは、ＲＡＭ５５に形成されている。「ＲＡＭに形成されている」とは、ＲＡＭ内の領域であることを意味する。
【０１２２】
第１特別図柄通常処理（ステップＳ３００）：第１特別図柄プロセスフラグの値が０であるときに実行される。遊技制御用マイクロコンピュータ５６０は、第１特別図柄の可変表示が開始できる状態になると、第１保留記憶バッファに記憶される数値データの記憶数（保留記憶数）を確認する。第１保留記憶バッファに記憶される数値データの記憶数は第１保留記憶カウンタのカウント値により確認できる。また、第１保留記憶カウンタのカウント値が０でなければ、遊技状態が確変状態であるか否か確認し、確変状態であるときは確変状態の終了の判定を行う。そして、第１保留記憶カウンタのカウント値が０でなければ、内部状態（第１特別図柄プロセスフラグ）をステップＳ３０１に応じた値（この例では１）に更新する。
【０１２３】
第１特別図柄停止図柄設定処理（ステップＳ３０１）：第１特別図柄プロセスフラグの値が１であるときに実行される。第１特別図柄の可変表示の結果、大当りとするか否か（特定表示結果とするか否か）を決定する。大当りとする場合には第１大当りフラグをセットする。また、可変表示後の第１特別図柄の停止図柄を決定する。そして、内部状態（第１特別図柄プロセスフラグ）をステップＳ３０２に応じた値（この例では２）に更新する。なお、第１大当りフラグは、大当り遊技が終了するときにリセットされる。
【０１２４】
第１変動パターン設定処理（ステップＳ３０２）：第１特別図柄プロセスフラグの値が２であるときに実行される。第１特別図柄の可変表示の変動パターン（ここでは変動時間に相当）を、始動入賞発生時に抽出した変動パターン決定用乱数（表示用乱数の一つ）の値に応じてあらかじめ定められた複数種類の変動パターンの中から選択する。また、演出制御基板８０に対して、変動パターンを指令する情報（変動パターンコマンドすなわち可変表示パターンコマンド）を送信する。そして、内部状態（第１特別図柄プロセスフラグ）をステップＳ３０３に応じた値（この例では３）に更新する。
【０１２５】
第１遊技状態移行制御処理（ステップＳ３０３）：第１特別図柄プロセスフラグの値が３であるときに実行される。遊技状態が確変状態に移行された後であって、遊技状態が確変状態または時短状態に制御されているときに、確変状態に移行されてから第１特別図柄および第２特別図柄の可変表示の開始回数（状態回数）が所定回数になったか否か確認する。そして、状態回数が所定回数になったことを確認すると、そのときの遊技状態が確変状態から時短状態に移行されているか否か確認し、時短状態に移行されているときは遊技状態を時短状態から通常遊技状態に移行させる移行制御を実行する。また、遊技状態が確変状態に移行された後に、確変状態に移行されてから確変状態における第１特別図柄および第２特別図柄の可変表示の開始回数（確変回数）が所定回数になったか否か確認する。そして、確変回数が所定回数になったことを確認すると、既に状態回数が所定回数になっているか否か確認し、状態回数が所定回数になっているときは遊技状態を確変状態から通常遊技状態に移行させる移行制御を実行し、状態回数が所定回数になっていないときは遊技状態を確変状態から時短状態に移行させる移行制御を実行する。また、確変状態に制御されているときに非確変図柄での大当り（非確変大当りまたは通常大当りという）にすると決定されたことにもとづいて遊技状態が時短状態に移行された後に、時短状態に移行されてから第１特別図柄および第２特別図柄の可変表示の開始回数（時短回数）が所定回数になったか否か確認し、所定回数になったことを確認すると、遊技状態を時短状態から通常遊技状態に移行させる移行制御を実行する。また、第１特別図柄の変動を開始させるとともに、第１変動パターン設定処理で決定された変動パターンにもとづいて、第１特別図柄が可変表示され導出表示されるまでの可変表示時間（変動時間）を第１変動時間タイマにセットした後、第１変動時間タイマをスタートさせる。その後、内部状態（第１特別図柄プロセスフラグ）をステップＳ３０４に応じた値（この例では４）に更新する。
【０１２６】
第１特別図柄変動中処理（ステップＳ３０４）：第１特別図柄プロセスフラグの値が４であるときに実行される。第１変動パターン設定処理で選択された変動パターンの変動時間が経過（ステップＳ３０３でセットされた第１特別図柄プロセスタイマがタイムアウト）すると、内部状態（第１特別図柄プロセスフラグ）をステップＳ３０５またはステップＳ３０６に応じた値に更新する。なお、特別図柄の表示結果を大当り図柄とすることに決定している場合にステップＳ３０６に応じた値に更新し、特別図柄の表示結果を大当り図柄としないことに決定している場合にステップＳ３０５に応じた値（この例では５）に更新する。
【０１２７】
第１はずれ図柄停止処理（ステップＳ３０５）：第１特別図柄プロセスフラグの値が５であるときに実行される。第１特別図柄表示器８ａにおける可変表示を停止して停止図柄を表示させる。また、演出制御用マイクロコンピュータ１００に、飾り図柄停止を示す演出制御コマンド（飾り図柄停止コマンド）を送信する制御を行う。そして、内部状態（第１特別図柄プロセスフラグ）をステップＳ３００に応じた値（この例では０）に更新する。
【０１２８】
第１大当り図柄停止処理（ステップＳ３０６）：第１特別図柄プロセスフラグの値が６であるときに実行される。第１特別図柄表示器８ａにおける可変表示を停止して停止図柄を表示させる。また、演出制御用マイクロコンピュータ１００に、飾り図柄停止を示す演出制御コマンド（飾り図柄停止コマンド）を送信する制御を行う。そして、内部状態（第１特別図柄プロセスフラグ）をステップＳ３０７に応じた値（この例では７）に更新する。なお、演出制御基板８０における演出制御用マイクロコンピュータ１００は、遊技制御用マイクロコンピュータ５６０が送信する飾り図柄停止を示す演出制御コマンド（飾り図柄停止コマンド）を受信すると第１可変表示装置９ａにおいて第１飾り図柄が停止されるように制御するが、変動時間が経過すると独自に第１飾り図柄の可変表示を停止させるように制御してもよい。
【０１２９】
第１大入賞口開放前処理（ステップＳ３０７）：第１特別図柄プロセスフラグの値が７であるときに実行される。第１大入賞口を開放する制御を開始する。具体的には、カウンタ（例えば第１大入賞口に入った遊技球数をカウントするカウンタ）などを初期化するとともに、ソレノイド２１ａを駆動して第１特別可変入賞球装置を開状態にして第１大入賞口を開放する。また、プロセスタイマによって第１大入賞口開放中処理の実行時間を設定し、内部状態（第１特別図柄プロセスフラグ）をステップＳ３０８に応じた値（この例では８）に更新する。
【０１３０】
第１大入賞口開放中処理（ステップＳ３０８）：第１特別図柄プロセスフラグの値が８であるときに実行される。大当り遊技状態中のラウンド表示の演出制御コマンドを演出制御基板８０に送出する制御や第１大入賞口の閉成条件の成立を確認する処理等を行う。第１大入賞口の閉成条件が成立し、かつ、まだ残りラウンドがある場合には、内部状態（第１特別図柄プロセスフラグ）をステップＳ３０７に移行するように更新する。また、全てのラウンドを終えた場合には、内部状態（第１特別図柄プロセスフラグ）をステップＳ３０９に応じた値（この例では９）に更新する。
【０１３１】
第１大当り終了処理（ステップＳ３０９）：第１特別図柄プロセスフラグの値が９であるときに実行される。大当り遊技状態が終了したことを遊技者に報知する表示制御を演出制御用マイクロコンピュータ１００に行わせるための制御を行う。そして、内部状態（第１特別図柄プロセスフラグ）をステップＳ３００に応じた値（この例では０）に更新する。
【０１３２】
次に、遊技制御手段から演出制御手段に対する制御コマンドの送出方式について説明する。図１１は、主基板３１から演出制御基板８０に送信される演出制御コマンドの信号線を示す説明図である。図１１に示すように、この実施の形態では、演出制御コマンドは、演出制御信号Ｄ０〜Ｄ７の８本の信号線で主基板３１から演出制御基板８０に送信される。また、主基板３１と演出制御基板８０との間には、取込信号（演出制御ＩＮＴ信号）を送信するための演出制御ＩＮＴ信号の信号線も配線されている。
【０１３３】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。なお、そのようなコマンド形態は一例であって他のコマンド形態を用いてもよい。例えば、１バイトや３バイト以上で構成される制御コマンドを用いてもよい
【０１３４】
図１２に示すように、演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立ち上がったことを検知して、割込処理によって１バイトのデータの取り込み処理を開始する。従って、演出制御用マイクロコンピュータ１００から見ると、演出制御ＩＮＴ信号は、演出制御コマンドデータの取り込みの契機となる信号に相当する。
【０１３５】
演出制御コマンドは、演出制御用マイクロコンピュータ１００が認識可能に１回だけ送出される。認識可能とは、この例では、演出制御ＩＮＴ信号のレベルが変化することであり、認識可能に１回だけ送出されるとは、例えば演出制御コマンドデータの１バイト目および２バイト目のそれぞれに応じて演出制御ＩＮＴ信号が１回だけパルス状（矩形波状）に出力されることである。なお、演出制御ＩＮＴ信号は図１２に示された極性と逆極性であってもよい。
【０１３６】
図１３は、演出制御基板８０に送出される演出制御コマンドの内容の一例を示す説明図である。図１３に示す例において、コマンド８０００（Ｈ）〜８０１Ａ（Ｈ）は、特別図柄の可変表示に対応して第１可変表示装置９ａまたは第２可変表示装置９ｂにおいて可変表示される飾り図柄の変動パターンを指定する演出制御コマンド（変動パターンコマンド）である。なお、変動パターンを指定する演出制御コマンドは、変動開始を指定するためのコマンドでもある。従って、演出制御用マイクロコンピュータ１００は、コマンド８０００（Ｈ）〜８０１Ａ（Ｈ）のいずれかを受信すると、第１可変表示装置９ａまたは第２可変表示装置９ｂにおいて飾り図柄の可変表示を開始するように制御する。なお、第１変動パターン指定＃１〜＃１０のコマンドを、８００１（Ｈ）〜８００Ａ（Ｈ）とし、第２変動パターン指定＃１〜＃１０のコマンドを、８０１１（Ｈ）〜８０１Ａ（Ｈ）とする。
【０１３７】
コマンド９０００（Ｈ）は、変動パターンコマンドで指定する飾り図柄（第１飾り図柄または第２飾り図柄）の可変表示の表示結果を確変図柄とすることを指定する演出制御コマンド（確変大当り指定コマンド）である。コマンド９００１（Ｈ）は、変動パターンコマンドで指定する飾り図柄の可変表示の表示結果を非確変大当り図柄とすることを指定する演出制御コマンド（通常大当り指定コマンド）である。コマンド９００２（Ｈ）は、変動パターンコマンドで指定する飾り図柄の可変表示の表示結果をはずれ図柄とすることを指定する演出制御コマンド（はずれ指定コマンド）である。以下、確変大当り指定コマンド、通常大当り指定コマンドおよびはずれ指定コマンドを、表示結果コマンドということがある。
【０１３８】
コマンドＡ０００（Ｈ）は、第１飾り図柄の可変表示の停止を指示する演出制御コマンドである。コマンドＡ００１（Ｈ）は、第２飾り図柄の可変表示の停止を指示する演出制御コマンドである。また、コマンドＡ１００（Ｈ）は、第１特別図柄および第１飾り図柄の表示結果を強制的にはずれと決定されたときの第１飾り図柄の変動開始を指示する演出制御コマンド（第１強制はずれ指定コマンド）である。コマンドＡ２００（Ｈ）は、第２特別図柄および第２飾り図柄の表示結果を強制的にはずれと決定されたときの第２飾り図柄の変動開始を指示する演出制御コマンド（第２強制はずれ指定コマンド）である。
【０１３９】
コマンドＢＸＸＸ（ここで、Ｘは任意の値）（Ｈ）は、大当り遊技開始から大当り遊技終了までの間に送出される演出制御コマンドである。すなわち、コマンドＢ０００（Ｈ）は、第１大当り遊技（第１大入賞口を所定回開放）の開始を示す演出制御コマンド（第１大当り開始指定コマンド（第１ファンファーレ指定コマンド））である。コマンドＢ００１（Ｈ）は、第１大当り遊技の終了を示す演出制御コマンド（第１大当り終了指定コマンド（第１エンディング指定コマンド））である。コマンドＢ００２（Ｈ）は、第２大当り遊技（第２大入賞口を所定回開放）の開始を示す演出制御コマンド（第２大当り開始指定コマンド（第２ファンファーレ指定コマンド））である。コマンドＢ００３（Ｈ）は、第２大当り遊技の終了を示す演出制御コマンド（第２大当り終了指定コマンド（第２エンディング指定コマンド））である。コマンドＢ１ＸＸ（Ｈ）は、「ＸＸ」で示されるラウンドの開始を示す演出制御コマンドである。コマンドＢ２ＸＸ（Ｈ）は、「ＸＸ」で示されるラウンドの終了を示す演出制御コマンドである。
【０１４０】
コマンドＤ０００（Ｈ）は、客待ちデモンストレーションを指定する演出制御コマンドである。
【０１４１】
演出制御基板８０に搭載されている演出制御用マイクロコンピュータ１００（具体的には、演出制御用ＣＰＵ１０１）は、主基板３１に搭載されている遊技制御用マイクロコンピュータ５６０から上述した演出制御コマンドを受信すると図１３に示された内容に応じて第１可変表示装置９ａおよび第２可変表示装置９ｂの表示状態を変更するとともに、ランプの表示状態を変更し、音声出力基板７０に対して音番号データを出力する。なお、図１３に示された演出制御コマンド以外の演出制御コマンドも主基板３１から演出制御基板８０に送信される。例えば、大当り遊技に関するより詳細な演出制御コマンドや遊技状態を示す演出制御コマンド（例えば、初期化コマンドや確変状態を示す演出制御コマンド）も主基板３１から演出制御基板８０に送信される。
【０１４２】
なお、演出制御用マイクロコンピュータ１００は、変動パターンコマンドを受信すると飾り図柄の変動制御を開始するので、換言すれば、変動パターンコマンドを受信した後に表示結果コマンドを確認することになるので、第１飾り図柄についての確変大当り指定コマンド、通常大当り指定コマンドおよびはずれ指定コマンドと第２飾り図柄についての確変大当り指定コマンド、通常大当り指定コマンドおよびはずれ指定コマンドとを共用できるが、第１飾り図柄についてのそれらのコマンドと第２飾り図柄についてのそれらのコマンドとを別にしてもよい。
【０１４３】
図１４は、第１特別図柄プロセス処理における第１特別図柄通常処理（ステップＳ３００）を示すフローチャートである。第１特別図柄通常処理が実行される状態は、第１特別図柄プロセスフラグの値がステップＳ３００を示す値となっている場合である。なお、第１特別図柄プロセスフラグの値がステップＳ３００を示す値となっている場合とは、第１特別図柄表示器８ａにおいて第１特別図柄の変動表示がなされておらず、かつ、第１大当り遊技中でもない場合である。
【０１４４】
第１特別図柄通常処理において、ＣＰＵ５６は、まず、遊技状態が第２大当り遊技の開始から第２大当りの遊技の終了までの間であるか否か確認する（ステップＳ４０）。ＣＰＵ５６は、遊技状態がそのような状態であるか否かを、例えば、第２特別図柄プロセスフラグの値がステップＳ３０６〜Ｓ３０９のいずれかに応じた値（具体的には、第１特別図柄プロセスフラグについてのステップＳ３０６〜Ｓ３０９のいずれかに応じた値に相当する第２特別図柄プロセスフラグについての値）であるか否かによって判定する。また、第２特別図柄プロセス処理において、第２大当り図柄停止処理から第２大入賞口開放前処理に移行するときに第２大当り遊技中であることを示すフラグをセットし、第２大当り終了処理においてそのフラグをリセットし、第２大当り遊技中であるか否かを、そのフラグがセットされているか否かによって確認するようにしてもよい。遊技状態が第２大当り遊技の開始から第２大当りの遊技の終了までの間である場合には、処理を終了する。そうでない場合には、ＣＰＵ５６は、保留記憶数の値を確認する（ステップＳ４１）。具体的には、第１保留記憶カウンタのカウント値を確認する。ステップＳ４０の判断によって、ＣＰＵ５６は、第２特別図柄表示器８および第２可変表示装置９ｂにおいて特定表示結果（この例では、大当り図柄）が導出表示されたときから、特定表示結果が導出表示されたことにもとづく特定遊技状態（この例では、第２大当り遊技）が終了するまでの間、第１の開始条件（例えば、第１特別図柄および第１飾り図柄の最終停止後であって、保留記憶が０でないこと）を成立させない制御を実行することになる。第１特別図柄プロセス制御の処理をステップＳ３００から先に進めないことによって、第１特別図柄および第１飾り図柄の変動が開始されないからである。
【０１４５】
保留記憶数が０でなければ、ＲＡＭ５５の第１保留記憶バッファにおける保留記憶数＝１に対応する保存領域に格納されている各乱数値を読み出してＲＡＭ５５の乱数バッファ領域に格納するとともに（ステップＳ４２）、保留記憶数の値を１減らし（第１保留記憶カウンタのカウント値を１減算し）、かつ、各保存領域の内容をシフトする（ステップＳ４３）。すなわち、ＲＡＭ５５の第１保留記憶バッファにおいて保留記憶数＝ｎ（ｎ＝２，３，４）に対応する保存領域に格納されている各乱数値を、保留記憶数＝ｎ−１に対応する保存領域に格納する。よって、各保留記憶数に対応するそれぞれの保存領域に格納されている各乱数値が抽出された順番は、常に、保留記憶数＝１，２，３，４の順番と一致するようになっている。
【０１４６】
次に、ＣＰＵ５６は、確変フラグがセットされているか否か確認することによって、現在の遊技状態が確変状態（高確率状態）であるか否か確認する（ステップＳ４４）。確変フラグは、現在の遊技状態が確変状態であること示すデータであり、確変状態を開始するときにセットされ（図２１のステップＳ２０４参照）、確変状態を終了するときにリセットされる（図１４のステップＳ５１、図２１のステップＳ２１５参照）。
【０１４７】
確変フラグがセットされていないときは、ＣＰＵ５６は、ステップＳ４５〜Ｓ５４の処理を実行せずに、ステップＳ５５に移行する。確変フラグがセットされているときは、ＣＰＵ５６は、乱数バッファ領域から確変状態終了判定用乱数（ランダム８）を読み出し（ステップＳ４５）、確変状態の終了の判定を行う（ステップＳ４６）。すなわち、ＣＰＵ５６は、あらかじめ定められている確変状態終了判定値と確変状態終了判定用乱数値とを比較し、それらが一致したら確変状態を終了させることに決定する。
【０１４８】
確変状態を終了させることに決定したときは、ＣＰＵ５６は、確変フラグをリセットして確変状態を終了させる（ステップＳ５１）。そして、ＣＰＵ５６は、状態フラグがセットされているか否か確認する（ステップＳ５２）。なお、ステップＳ４６の判定（抽選）をパンク抽選という。
【０１４９】
状態フラグは、確変状態を開始するときにセットされ、確変状態に移行されてから第１特別図柄および第２特別図柄の可変表示の回数が所定回数（例えば１００回）になったとき、また所定回数になる前に大当り図柄を非確変図柄にすることが決定されたときにリセットされるフラグである。
【０１５０】
ステップＳ５２において状態フラグがセットされているということは、確変状態に制御されてから第１特別図柄および第２特別図柄の可変表示の回数が所定回数（例えば１００回）に達していない状態であることを示している。よって、ＣＰＵ５６は、状態フラグがセットされていることを確認したときは、時短フラグをセットして時短状態を開始させる（ステップＳ５３）。
【０１５１】
すなわち、この実施の形態では、パンク抽選の結果が当選（確変状態を終了させる）であれば、状態フラグがリセットされるまでの所定回数の可変表示が行われるまで時短状態に制御される。
【０１５２】
なお、時短フラグは、現在の遊技状態が時短状態であることを示すデータであり、時短状態を開始するときにセットされ、時短状態を終了するときにリセットされる。また、第１変動パターン設定処理（ステップＳ３０２）において、ＣＰＵ５６は、時短フラグがセットされているときには、時短フラグがセットされていないときよりも変動時間の短い変動パターンを選択する。
【０１５３】
そして、第１特別図柄プロセスフラグの値を第１特別図柄停止図柄設定処理（ステップＳ３０１）に対応した値に更新する（ステップＳ５５）。
【０１５４】
図１５は、第１特別図柄プロセス処理における第１特別図柄停止図柄設定処理（ステップＳ３０１）を示すフローチャートである。第１特別図柄停止図柄設定処理において、遊技制御用マイクロコンピュータ５６０は、まず、第２大当りフラグがセットされるか否か確認する（ステップＳ６０）。第２大当りフラグがセットされていれば、強制はずれフラグをセットする（ステップＳ６６）。また、第１強制はずれ指定コマンドを演出制御用マイクロコンピュータ１００に送信する制御を行う（ステップＳ６７）。その後、ステップＳ６４に移行する。なお、演出制御用マイクロコンピュータ１００に演出制御コマンドを送信する際に、具体的には、ＣＰＵ５６は、演出制御コマンドに応じたコマンド送信テーブル（あらかじめＲＯＭにコマンド毎に設定されている）のアドレスをポインタにセットする。そして、演出制御コマンドに応じたコマンド送信テーブルのアドレスをポインタにセットして、飾り図柄コマンド制御処理（ステップＳ２８）において演出制御コマンドを送信する。
【０１５５】
なお、第２大当りフラグは、第２特別図柄プロセス処理において、大当りとすることに決定した場合にセットされ、大当り遊技が終了したときにリセットされる。すなわち、第２大当りフラグがセットされているということは、第２特別図柄表示器８ｂの表示結果を大当り図柄にすると決定したことを意味する。従って、第２大当りフラグがセットされているということは、第２特別図柄表示器８ｂの表示結果を大当り図柄にすると決定したことにもとづいて第２特別図柄表示器８ｂで第２特別図柄の変動が実行されているか、または、第２特別図柄表示器８ｂの表示結果を大当り図柄にすると決定したことにもとづいて大当り遊技が実行されていることを意味する。
【０１５６】
なお、ステップＳ６０の判断を、第２特別図柄表示器８ｂの表示結果を大当り図柄にすると決定したことにもとづいて第２特別図柄表示器８ｂで第２特別図柄の変動（可変表示）が実行されているか否かの判断にしてもよい。すなわち、第２特別図柄表示器８ｂの表示結果を大当り図柄にすると決定したことにもとづいて大当り遊技が実行されているときには、強制はずれにする制御を実行しないようにしてもよい。
【０１５７】
第２大当りフラグがセットされていない場合には、乱数バッファ領域から大当り判定用乱数を読み出し（ステップＳ６１）、大当り判定モジュールを実行する（ステップＳ６２）。大当り判定モジュールは、あらかじめ決められている大当り判定値（図７参照）と大当り判定用乱数とを比較し、それらが一致したら大当りとすることに決定する処理を実行するプログラムである。大当りとすることに決定した場合には（ステップＳ６３）、ステップＳ８１に移行する。なお、ステップＳ６３では、ＣＰＵ５６は、具体的には、大当り判定用乱数値が図７に示す大当り判定値に一致すると、大当りとすることに決定する。通常状態または時短状態では、大当り判定用乱数値と図７における左欄に記載されている数値とを比較し、確変状態では、大当り判定用乱数値と図７における右欄に記載されている数値とを比較する。また、大当りとするか否か決定するということは、大当り遊技状態に移行させるか否か決定するということであるが、第１特別図柄表示器８ａおよび第１可変表示装置９ａにおいて停止図柄を大当り図柄とするか否か決定するということでもある。
【０１５８】
大当りとしないことに決定した場合には、ＣＰＵ５６は、乱数バッファ領域からはずれ図柄決定用乱数を読み出し（ステップＳ６４）、はずれ図柄決定用乱数にもとづいてはずれ図柄（この例では偶数図柄）を決定する（ステップＳ６５）。そして、ステップＳ８４に移行する。
【０１５９】
ステップＳ８１では、遊技制御用マイクロコンピュータ５６０は、第１大当りフラグをセットする。そして、乱数バッファ領域から大当り図柄決定用乱数を読み出し（ステップＳ８２）、大当り図柄決定用乱数にもとづいて大当り図柄（この例では奇数図柄）を決定する（ステップＳ８３）。そして、ステップＳ８３で確変図柄（例えば「７」）に決定された場合には確変大当り指定の演出制御コマンド（確変大当り指定コマンド）を送信し、非確変大当りとすることに決定されている場合には通常大当り指定の演出制御コマンド（通常大当り指定コマンド）を送信し、大当りとすることに決定されていない場合にははずれ指定の演出制御コマンド（はずれ指定コマンド）を送信するように制御した後（ステップＳ８４）、第１特別図柄プロセスフラグの値を第１変動パターン設定処理（ステップＳ３０２）に対応した値に更新する（ステップＳ８５）。
【０１６０】
図１７は、第１特別図柄プロセス処理における第１変動パターン設定処理（ステップＳ３０２）を示すフローチャートである。第１変動パターン設定処理において、ＣＰＵ５６は、乱数バッファ領域から変動パターン決定用乱数を読み出す（ステップＳ１０１）。そして、これから開始される第１特別図柄の停止図柄を大当り図柄とすることを示す第１大当りフラグがセットされ、かつ、確変フラグがセットされている場合には（ステップＳ１０２，Ｓ１０３）、確変時大当り変動パターンテーブル（図１９参照）から変動パターンを選択する（ステップＳ１０４）。すなわち、確変時大当り変動パターンテーブルを選択し、さらに、変動パターン決定用乱数に応じた変動パターンを確変時大当り変動パターンテーブルから選択する。そして、ステップＳ１１５に移行する。
【０１６１】
確変フラグがセットされていない場合には、通常時大当り変動パターンテーブル（図１９参照）から変動パターンを選択する（ステップＳ１０５）。すなわち、通常時大当り変動パターンテーブルを選択し、さらに、変動パターン決定用乱数に応じた変動パターンを通常時大当り変動パターンテーブルから選択する。そして、ステップＳ１１５に移行する。
【０１６２】
第１大当りフラグがセットされていない場合には、ＣＰＵ５６は、強制はずれフラグがセットされているか否か確認する（ステップＳ１０６）。強制はずれフラグがセットされている場合にはステップＳ１１２に移行する。
【０１６３】
強制はずれフラグがセットされていない場合には、確変フラグがセットされている場合には（ステップＳ１０７）、確変時はずれ変動パターンテーブル（図１９参照）から変動パターンを選択する（ステップＳ１０８）。すなわち、確変時はずれ変動パターンテーブルを選択し、さらに、変動パターン決定用乱数に応じた変動パターンを確変時はずれ変動パターンテーブルから選択する。そして、ステップＳ１１５に移行する。
【０１６４】
確変フラグがセットされていない場合には、通常時はずれ変動パターンテーブル（図１９参照）から変動パターンを選択する（ステップＳ１０９）。すなわち、通常時はずれ変動パターンテーブルを選択し、さらに、変動パターン決定用乱数に応じた変動パターンを通常時はずれ変動パターンテーブルから選択する。そして、ステップＳ１１５に移行する。
【０１６５】
ステップＳ１１２では、ＣＰＵ５６は、確変フラグがセットされているか否か確認する。確変フラグがセットされている場合には、確変時強制はずれ変動パターンテーブル（図１９参照）から変動パターンを選択する（ステップＳ１１３）。すなわち、確変時強制はずれ変動パターンテーブルを選択し、さらに、変動パターン決定用乱数に応じた変動パターンを確変時強制はずれ変動パターンテーブルから選択する。そして、ステップＳ１１５に移行する。
【０１６６】
確変フラグがセットされていない場合には、通常時強制はずれ変動パターンテーブル（図１９参照）から変動パターンを選択する（ステップＳ１１４）。すなわち、通常時強制はずれ変動パターンテーブルを選択し、さらに、変動パターン決定用乱数に応じた変動パターンを通常時強制はずれ変動パターンテーブルから選択する。そして、ステップＳ１１５に移行する。
【０１６７】
ステップＳ１１５では、ＣＰＵ５６は、決定した変動パターンに応じた変動パターンコマンドを演出制御用マイクロコンピュータ１００に送信する制御を行う。そして、第１特別図柄プロセスフラグの値を第１遊技状態移行制御処理（ステップＳ３０３）に対応した値に更新する（ステップＳ１１６）。
【０１６８】
なお、ＣＰＵ５６は、時短フラグがセットされているときには、時短フラグがセットされていないときよりも変動時間の短い変動パターンを選択する。
【０１６９】
図１９は、第１変動パターン設定処理で使用される変動パターンテーブルの一例を示す説明図である。変動パターンテーブルは、ＲＯＭ５４に格納されている。そして、変動パターンテーブルには、変動パターンを示すデータが設定されている。図１９に示す変動パターンテーブルにおいて、判定値数は、対応する変動パターンを選択することになる判定値の数である。判定値数が多いほど、対応する変動パターンが選択されやすいことを示す。なお、第２特別図柄プロセス処理における第２変動パターン設定処理で使用される変動パターンテーブルも、図１９に例示された構成と同様に構成される。ただし、その変動パターンテーブルには、第２変動パターン＃１〜＃１０が設定される。つまり、図１９に示す例において、「第１変動パターン」を「第２変動パターン」に置き換えた形式になる。また、第１変動パターン＃１〜＃１０のそれぞれと、第２変動パターン＃１〜＃１０のそれぞれとが同じ変動パターンである場合には、第１変動パターン設定処理で使用される変動パターンテーブルと第２変動パターン設定処理で使用される変動パターンテーブルとを共通のものにしてもよい。
【０１７０】
また、図１９に示すように、第１変動パターン＃４および第１変動パターン＃９は、強制はずれフラグがセットされているときに使用される確変時強制はずれ変動パターンテーブルおよび通常時強制はずれ変動パターンテーブルのみにおいて設定されている。すなわち、この実施の形態では、強制はずれフラグがセットされているときにのみ、第１変動パターン＃４および第１変動パターン＃９が選択可能である。はずれ変動パターンテーブルと強制はずれ変動パターンテーブルとが別個に設けられているので、強制はずれとすることに決定されたときに、強制はずれ変動パターンテーブルにしか存在しない変動パターンを示すデータを容易に選択でき、例えば、強制はずれ変動パターンテーブルにしか存在しない変動パターンで、第２可変表示装置９ｂにおいて大当り図柄が導出表示されることを予告するような演出を容易に行うことができるようになる。
【０１７１】
そして、確変時強制はずれ変動パターンテーブルおよび通常時強制はずれ変動パターンテーブルにおいて、第１変動パターン＃４および第１変動パターン＃９が選択が選択される確率は、他の変動パターンが選択される確率よりも高い。
【０１７２】
なお、図１９（Ａ）〜（Ｆ）に示された変動パターンテーブルのそれぞれに対応した変動パターンテーブルであって時短状態において使用される変動パターンテーブルもあるが、図１９では記載省略されている。また、時短状態において使用される変動パターンテーブルには、時短状態において使用される変動パターンが設定されている。
【０１７３】
また、この実施の形態では、強制はずれ（無条件で、すなわち抽選による大当り判定を行わず、抽選結果をはずれにすること）時に用いられる変動パターンテーブル（図１９（Ｃ），（Ｄ））と、非強制はずれ（抽選による大当り判定の結果、はずれに決定されたこと）時に用いられる変動パターンテーブル（図１９（Ｅ），（Ｆ））とを別個に設けたが、それらを共通化してもよい。つまり、強制はずれ／非強制はずれに関わらず、はずれ時に共通に用いられる変動パターンテーブルを設けてもよい。その場合には、ＣＰＵ５６は、例えば、非強制はずれ時に第１変動パターン＃４または第１変動パターン＃９が選択されたときには、他の変動パターンに変更する。
【０１７４】
さらに、この実施の形態では、変動パターンテーブルを用いて変動パターンを選択しているが、強制はずれ時に用いられる変動パターンを固定的なものにしてもよい。その場合、例えば、第１変動パターン＃４を示すデータおよび第１変動パターン＃９を示すデータをＲＯＭ５４に格納し、ステップＳ１１３でＲＯＭ５４から第１変動パターン＃９を示すデータを読み出し、ステップＳ１１４で第１変動パターン＃４を示すデータを読み出すようにする。そのように構成した場合には、強制はずれ時には、第１変動パターン＃４および第１変動パターン＃９以外の変動パターンは使用されない。
【０１７５】
図２０および図２１は、第１遊技状態移行制御処理を示すフローチャートである。第１遊技状態移行制御処理において、ＣＰＵ５６は、第１大当りフラグがセットされているか否か確認する（ステップＳ１７１）。セットされている場合には、ステップＳ２０１に移行する。
【０１７６】
第１大当りフラグがセットされていない場合すなわちはずれとすることに決定されている場合には、ＣＰＵ５６は、状態フラグがセットされているか否か確認する（ステップＳ１７２）。状態フラグがセットされているということは、現在の遊技状態が確変状態または時短状態であることを意味する。状態フラグがセットされていれば、ＣＰＵ５６は、状態回数カウンタの値を−１する（ステップＳ１７３）。状態回数は、状態フラグがセットされているときに、確変状態または時短状態を継続可能な第１特別図柄および第２特別図柄の変動回数を示す。状態回数カウンタは、状態回数をカウントするためのカウンタである。例えば、ステップＳ４６のパンク抽選によって確変状態を終了させる条件が成立した場合に、状態回数カウンタの値が０でなければ、状態回数カウンタの値が示す回数だけ第１特別図柄および第２特別図柄の変動が実行されるまで時短状態が継続する（ただし、非確変大当りが発生した場合を除く）。この実施の形態では、状態回数として例えば１００回が確変状態の開始時にセットされる（ステップＳ２０３参照）。
【０１７７】
そして、ＣＰＵ５６は、状態回数カウンタの値が０であるか否か確認する（ステップＳ１７４）。状態回数カウンタの値が０であるということは、遊技状態が確変状態に制御されてから第１特別図柄および第２特別図柄の可変表示の回数が所定回数（例えば１００回）に達したことを意味する。ＣＰＵ５６は、状態回数カウンタの値が０であれば、状態フラグをリセットする（ステップＳ１７５）。状態回数カウンタの値が０でなければ、ステップＳ１９０に移行する。
【０１７８】
次いで、ＣＰＵ５６は、時短フラグがセットされているか否か確認する（ステップＳ１７６）。時短フラグがセットされているということは、遊技状態が確変状態に制御されてから第１特別図柄および第２特別図柄の可変表示の回数が１００回に達する前に、所定の移行条件が成立したこと（確変状態終了の判定において確変状態を終了させる旨の決定がされたこと、または確変状態に制御されてから第１特別図柄および第２特別図柄の可変表示の回数が確変回数に達したこと）により、遊技状態が確変状態から時短状態に移行されていることを意味する。そして、状態回数カウンタの値が０であるということは、遊技状態が確変状態に制御されてから第１特別図柄および第２特別図柄の可変表示の回数が所定回数（例えば１００回）に達したことを意味する。この実施の形態では、可変表示の回数が所定回数に達していれば時短状態を終了させるので、時短フラグがセットされていれば、ＣＰＵ５６は、時短フラグをリセットして遊技状態を通常状態に移行させる（ステップＳ１７７）。時短フラグがセットされていなければ、ステップＳ１９０に移行する。
【０１７９】
ステップＳ１７８では、ＣＰＵ５６は、時短フラグがセットされているか否か確認する。時短フラグがセットされているということは、確変状態に制御されているときに非確変図柄での大当りとなったことによって時短状態に移行され、時短状態が継続している状態であることを意味する。時短フラグがセットされていなければ、ステップＳ１９０に移行する。時短フラグがセットされている場合には、ＣＰＵ５６は、変動回数カウンタの値を−１する（ステップＳ１７９）。このとき、変動回数カウンタには、時短状態の場合にその状態を継続可能な残り変動回数が設定されている。
【０１８０】
次に、ＣＰＵ５６は、変動回数カウンタの値が０であるか否か確認する（ステップＳ１８０）。変動回数カウンタの値が０であるということは、遊技状態が確変状態から時短状態に移行されてから第１特別図柄および第２特別図柄の可変表示の回数が所定回数（例えば５０回）に達したことを意味する。そこで、変動回数カウンタの値が０であれば、ＣＰＵ５６は、時短フラグをリセットして遊技状態を時短状態から通常状態に移行させる（ステップＳ１８１）。そして、ステップＳ１９６に移行する。
【０１８１】
ステップＳ１９０では、ＣＰＵ５６は、確変フラグがセットされているか否か確認する。確変フラグがセットされていなければ、ステップＳ１９６に移行する。確変フラグがセットされていれば、変動回数カウンタの値を−１し（ステップＳ１９１）、変動回数カウンタの値が０になったか否か確認する（ステップＳ１９２）。
【０１８２】
確変フラグがセットされ、かつ、変動回数カウンタの値が０であるということは、遊技状態が確変状態に制御されてから第１特別図柄および第２特別図柄の可変表示の回数が確変状態を継続可能な確変回数に達したことを意味する。なお、確変回数は、遊技状態が確変状態になっているときに、あと何回の第１特別図柄および第２特別図柄の変動がなされたら確変状態を終了するかを示す回数（可変表示可能回数）、すなわち、確変状態に移行した後に実行可能な第１特別図柄および第２特別図柄の変動回数である。この実施の形態では、確変回数は所定の範囲の回数（例えば、５０回〜１５０回）から抽選によって決定される。
【０１８３】
変動回数カウンタの値が０になった場合、ＣＰＵ５６は、確変フラグをリセットして確変状態を終了させる（ステップＳ１９３）。そして、状態フラグがセットされているか否か確認する（ステップＳ１９４）。状態フラグがセットされているということは、確変状態に移行してから第１特別図柄および第２特別図柄の可変表示の回数が所定回数（例えば１００回）に達していない場合を意味する。逆に、状態フラグがセットされていないということは、確変状態に移行してから第１特別図柄および第２特別図柄の可変表示の回数が所定回数（例えば１００回）以上になっていることを意味する。状態フラグがセットされていれば、ＣＰＵ５６は、時短フラグをセットして時短状態を開始させる（ステップＳ１９５）。そして、ステップＳ１９６に移行する。
【０１８４】
ステップＳ１９６では、ＣＰＵ５６は、第１特別図柄の変動を開始する。例えば、ステップＳ３２の特別図柄表示制御処理で参照される開始フラグをセットする。また、ＲＡＭ５５に形成されている第１変動時間タイマに、変動パターンの変動時間に応じた値をセットする（ステップＳ１９７）。そして、第１特別図柄プロセスフラグの値を第１特別図柄変動中処理（ステップＳ３０４）に対応した値に更新する（ステップＳ１９８）。
【０１８５】
ステップＳ２０１では、ＣＰＵ５６は、ステップＳ８３で決定された停止図柄が確変図柄（例えば「７」）であるか否か判定する。すなわち、確変大当りとするか否か判定する。なお、この実施の形態では、ステップＳ８３で決定された停止図柄によって確変大当りとするか否か決定されることになるが、例えば、乱数を発生させ、発生させた乱数と判定値とを比較することによって確変大当りとするか否か決定してもよい。
【０１８６】
確変大当りとしない場合にはステップＳ２１１に移行する。確変大当りとする場合には、ＣＰＵ５６は、状態フラグをセットし（ステップＳ２０２）、状態回数カウンタに状態回数として１００回をセットする（ステップＳ２０３）。そして、確変フラグがセットされていない場合には確変フラグをセットし（ステップＳ２０４）、時短フラグがセットされている場合は時短フラグをリセットする（ステップＳ２０５）。なお、確変フラグおよび時短フラグは、ＲＡＭ５５に形成されている。
【０１８７】
また、ＣＰＵ５６は、所定の範囲（例えば５０回から１５０回の範囲）から抽選によって確変回数を選択する処理を実行する（ステップＳ２０６）。ステップＳ２０６では、乱数バッファ領域から回数決定用乱数（ランダム９）を読み出し、読み出した回数決定用乱数値に対応する回数を確変回数に決定する。そして、遊技制御用マイクロコンピュータ５６０は、確変回数を変動回数カウンタにセットする（ステップＳ２０７）。なお、上記のような確変回数の抽選によれば、確変回数として１５０回（最多確変継続回数）が選ばれる割合が低くなってしまうおそれがあるが、あらかじめ１５０回の確変回数に対応する回数決定用乱数値を多く設定しておくことによって、確変回数として１５０回が選ばれる割合を高くすることができる。そして、ステップＳ１９６に移行する。
【０１８８】
ステップＳ２１１では、ＣＰＵ５６は、状態フラグがセットされているか否か確認する。状態フラグがセットされている場合には、状態フラグをリセットし（ステップＳ２１２）、状態回数カウンタの値をクリアする（ステップＳ２１３）。
【０１８９】
次いで、ＣＰＵ５６は、確変フラグがセットされているか否か確認する（ステップＳ２１４）。確変フラグがセットされていない場合にはステップＳ２１８に移行する。確変フラグがセットされている場合には、確変フラグをリセットし（ステップＳ２１５）、時短フラグをセットする（ステップＳ２１６）。これにより、遊技状態が確変状態から時短状態に移行される。そして、ＣＰＵ５６は、変動回数カウンタに時短回数をセットする（ステップＳ２１７）。なお、時短回数は、遊技状態が時短状態になっているときに、あと何回の第１特別図柄および第２特別図柄の変動がなされたら時短状態を終了するかを示す回数（可変表示可能回数）、すなわち、時短状態に移行した後に時短状態が継続可能な第１特別図柄および第２特別図柄の変動回数である。この実施の形態では、時短回数として例えば５０回が設定される。その後、ステップＳ１９６に移行する。
【０１９０】
ステップＳ２１８では、ＣＰＵ５６は、時短フラグがセットされているか否か確認する。時短フラグがセットされている場合には、ＣＰＵ５６は、時短フラグをリセットする（ステップＳ２１９）。よって、遊技状態が時短状態から通常状態に移行される。また、変動回数カウンタの値をクリアする（ステップＳ２２０）。そして、ステップＳ１９６に移行する。
【０１９１】
以上のような処理によって、確変状態において非確変大当りとなることに決定されたときに、遊技状態は時短状態に制御され、時短状態において５０回の可変表示を実行可能になる（ステップＳ２１４〜Ｓ２１７）。時短状態において非確変大当りとなることに決定されたときに、遊技状態は通常状態に制御される（ステップＳ２１８〜Ｓ２２０）。
【０１９２】
また、確変状態において状態回数カウンタの値が０にならないうちに変動回数カウンタの値が０になったときには、遊技状態は時短状態に制御される（ステップＳ１９０〜Ｓ１９５）。確変状態において状態回数カウンタの値が０になった後に、変動回数カウンタの値が０になったときには、遊技状態が通常状態に制御される（ステップＳ１９０〜Ｓ１９４）。時短状態において状態回数カウンタの値が０になった後に、変動回数カウンタの値が０になったときには、遊技状態が通常状態に移行される（ステップＳ１７８〜Ｓ１８１）。
【０１９３】
次に、第１遊技状態移行制御処理におけるフラグのセット時期およびリセット時期を、図２２および図２３を用いて説明する。
【０１９４】
図２２には、確変状態に制御されるときに、ステップＳ２０２において状態フラグがセットされ、ステップＳ２０３において状態回数カウンタに状態回数として１００回がセットされ、また、ステップＳ２０４において確変フラグがセットされ、ステップＳ２０６において確変回数として１５０回が抽選によって決定され、ステップＳ２０７において変動回数カウンタに１５０回の回数がセットされた例が示されている。
【０１９５】
確変状態に制御されると、ＣＰＵ５６は、状態フラグがセットされることによって、第１特別図柄および第２特別図柄の変動の開始時に、状態回数カウンタで第１特別図柄および第２特別図柄の変動回数をカウントする（ステップＳ１７２，Ｓ１７３）。また、確変フラグがセットされることによって、第１特別図柄および第２特別図柄の変動の開始時に、変動回数カウンタで第１特別図柄および第２特別図柄の変動回数をカウントする（ステップＳ１９１，Ｓ１９２）。なお、図２２において、カッコ内の数字は状態回数カウンタのカウント数を示し、カッコ外の数字は変動回数カウンタのカウント数を示す。確変状態に制御されてから第１特別図柄および第２特別図柄の変動回数が１００回に達した時点、すなわち、確変フラグがセットされてから１００回目の変動を開始する時点で、状態フラグがリセットされる（ステップＳ１７４，Ｓ１７５）。ＣＰＵ５６は、状態フラグをリセットしたときに、時短フラグがセットされているかどうかを確認する（ステップＳ１７６）。図２２に示す例では、時短フラグがセットされていないので、時短フラグのリセットは行われない。すなわち、遊技状態の移行制御は行われない。状態フラグがリセットされると、ＣＰＵ５６は、状態回数カウンタによる第１特別図柄および第２特別図柄の変動回数のカウントを停止する（ステップＳ１７２参照）。
【０１９６】
その後も、ＣＰＵ５６は、変動回数カウンタで、第１特別図柄および第２特別図柄の変動が開始される度に、第１特別図柄および第２特別図柄の変動回数をカウントする（ステップＳ１７９，Ｓ１９１）。確変状態に制御されてから第１特別図柄および第２特別図柄の変動回数が１５０回に達した時点、すなわち、確変フラグがセットされてから１５０回目の変動を開始する時点で、確変フラグがリセットされる（ステップＳ１９２，Ｓ１９３）。ＣＰＵ５６は、確変フラグをリセットしたときに、状態フラグがセットされているかどうかを確認する（ステップＳ１９４）。図２２に示す例では、状態フラグが既にリセットされているので、時短フラグのセットは行われない。すなわち、ＣＰＵ５６は、状態フラグがセットされていないことによって、確変状態に制御されてから１００回以上の第１特別図柄および第２特別図柄の変動が行われたことを認識し、時短状態に制御する必要がないと判断し、時短状態に移行する制御を行わない。その結果、遊技状態が確変状態から通常状態に移行される。
【０１９７】
図２３には、確変状態に制御されるときに、ステップＳ２０２において状態フラグがセットされ、ステップＳ２０３において状態回数カウンタに状態回数として１００回がセットされ、また、ステップＳ２０４において確変フラグがセットされ、ステップＳ２０６において確変回数として５０回が抽選によって決定され、ステップＳ２０７おいて変動回数カウンタに５０回の回数がセットされた例が示されている。
【０１９８】
この場合も、図２２に示す例と同様に、状態フラグがセットされることによって、ＣＰＵ５６は、状態回数カウンタで第１特別図柄および第２特別図柄の変動回数をカウントし（ステップＳ１７２，Ｓ１７３）、また、確変フラグがセットされることによって、変動回数カウンタが第１特別図柄および第２特別図柄の変動回数をカウントする（ステップＳ１９０，Ｓ１９１）。その後、確変状態に制御されてから第１特別図柄および第２特別図柄の変動回数が５０回に達した時点で、すなわち、確変フラグがセットされてから５０回目の変動を開始する時点で、変動回数カウンタの値が０になると、確変フラグがリセットされる（ステップＳ１９２，Ｓ１９３）。ＣＰＵ５６は、確変フラグをリセットしたときに、状態フラグがセットされているかどうかを確認する（ステップＳ１９４）。図２３に示す例では、状態フラグがまだセットされているので、時短フラグのセットが行われる。すなわち、遊技制御用マイクロコンピュータ５６０は、状態フラグがセットされていることによって、確変状態に制御されてから第１特別図柄および第２特別図柄の変動が１００回未満であることを認識し、時短状態に制御する必要があると判断して、時短状態に移行する制御を行う。この結果、遊技状態が確変状態から時短状態に移行される。
【０１９９】
その後も、ＣＰＵ５６は、状態フラグがセットされていることにもとづいて、第１特別図柄および第２特別図柄の変動が開始される度に、状態回数カウンタで第１特別図柄および第２特別図柄の変動回数をカウントする（ステップＳ１７２，Ｓ１７３）。確変状態に制御されてから第１特別図柄および第２特別図柄の変動回数が１００回に達した時点、すなわち、確変フラグがセットされてから１００回目の変動を開始する時点で状態フラグがリセットされる（ステップＳ１７４，Ｓ１７５）。ＣＰＵ５６は、状態フラグをリセットしたときに、時短フラグがセットされているかどうかを確認する（ステップＳ１７６）。図２３に示す例では、時短フラグがセットされているので、時短フラグのリセットが行われる。その結果、遊技状態が時短状態から通常遊技状態に移行される。
【０２００】
なお、遊技状態が確変状態に制御されているときに、確変状態終了の判定（ステップＳ４６）で確変状態を終了する旨の決定がされ、確変状態から時短状態に移行した場合（ステップＳ５１，Ｓ５３）についても、図２３に示す例が該当する。
【０２０１】
例えば、確変状態に制御されるときに、ステップＳ２０３において状態回数カウンタに状態回数として１００回がセットされ、ステップＳ２０６において確変回数として８０回が抽選によって決定され、ステップＳ２０７において変動回数カウンタに８０回の回数がセットされた場合を考える。その場合において、確変状態に制御されてから５０回目の変動の開始時に確変状態終了の判定（ステップＳ４６）で確変状態を終了する旨の決定がされると、確変フラグがリセットされるとともに時短フラグがセットされて（ステップステップＳ５１，Ｓ５３）、遊技状態が確変状態から時短状態に移行される。そして、変動回数カウンタの値がクリアされる（ステップＳ５４）。この場合においても、それ以降、第１特別図柄および第２特別図柄の変動が開始される度に、状態回数カウンタで第１特別図柄および第２特別図柄の変動回数をカウントする（ステップＳ１７２，Ｓ１７３）。そして、確変状態に制御されてから第１特別図柄および第２特別図柄の変動回数が１００回に達した時点で状態フラグがリセットされる（ステップＳ１７４，Ｓ１７５）。そして、時短フラグもリセットされる（ステップＳ１７６，Ｓ１７７）。その結果、遊技状態が時短状態から通常状態に移行される。
【０２０２】
また、この実施の形態では、現在の遊技状態が確変状態であって確変フラグがセットされている場合において、特別図柄の変動開始時に、確変状態の終了条件が成立したときには、確変フラグがリセットされる（例えば、ステップＳ４５〜Ｓ４７，Ｓ５１、Ｓ１９１〜Ｓ１９３参照）。例えば、そのときに開始される特別図柄の変動がはずれ変動（停止図柄を大当り図柄としない変動）である場合、その変動中に他方の特別図柄の変動が開始されるときには、大当りとするか否かが低確率で判定される。特別図柄の変動終了時に確変フラグをリセットするように構成した場合には、その変動中に他方の特別図柄の変動が開始されるときには、大当りとするか否かが高確率で判定される。従って、確変状態の終了条件が成立したときに開始される変動の変動時間として変動時間が長いものが選択された場合には、その変動中に他方の特別図柄の変動が開始されるときには、過度に遊技者に有利になる。逆に短い変動時間が選択されたときには、遊技者にとって不利であり、結果として、選択された変動時間により遊技者に有利、不利が生ずる。しかし、この実施の形態では、そのようなことは生じない。また、時短フラグがセットされている場合において、特別図柄の変動開始時に、時短状態の終了条件が成立したときには、時短フラグがリセットされる（例えば、ステップＳ１７４〜Ｓ１７７，Ｓ１７８〜Ｓ１８１参照）。例えば、そのときに開始される特別図柄の変動がはずれ変動である場合、その変動中に他方の特別図柄の変動が開始されるときに、通常状態における変動時間が選択される。特別図柄の変動終了時に時短フラグをリセットするように構成した場合には、その変動中に他方の特別図柄の変動が開始されるときに、時短状態における変動時間（通常状態における変動時間よりも短い）が選択される。従って、時短状態の終了条件が成立したときに開始される変動の変動時間として変動時間が長いものが選択された場合には、その変動中に他方の特別図柄の変動が開始されるときには、過度に遊技者に有利になる。逆に短い変動時間が選択されたときには、遊技者にとって不利であり、結果として、選択された変動時間により遊技者に有利、不利が生ずる。しかし、この実施の形態では、そのようなことは生じない。
【０２０３】
なお、低確率状態（通常状態）では確変状態に比べて変動時間が長くなるようにした場合、遊技状態が確変状態に制御されてから第１特別図柄および第２特別図柄の可変表示の回数が確変状態を継続可能な確変回数（変動回数）に達したときに確変フラグをリセットするように構成しても（Ｓ１９１〜Ｓ１９３参照）、遊技者が、遊技状態が通常状態に移行して特別図柄の変動時間が長くなったことによって遊技状態の変更を把握できてしまうということはない。元々、遊技者は変動回数に制限があることを認識しているからである。
【０２０４】
ただし、可変表示の終了後に、確変フラグをセットして確変状態に移行させるようにしてもよい。そのように制御する場合には、例えば、ステップＳ２０１〜Ｓ２１７の処理を、ステップＳ３０９の第１大当り終了処理において実行するように構成すればよい。可変表示の終了後に確変フラグをセットして確変状態に移行させるようにした場合には、以下のような効果を期待できる。すなわち、特別図柄の可変表示が開始されるときに確変フラグがセットされて遊技状態が確変状態に移行するように制御する場合には、例えば確変回数として１００が決定された場合に、その回数が、強制はずれに決定された回数分だけ消費されてしまう（遊技者は、高確率の利益を享受できない。）ことになり、遊技者に不利益が与えられる。しかし、可変表示の終了後に確変フラグをセットする場合には、そのような不利益は生じない。また、時短状態についても、この実施の形態では、時短状態への移行条件が成立した場合、特別図柄の可変表示が開始されるときに時短フラグがセットされて遊技状態が時短状態に移行するが、可変表示の終了後に、時短フラグをセットして時短状態に移行させるようにしてもよい。
【０２０５】
図２４は、第１特別図柄プロセス処理における第１特別図柄変動中処理（ステップＳ３０４）の処理を示すフローチャートである。第１特別図柄変動中処理において、ＣＰＵ５６は、第１変動時間タイマを１減算し（ステップＳ１２１）、第１変動時間タイマがタイムアウトしたら（ステップＳ１２２）、第１大当りフラグがセットされている場合には第１特別図柄プロセスフラグの値を第１大当り図柄停止処理（ステップＳ３０６）に対応した値に更新し（ステップＳ１２３，Ｓ１２４）、第１大当り図柄表示時間タイマをセットする（ステップＳ１２５）。第１大当りフラグがセットされていない場合には第１特別図柄プロセスフラグの値を第１はずれ図柄停止処理（ステップＳ３０５）に対応した値に更新する（ステップＳ１２６）。
【０２０６】
第１変動時間タイマがタイムアウトしていない場合には、強制はずれフラグがセットされているときに、第２大当り遊技の開始を指定する第２大当り開始指定コマンドが送信された場合には、強制終了フラグをセットして（ステップＳ１２８，Ｓ１２９，Ｓ１３０）、ステップＳ１２６に移行する。強制はずれフラグがセットされていないとき、および強制はずれフラグがセットされていても第２大当り指定コマンドが送信された場合でないときには、処理を終了する。なお、第２大当り開始指定コマンドが送信されたか否かを判定するには、第２特別図柄プロセス処理において、第２大当り開始指定コマンドを送信したときにその旨を示すフラグをセットしておいて、ステップＳ１２９でそのフラグを確認すればよい。
【０２０７】
また、この実施の形態では、演出制御用マイクロコンピュータ１００は、強制はずれと決定されたときに実行されている第１飾り図柄の可変表示中に、第２大当り開始指定コマンドを受信すると、第１可変表示装置９ａにおける第１飾り図柄の可変表示を終了させる制御を実行する。
【０２０８】
図２５は、第１特別図柄プロセス処理における第１大当り図柄停止処理（ステップＳ３０４）の処理を示すフローチャートである。第１大当り図柄停止処理において、ＣＰＵ５６は、第１特別図柄の変動を既に終了させた場合にはステップＳ１４３に移行する（ステップＳ１４０）。まだ終了させていない場合には、第１特別図柄の変動を終了させる（ステップＳ１４１）。例えば、ステップＳ３２の特別図柄表示制御処理で参照される終了フラグをセットする。また、演出制御基板８０に対して、第１飾り図柄停止指定コマンドを送信する制御を行う（ステップＳ１４２）。
【０２０９】
そして、第１大当り図柄表示時間タイマの値を−１し（ステップＳ１４３）、第１大当り図柄表示時間タイマの値が０になった場合には（ステップＳ１４４）、第１大当り開始指定コマンドを送信する制御を行い（ステップＳ１４５）、第１特別図柄プロセスフラグの値を第１大入賞口開放前処理（ステップＳ３０７）に対応した値に更新する（ステップＳ１４６）。
【０２１０】
以上のような第１大当り図柄停止処理によって、第１特別図柄プロセスフラグの値が第１大当り図柄停止処理に応じた値になっている時間が、ステップＳ１２５で設定された値に応じた所定時間（例えば、０．６秒）継続する。また、第２特別図柄プロセス処理が実行されるときにも、第２特別図柄プロセスフラグの値が第２大当り図柄停止処理に応じた値になっている時間が、所定時間（例えば、０．６秒）継続する。なお、そのような所定時間を設けることは必須のことではない。
【０２１１】
また、第２特別図柄プロセス処理における第２大当り図柄停止処理は、図２５に示す処理と同様に実行されるので（「第１」を「第２」と読み替えればよい。）、第２特別図柄プロセスフラグの値が第２大当り図柄停止処理に応じた値に更新された時点から第２大当り開始指定コマンドが送信されるまでに所定時間（例えば、０．６秒）が経過することになる。その所定時間は、１２ｍｓ程度以上であれば、特に限定されない。１２ｍｓ程度以上であれば、例えば、第１特別図柄プロセス処理でのステップＳ４０（図１４参照）において「Ｎ」と判定された直後に第２特別図柄プロセスフラグの値が第２大当り図柄停止処理（ステップＳ３０６に相当）に応じた値に更新されたとしても、第１特別図柄プロセス処理でのステップＳ１２９（図２４参照）の処理において、確実に、第２大当り開始指定コマンドが送信されたことを判定できる。なお、上述したように、この実施の形態では、遊技制御処理（図５参照）は例えば４ｍｓ毎に実行されるので、第１特別図柄プロセス処理（ステップＳ２６Ａ）および第２特別図柄プロセス処理（ステップＳ２６Ｂ）も、例えば４ｍｓ毎に実行される。
【０２１２】
図２６は、第１特別図柄プロセス処理における第１はずれ図柄停止処理（ステップＳ３０５）の処理を示すフローチャートである。第１はずれ図柄停止処理において、ＣＰＵ５６は、第１特別図柄の変動を終了させる（ステップＳ１５１）。例えば、ステップＳ３２の特別図柄表示制御処理で参照される終了フラグをセットする。
【０２１３】
次いで、強制終了フラグがセットされているか否か確認し（ステップＳ１５２）、強制終了フラグがセットされている場合には、強制終了フラグをリセットして（ステップＳ１５４）、ステップＳ１５５に移行する。強制終了フラグがセットされていない場合には、演出制御基板８０に対して、第１飾り図柄停止指定コマンドを送信する制御を行う（ステップＳ１５３）。そして、ステップＳ１５５に移行する。なお、ＣＰＵ５６は、ステップＳ１５１では、ステップＳ６５の処理で決定された停止図柄を第１特別図柄表示器８ａに停止表示させるように制御するが、強制終了フラグがセットされている場合には、特別図柄ではない表示結果（例えば、（「−」）やステップＳ６５の処理で決定された停止図柄とは異なる第１特別図柄であってあらかじめ決められている第１特別図柄を第１特別図柄表示器８ａに停止表示させるようにしてもよい。
【０２１４】
ステップＳ１５５では、強制はずれフラグがセットされているか否か確認し、強制はずれフラグがセットされていれば強制はずれフラグをリセットする（ステップＳ１５６）。そして、第１特別図柄プロセスフラグの値を第１特別図柄通常処理（ステップＳ３００）に対応した値に更新する（ステップＳ１５７）。
【０２１５】
図２７は、第１特別図柄プロセス処理における第１大当り終了処理（ステップＳ３０９）の処理を示すフローチャートである。第１大当り終了処理において、ＣＰＵ５６は、演出制御基板８０に、第１大当り終了指定コマンドを送信する制御を行い（ステップＳ１６１）、第１特別図柄プロセスフラグの値を第１特別図柄通常処理（ステップＳ３００）に対応した値に更新する（ステップＳ１６２）。
【０２１６】
図２８は、以上に説明したような遊技制御用マイクロコンピュータ５６０（具体的には、ＣＰＵ５６）の制御例を示すタイミング図である。ＣＰＵ５６は、第２始動口１４に遊技球が入賞したことにもとづいて大当りとするか否か決定する（すなわち、抽選する）ときに、大当りにすることに決定した場合には、第２大当りフラグをセットする（図１６のステップＳ８１参照。図１６は第１特別図柄プロセス処理における処理であるが、第２特別図柄プロセス処理でも同様の処理が実行される。）。
【０２１７】
図２８に示すＡ〜Ｄのタイミング（具体的には、変動が開始されるとき）のそれぞれにおいて、ＣＰＵ５６は、第１特別図柄プロセス処理における第１特別図柄停止図柄設定処理で、大当り判定用乱数にもとづく抽選処理により大当りとするか否か決定するが（ステップＳ６１，Ｓ６２，Ｓ６３参照）、第２大当りフラグがセットされているときには、抽選処理を実行しないようにする（ステップＳ６１，Ｓ６２，Ｓ６３の処理をスキップする）。図２８に示す例では、Ｂ，Ｃのタイミング（具体的には、変動が開始されるとき）で実行される抽選では、無条件で抽選結果をはずれにする。無条件で抽選結果をはずれにすることが強制はずれである。なお、Ａ，Ｄのタイミング（具体的には、変動が開始されるとき）で実行される抽選では、第２大当りフラグはセットされていないので、抽選結果が大当りとなることもある。
【０２１８】
そして、第２飾り図柄および第２特別図柄の変動時間が終了して第２大当り遊技が開始されるときに、第１飾り図柄および第１特別図柄の変動中であれば、第１特別図柄の停止図柄が導出表示されるとともに、遊技制御用マイクロコンピュータ５６０から演出制御用マイクロコンピュータ１００に第２大当り開始指定コマンドが送信され、第２大当り遊技が開始されるとともに、第１飾り図柄の変動が終了する。
【０２１９】
図２９は、第１変動パターン＃４および＃９の第１飾り図柄の変動態様（特殊変動ともいう。）の一例を示す説明図である。第１変動パターン＃４および＃９では変動期間（変動時間）中に、図２９（Ａ）に示すように、５つの期間（第１期間〜第５期間）において第１飾り図柄を可変表示する。それぞれの期間の間には、停止期間（仮停止期間）が設けられている。仮停止期間では、第１飾り図柄のはずれ図柄が仮停止表示される。なお、仮停止期間において、第１飾り図柄を停止表示するのではなく、第１飾り図柄を揺れ変動（表示領域において、図柄を上下方向などに往復運動させるような変動）させるようにしてもよい。
【０２２０】
また、この実施の形態では、第１変動パターン＃４および＃９の第１飾り図柄の変動態様を図２９に例示された変動態様とするが、図２９に例示された変動態様は、第１変動パターン＃４および＃９とは異なる変動パターンが指定されたときに用いられる変動態様としてもよい。
【０２２１】
また、各期間において、第１可変表示装置９ａでは、それぞれ異なる予告演出が実行される。例えば、各期間において、異なるキャラクタが第１可変表示装置９ａにおいて表示（静止表示または運動表示）される。さらに、図２９には５つの期間（仮停止期間は４つ）が例示されているが、期間の数は５に限られない。２以上（仮停止期間は１以上）であれば、幾つでもよい。また、それぞれの期間には、例えば、予告キャラクタとしてのキャラクタを表示する期間とキャラクタを表示しない期間とがあってもよい。
【０２２２】
そして、図２９（Ｂ）に示すように、第１変動パターン＃４および＃９の第１飾り図柄の可変表示が行われているときに、遊技制御用マイクロコンピュータ５６０から演出制御用マイクロコンピュータ１００に第２大当り開始指定コマンドが送信されると、第１飾り図柄の可変表示は終了する。なお、演出制御用マイクロコンピュータ１００は、第２大当り開始指定コマンドを受信すると、可変表示期間が経過していなくても、第１可変表示装置９ａにおける第１飾り図柄の可変表示を終了させる。
【０２２３】
図３０および図３１は、第１可変表示装置９ａと第２可変表示装置９ｂとにおける飾り図柄の可変表示の一例を示す説明図である。この実施の形態では、第１可変表示装置９ａと第２可変表示装置９ｂとの２つの可変表示装置において、飾り図柄の変動表示を並行して行うことが可能である。図３０および図３１において、（１）（２）（３）・・・というように番号順に表示状態が遷移する。なお、図３０および図３１において、飾り図柄としての矢印は、飾り図柄が変動中であることを示す。また、図３０および図３１には、第１特別図柄保留記憶表示器１８ａおよび第２特別図柄保留記憶表示器１８ｂの状態も例示されている。図３０および図３１に例示するような表示演出は、演出制御用マイクロコンピュータ１００によって、遊技制御用マイクロコンピュータ５６０から送られる演出制御コマンドにもとづいて実行される。
【０２２４】
図３０において、（１）の時点では、２つの可変表示装置９ａ，９ｂにおいて第１飾り図柄および第２飾り図柄の変動表示が並行して実行されている。（２）に示すように、第１可変表示装置９ａにおける第１飾り図柄の可変表示（変動）が第２可変表示装置９ｂにおける第２飾り図柄の可変表示よりも先に終了して停止図柄（はずれ図柄）が導出表示されている。第１可変表示装置９ａにおいて第１飾り図柄の停止図柄が導出表示されると、第１飾り図柄の可変表示を開始できる状態であるので、ＣＰＵ５６は、次の可変表示についての大当り判定を行う（ステップＳ６２）。大当り判定の結果が大当りであったとする。
【０２２５】
その後、第２可変表示装置９ｂにおける第２飾り図柄の可変表示が終了して停止図柄が導出され、新たな可変表示が開始される例が示されている（（３），（４））。この実施の形態では、（４）の時点から開始される可変表示については強制はずれに決定される。また、第２可変表示装置９ｂにおける第２飾り図柄の可変表示中に、予告演出が実行される例が示されている（（５））。なお、（８）の時点から開始される可変表示についても強制はずれに決定される。
【０２２６】
また、（９）の時点で、第１可変表示装置９ａにおける第１飾り図柄の可変表示が終了し、大当り図柄が導出表示されている。そして、第１可変表示装置９ａにおいて、大当りを報知するための表示がなされる（（１０）参照）。そのとき、強制はずれと判定されたことにもとづいて第２可変表示装置９ｂにおいて第２飾り図柄の可変表示が行われていた場合には、第２可変表示装置９ｂにおける第２飾り図柄の可変表示は終了される（図２４におけるステップＳ１４２（ただし、ステップＳ１４２において「第２」を「第１」と読み替え、「第１」を「第２」と読み替える。）、後述するステップＳ８２７，Ｓ８２８（ただし、ステップＳ８２７，Ｓ８２８において「第２」を「第１」と読み替え、「第１」を「第２」と読み替える。）参照）。その後、第１大当り遊技が実行されていることが示されている（（１１）〜（１２））。また、図３１には、第１大当り遊技中では新たな第１飾り図柄の可変表示は開始されず、第１大当り遊技が終了すると、新たな第１飾り図柄の可変表示が開始される例が示されている。
【０２２７】
図３１には、第１大当り遊技が開始されるときに、第２可変表示装置９ｂにおける第２飾り図柄の可変表示は終了し、はずれ図柄が導出表示される例が示されている。しかし、他の態様で第２可変表示装置９ｂにおける第２飾り図柄の可変表示を終了させるようにしてもよい。図３２には、はずれ図柄を導出表示せずに第２可変表示装置９ｂにおける第２飾り図柄の可変表示を終了させる例が示されている。
【０２２８】
図３２（Ａ）には、第２飾り図柄の可変表示を終了させるときに、一旦はずれ図柄が停止表示されるが、続いて、左中右の飾り図柄がフェードアウトされる例が示されている。また、図３２（Ｂ）には、第２飾り図柄の可変表示を終了させるときに、はずれ図柄ではなく、飾り図柄以外の演出画像であるキャラクタ画像が表示される例が示されている。なお、図３２（Ｂ）には、左中右の飾り図柄の表示領域に同じキャラクタが表示される例が示されているが、左中右のキャラクタ画像は異なっていてもよい。
【０２２９】
図３２に示すような表示態様は、演出制御用マイクロコンピュータ１００の制御によって実現される。具体的には、後述する第２飾り図柄変動停止処理において、第１大当り遊技が開始されたことにもとづいて第２飾り図柄の可変表示を終了させるときに（より具体的には、第２大当り開始指定コマンドを受信したときに）、第２可変表示装置９ｂにおいて図３２（Ａ）に例示されたような表示が行われるように制御したり、図３２（Ｂ）に例示されたような表示が行われるように制御したりする。
【０２３０】
なお、ここでは、第１大当り遊技が開始されたことにもとづいて第２飾り図柄の可変表示を終了させる場合について説明したが、第２大当り遊技が開始されたことにもとづいて第１飾り図柄の可変表示を終了させる場合も同様に制御される。
【０２３１】
また、はずれ図柄を導出表示せずに第２可変表示装置９ｂにおける第２飾り図柄の可変表示を終了させるときの表示態様は、図３２に例示したような表示態様に限られない。例えば、図３２（Ａ）に示す例に代えて、第２飾り図柄が変動しつつフェードアウトされるようにしてもよい。また、識別情報（この例では、第２飾り図柄）以外の演出画像として、キャラクタを表示するのではなく、無表示（識別情報も客他も表示しない。すなわち背景表示のみ。）にしてもよい。また、演出画像として、第２飾り図柄とキャラクタとの双方を表示するようにしてもよい。さらに、所定期間、運動するキャラクタ等を表示するようにしてもよい。
【０２３２】
次に、演出制御手段の動作を説明する。図３３は、演出制御基板８０に搭載されている演出制御用マイクロコンピュータ１００（具体的には、演出制御用ＣＰＵ１０１）が実行するメイン処理を示すフローチャートである。演出制御用ＣＰＵ１０１は、電源が投入されると、メイン処理の実行を開始する。メイン処理では、まず、ＲＡＭ領域のクリアや各種初期値の設定、また演出制御の起動間隔を決めるためのタイマの初期設定等を行うための初期化処理を行う（ステップＳ７０１）。その後、演出制御用ＣＰＵ１０１は、タイマ割込フラグの監視（ステップＳ７０２）を行うループ処理に移行する。タイマ割込が発生すると、演出制御用ＣＰＵ１０１は、タイマ割込処理においてタイマ割込フラグをセットする。メイン処理において、タイマ割込フラグがセットされていたら、演出制御用ＣＰＵ１０１は、そのフラグをクリアし（ステップＳ７０３）、以下の演出制御処理を実行する。
【０２３３】
演出制御処理において、演出制御用ＣＰＵ１０１は、まず、受信した演出制御コマンドを解析する（コマンド解析処理：ステップＳ７０４）。次いで、演出制御用ＣＰＵ１０１は、第１演出制御プロセス処理を行う（ステップＳ７０５Ａ）。第１演出制御プロセス処理では、制御状態に応じた各プロセスのうち、現在の制御状態（第１演出制御プロセスフラグ）に対応した処理を選択して第１可変表示装置９ａの表示制御を実行する。また、第２演出制御プロセス処理を行う（ステップＳ７０５Ｂ）。第２演出制御プロセス処理では、制御状態に応じた各プロセスのうち、現在の制御状態（第２演出制御プロセスフラグ）に対応した処理を選択して第２可変表示装置９ｂの表示制御を実行する。さらに、予告決定用乱数などの乱数を生成するためのカウンタのカウンタ値を更新する乱数更新処理を実行する（ステップＳ７０６）。その後、ステップＳ７０２に移行する。
【０２３４】
なお、遊技制御用マイクロコンピュータ５６０から送信された演出制御コマンドは、演出制御ＩＮＴ信号にもとづくコマンド受信割込処理で受信され、ＲＡＭに形成されているバッファ領域に保存されている。コマンド解析処理では、バッファ領域に保存されている演出制御コマンドがどのコマンド（図１３参照）であるのか解析し、受信したコマンドに応じてフラグ（例えば、変動パターンコマンドが受信されたことを示すフラグ）をセットする。
【０２３５】
図３４は、図３３に示されたメイン処理における第１演出制御プロセス処理（ステップＳ７０５Ａ）を示すフローチャートである。第１演出制御プロセス処理では、演出制御用ＣＰＵ１０１は、第１演出制御プロセスフラグの値に応じてステップＳ８００〜Ｓ８０６のうちのいずれかの処理を行う。各処理において、以下のような処理を実行する。なお、第２演出制御プロセス処理（ステップＳ７０５Ｂ）も、制御対象が第２可変表示装置９ｂであるという違いはあるが、第１演出制御プロセス処理と同様に構成される。
【０２３６】
第１変動パターンコマンド受信待ち処理（ステップＳ８００）：コマンド受信割込処理によって、変動パターン指定の演出制御コマンド（変動パターンコマンド）を受信したか否か確認する。具体的には、変動パターンコマンドが受信されたことを示すフラグ（第１変動パターン受信フラグ）がセットされたか否か確認する。第１変動パターン受信フラグは、演出制御用ＣＰＵ１０１が実行するコマンド解析処理で第１変動パターン＃１〜＃１０のいずれか（８００１（Ｈ）〜８００Ａ（Ｈ）のいずれか）が受信されたことが確認された場合にセットされる。変動パターンコマンドを受信した場合には、第１飾り図柄の変動態様（変動期間中の飾り図柄の変動速度や、背景，キャラクタの種類、キャラクタの表示開始時期など）を、それぞれの変動パターンに応じてあらかじめ決められている複数種類のうちから選択する。なお、それぞれの変動パターンについて、あらかじめ１種類の変動態様が決められている場合には、受信した変動パターンに応じた変動態様を使用することに決定する。そして、演出制御プロセスフラグの値を第１予告選択処理（ステップＳ８０１）に対応した値に更新する。なお、演出制御用ＣＰＵ１０１は、例えば第１飾り図柄の変動態様を決定した後に、左中右の飾り図柄の停止図柄（変動時間が経過したときに導出表示される図柄）を決定する。確変大当り指定コマンドを受信した場合には、確変図柄を想起させるような飾り図柄の組み合わせ（例えば「７」，「７」，「７」）に決定するが、通常大当り指定コマンドを受信した場合には、例えば乱数を用いた抽選によって左中右が揃った飾り図柄の組み合わせ（「７」，「７」，「７」を除く。）に決定する。また、はずれ指定コマンドを受信している場合には、例えば乱数を用いた抽選によって、左右が一致しない飾り図柄の組み合わせ（リーチを伴わない変動パターコマンドを受信している場合）、または左右が一致しているが中の飾り図柄が一致しない飾り図柄の組み合わせ（リーチを伴う変動パターコマンドを受信している場合）に決定する。
【０２３７】
第１予告選択処理（ステップＳ８０１）：図２９に例示された予告（以下、連続予告ともいう。）演出を実行するか否かと、実行する場合の演出態様を決定する。そして、演出制御プロセスフラグの値を第１飾り図柄変動開始処理（ステップＳ８０２）に対応した値に更新する。なお、第１変動パターン＃４および＃９以外の第１飾り図柄の変動を実行するときに、例えばキャラクタ画像を用いた予告演出（連続予告以外の予告演出、特別図柄の停止図柄が大当り図柄となること、またはリーチが発生することを事前に報知するための演出）を行うか否かと、行う場合の予告演出の種類を決定するようにしてもよい。その場合には、例えば、第１可変表示装置９ａの表示結果が大当り図柄になる場合には、予告演出を行うことに決定する。そのときに、１００％の確率で予告演出を実行するのではなく、予告演出する／しないを、乱数を用いて抽選によって決定するようにしてもよい。第１可変表示装置９ａの表示結果が大当り図柄になるか否かは、どの表示結果コマンド（確変大当り指定コマンド、通常大当り指定コマンド、はずれ指定コマンド）を受信したかによって判定できる。
【０２３８】
なお、この実施の形態では、連続予告以外の予告演出を実行する場合には、第１飾り図柄についての予告演出（第１可変表示装置９ａの表示結果が大当り図柄になることを遊技者に予告するための演出）を、第１可変表示装置９ａで実行するが、遊技の興趣をさらに向上させるために、例えば第２可変表示装置９ｂの表示結果が大当り図柄になることを第１可変表示装置９ａでの演出によって予告するようにしてもよい。その場合には、第１予告選択処理において、例えば、そのときに第２可変表示装置９ｂで実行されている可変表示の表示結果が大当り図柄になるか否か判定し、大当り図柄になると判定した場合には、予告演出を行うことに決定する。そのときに、１００％の確率で予告演出を実行するのではなく、予告演出する／しないを、乱数を用いて抽選によって決定するようにしてもよい。さらには、大当り図柄にならないと判定した場合にも、少ない確率で予告演出を実行するようにしてもよい。
【０２３９】
また、この実施の形態のように、第１可変表示装置９ａの表示結果が大当り図柄になることを第１可変表示装置９ａで実行される演出によって予告（連続予告以外の予告演出による。）する場合には、第１可変表示装置９ａで実行される予告演出として、第１可変表示装置９ａの表示結果が大当り図柄になることを予告するための演出と、第２可変表示装置９ａの表示結果が大当り図柄になることを予告するための演出（連続予告の予告演出による。）とが存在することになるので、遊技者に予告対象をわかりづらくすることができ、遊技の興趣を向上させることができる。また、第１可変表示装置９ａの表示結果が大当り図柄になることを第１可変表示装置９ａで実行される演出によって予告する場合にも、１００％の確率で予告演出を実行するのではなく、予告演出する／しないを、乱数を用いて抽選によって決定するようにしてもよい。さらには、第１可変表示装置９ａの表示結果が大当り図柄になることを第１可変表示装置９ａで実行される演出によって予告する場合に、大当り図柄にならないと判定した場合に、少ない確率で予告演出を実行するようにしてもよい。
【０２４０】
また、この実施の形態では、連続予告以外の予告演出については、演出制御用マイクロコンピュータ１００（具体的には、演出制御用ＣＰＵ１０１）が表示結果コマンドにもとづいて独自に予告演出を実行する／しないと予告演出の種類とを決定しているが、予告演出を実行する／しないを、遊技制御用マイクロコンピュータ５６０が決定するようにしてもよい。遊技制御用マイクロコンピュータ５６０が決定する場合には、例えば、予告ありを示す変動パターンコマンドと予告なしを示す変動パターンコマンドとを用いたり、予告ありを示す表示結果コマンドと予告なしを示す表示結果コマンドとを用いたりする。そして、演出制御用マイクロコンピュータ１００は、受信した変動パターンコマンドまたは受信した表示結果コマンドによって、予告演出を実行するかしないかを決定する。
【０２４１】
第１飾り図柄変動開始処理（ステップＳ８０２）：左中右の飾り図柄の変動が開始されるように制御する。そして、演出制御プロセスフラグの値を第１飾り図柄変動中処理（ステップＳ８０３）に対応した値に更新する。
【０２４２】
第１飾り図柄変動中処理（ステップＳ８０３）：変動パターンに応じて決められている変動時間の終了を監視する。また、左右図柄の停止制御を行う。変動時間が終了したら、演出制御プロセスフラグの値を第１飾り図柄停止処理（ステップＳ８０４）に対応した値に更新する。なお、第１飾り図柄変動中処理では、変動パターンを構成する各変動状態（変動速度）の切替タイミングの制御も行う。
【０２４３】
第１飾り図柄停止処理（ステップＳ８０４）：第１飾り図柄の変動を最終停止し停止図柄を表示する制御を行う。そして、演出制御プロセスフラグの値を第１変動パターンコマンド受信待ち処理（ステップＳ８００）または第１大当り表示処理（ステップＳ８０５）に対応した値に更新する。
【０２４４】
第１大当り表示処理（ステップＳ８０５）：遊技制御用マイクロコンピュータ５６０から第１大当り開始指定コマンドを受信したら、大当り表示の制御を行う（図３１（１０）参照）。そして、演出制御プロセスフラグの値を第１大当り遊技中処理（ステップＳ８０６）に対応した値に更新する。
【０２４５】
第１大当り遊技中処理（ステップＳ８０６）：大当り遊技中の制御を行う。例えば、大入賞口開放前表示や大入賞口開放時表示の演出制御コマンドを受信したら、ラウンド数の表示制御等を行う。大当り遊技が終了したら、演出制御プロセスフラグの値を第１変動パターンコマンド受信待ち処理（ステップＳ８００）に対応した値に更新する。なお、演出制御用マイクロコンピュータ１００は、遊技制御用マイクロコンピュータ５６０から第１大当り終了指定コマンドを受信したことによって、大当り遊技が終了したことを確認する。
【０２４６】
図３５は、第１予告選択処理（ステップＳ８０１）を示すフローチャートである。第１予告選択処理において、演出制御用ＣＰＵ１０１は、第１変動パターン＃４指定コマンドまたは第１変動パターン＃９指定コマンドを受信しているか否か判定する（ステップＳ８１１）。いずれかを受信している場合には、予告決定用乱数を抽出し、予告決定用乱数と予告決定テーブルとにもとづいて、連続予告演出を行うか否かと、行う場合の連続予告演出の演出態様を決定する（ステップＳ８１２）。
【０２４７】
図３６は、予告決定テーブルの一例を示す説明図である。図３６に示す例では、予告決定用乱数（この例では、０〜７のいずれか）の値が０、１、３または５であれば、予告演出Ａという演出態様の連続予告演出を行うことに決定される。また、予告決定用乱数の値が７であれば、予告演出Ｂという演出態様の連続予告演出を行うことに決定される。そして、予告決定用乱数の値が２または４であれば、連続予告演出を行わないことに決定する。なお、予告演出Ａは、第２期間および第４期間（図２９参照）において予告演出を行う演出態様であり、予告演出Ｂは、第１期間〜第５期間（図２９参照）において予告演出を行う演出態様である。
【０２４８】
なお、図３６に示す予告演出の選択方法は一例であって、予告演出として他の態様を使用してもよい。例えば、第１期間〜第５期間（図２９参照）のうちの１つの期間のみにおいて予告演出を行う演出態様を用いてもよいし、図２９に示されたような複数の期間からなる変動態様を使用せず、通常の変動態様（変動時間中に変動停止期間がない変動態様）において予告演出を含むような変動態様を用いてもよい。さらに、この実施の形態では、複数の期間からなる変動態様は強制はずれとする場合にのみ使用されるが、そうでない場合（例えば、可変表示の表示結果を大当りとする場合）にも使用するようにしてもよい。
【０２４９】
また、この実施の形態では、複数の期間において予告演出を行う場合に、演出制御用ＣＰＵ１０１は、各期間において異なるキャラクタが第１可変表示装置９ａにおいて表示（静止表示または運動表示）されるように制御するが（図２９参照）、各期間において同じキャラクタが表示されるように制御してもよい。さらに、複数の期間（例えば５期間）のうちのいくつかの期間（例えば２期間）では同じキャラクタが表示され、他の期間では異なるキャラクタが表示されるように制御してもよい。
【０２５０】
また、演出制御用ＣＰＵ１０１は、第１予告選択処理において、複数期間からなる変動態様を用いることに決定した場合に、それぞれの期間の間の停止期間に仮停止表示させるはずれ図柄（仮停止図柄）の種類を例えば抽選によって決定するようにしてもよい。すなわち、仮停止表示結果として仮停止表示される識別情報を選択する仮停止識別情報選択手段を含んでいてもよい。その場合、仮停止識別情報選択手段として動作する演出制御用ＣＰＵ１０１は、変動時間が経過したときに停止表示される飾り図柄と同じ図柄を仮停止図柄として決定してもよいが、停止表示される飾り図柄とは異なる飾り図柄を仮停止図柄として決定することが好ましい。さらに、この実施の形態では、遊技制御用マイクロコンピュータ５６０で実現される事前決定手段は、可変表示の表示結果を大当り図柄とするか否かを決定しているが、事前決定手段が停止図柄まで決定するように構成されている場合には、演出制御用ＣＰＵ１０１は、事前決定手段が決定した停止図柄と同じ図柄を仮停止図柄として決定してもよいが、停止図柄とは異なる飾り図柄を仮停止図柄として決定することが好ましい。さらに、この実施の形態では、複数期間からなる変動態様は、飾り図柄の変動態様として用いられるが、特別図柄についても、複数期間からなる変動態様を用いるようにしてもよい。
【０２５１】
なお、上述したように連続予告以外の予告演出を実行する場合には、演出制御用ＣＰＵ１０１は、第１予告選択処理において、予告する／しないと予告種類を決定する。
【０２５２】
図３７は、プロセステーブルの一構成例を示す説明図である。プロセステーブルは、プロセスタイマ設定値と表示制御実行データ、ランプ制御実行データおよび音番号データの組み合わせが複数集まったデータで構成されている。表示制御実行データには、可変表示の可変表示時間（変動時間）中の変動態様を構成する各変動の態様が記載されている。また、プロセスタイマ設定値には、その変動の態様での変動時間が設定されている。演出制御用ＣＰＵ１０１は、プロセステーブルを参照し、プロセスタイマ設定値に設定されている時間だけ表示制御実行データに設定されている変動の態様で飾り図柄を変動表示させる制御を行う。
【０２５３】
また、演出制御用ＣＰＵ１０１は、表示制御実行データにもとづく制御と同様に、プロセスタイマ設定値に設定されている時間だけランプ制御実行データにもとづいて各種ランプの点灯状態を制御し、音番号データを音声出力基板７０に出力する。
【０２５４】
図３７に示すプロセステーブルは、演出制御基板８０におけるＲＯＭに格納されている。また、プロセステーブルは、各変動パターンに応じた変動態様のそれぞれに応じて用意されている。さらに、予告演出を実行する場合に演出態様の違いに応じて異なるプロセステーブルが用意されている。すなわち、この実施の形態では、予告演出の演出態様は、選択されたプロセステーブルに設定されているプロセスデータにもとづいて実現される。つまり、演出制御用ＣＰＵ１０１は、予告演出を実行するときに、予告演出の演出態様に応じたプロセステーブルの内容に従って演出制御を行う。従って、飾り図柄の仮停止を伴う予告演出を実行するときには、演出制御用ＣＰＵ１０１は、あらかじめ決定されている表示結果とは異なる仮停止表示結果を仮停止表示する仮停止手段と、仮停止識別情報選択手段により選択された識別情報を仮停止手段により仮停止表示させる演出表示を実行する演出表示実行手段とを含む。なお、この実施の形態では、演出制御用ＣＰＵ１０１は、第１変動パターン＃４または第１変動パターン＃９を示す変動パターンコマンドを受信したときに、図２９に示すような予告演出を実行するので、それらを含む変動パターンテーブル（図１９参照）が、第２可変表示態様データ記憶手段に相当する。
【０２５５】
図３８は、演出制御プロセス処理における第１飾り図柄変動開始処理（ステップＳ８０２）を示すフローチャートである。第１飾り図柄変動開始処理において、演出制御用ＣＰＵ１０１は、まず、使用する飾り図柄の変動パターンに応じたプロセステーブルを選択する（ステップＳ８４１）。そして、選択したプロセステーブルにおけるプロセスデータ１のプロセスタイマ設定値をプロセスタイマに設定してプロセスタイマをスタートさせる（ステップＳ８４２）。次いで、演出制御用ＣＰＵ１０１は、プロセスデータ１の内容（表示制御実行データ１、ランプ制御実行データ１、音番号データ１）に従って演出装置（第１可変表示装置９ａ、各種ランプ、スピーカ２７）の制御を実行する（ステップＳ８４３）。例えば、第１可変表示装置９ａにおいて変動パターンに応じた画像を表示させるために、ＶＤＰ１０９に制御信号（表示制御実行データ）を出力する。また、各種ランプを点灯／消灯制御を行わせるために、ランプドライバ基板３５に対して制御信号（ランプ制御実行データ）を出力する。また、スピーカ２７からの音声出力を行わせるために、音声出力基板７０に対して制御信号（音番号データ）を出力する。そして、変動時間に応じた値を変動時間タイマに設定して変動時間タイマをスタートさせ（ステップＳ８４４）、第１演出制御プロセスフラグの値を第１飾り図柄変動中処理（ステップＳ８０３）に応じた値に更新する（ステップＳ８４５）。
【０２５６】
図３９は、第１演出制御プロセス処理における第１飾り図柄変動中処理（ステップＳ８０３）を示すフローチャートである。第１飾り図柄変動中処理において演出制御用ＣＰＵ１０１は、プロセスタイマを１減算するとともに（ステップＳ８２１）、変動時間タイマを１減算する（ステップＳ８２２）。プロセスタイマがタイムアップしたら、プロセスデータの切替を行う（ステップＳ８２３，Ｓ８２４）。すなわち、プロセステーブルにおける次に設定されているプロセスタイマ設定値をプロセスタイマに設定するとともに、その次に設定されている表示制御実行データ、ランプ制御実行データおよび音番号データにもとづいて演出装置に対する制御状態を変更する。
【０２５７】
また、変動時間タイマがタイムアウトしていれば（ステップＳ８２５）、第１演出制御プロセスフラグの値を第１飾り図柄停止処理（ステップＳ８０４）に応じた値に更新する（ステップＳ８２６）。なお、変動時間タイマがタイムアウトしていない状態で第１飾り図柄停止指定コマンドを受信したときに第１演出制御プロセスフラグの値を第１飾り図柄停止処理（ステップＳ８０４）に応じた値に更新するようにしてもよいし、変動時間タイマがタイムアウトし、かつ、第１飾り図柄停止指定コマンドを受信したときに第１演出制御プロセスフラグの値を第１飾り図柄停止処理（ステップＳ８０４）に応じた値に更新するようにしてもよい。
【０２５８】
変動時間タイマがタイムアウトしていない場合には、変動開始時に第１強制はずれ指定コマンドを受信したか否か確認する（ステップＳ８２７）。受信している場合には、第２大当り開始指定コマンドを受信したか否か確認する（ステップＳ８２８）。この実施の形態では、第２大当り開始指定コマンドを受信した場合には、演出制御用ＣＰＵ１０１は、変動時間タイマがタイムアウトしていなくても、すなわち、まだ変動時間が経過していなくても、ステップＳ８２６に移行する。
【０２５９】
ステップＳ８０４の第１飾り図柄停止処理では、演出制御用ＣＰＵ１０１は、左中右の飾り図柄（第１飾り図柄）の停止図柄を最終停止させる（導出表示する）のであるが、この実施の形態では、ステップＳ８２８で第２大当り開始指定コマンドを受信したことを確認した場合にも、第１飾り図柄停止処理において、左中右の飾り図柄（第１飾り図柄）の停止図柄（はずれ図柄である。）を導出表示する。なお、導出表示される停止図柄は、ステップＳ８００において、変動時間が経過したときに導出表示されることに決定されている停止図柄、すなわち遊技制御用マイクロコンピュータ５６０で実現される第１事前決定手段の決定結果にもとづく表示結果としての飾り図柄と同じ図柄である。ただし、ステップＳ８２８で第２大当り開始指定コマンドを受信したことを確認した場合には、演出制御用ＣＰＵ１０１は、変動時間が経過したときに導出表示されることに決定されている停止図柄ではない表示結果（例えば、（「−」「−」「−」）やステップＳ８００の処理で決定された停止図柄とは異なる第１飾り図柄であってあらかじめ決められている第１飾り図柄を第１可変表示装置９ａに停止表示させるように制御してもよい。
【０２６０】
ただし、図３２（Ａ）や図３２（Ｂ）に例示したような変形例を用いる場合には、演出制御用ＣＰＵ１０１は、第１飾り図柄停止処理において、ステップＳ８２８で第２大当り開始指定コマンドを受信したことを確認したら、図３２（Ａ）や図３２（Ｂ）に例示したような表示制御を行う。具体的には、例えば、ＶＤＰ１０９に、そのような表示を行うように指令する。ＶＤＰ１０９は、指令に応じて、図３２（Ａ）に示すようなフェードアウト処理を実行したり、図３２（Ｂ）に示すような演出画像の表示制御を行う。
【０２６１】
以上に説明したように、この実施の形態では、強制はずれとすることに決定されたことにもとづいて第１飾り図柄の可変表示（または、第２飾り図柄の可変表示）が行われている場合に第２大当り遊技（または、第１大当り遊技）が開始されるときに第１飾り図柄の可変表示（または、第２飾り図柄の可変表示）を終了させるので、第２可変表示装置９ｂ（または、第１可変表示装置９ａ）に大当り図柄が導出表示されることを、第１可変表示装置９ａ（または、第２可変表示装置９ｂ）における可変表示にもとづいて遊技者に認識され難くすることができる。
【０２６２】
強制はずれとすることに決定されたことにもとづいて実行される第１飾り図柄の可変表示の変動パターンとして、長い変動時間のものが選択された場合において、例えば、第２大当り遊技中では第１飾り図柄の可変表示を中断させる（変動時間の経過の測定を中断する）ように制御すると、第２大当り遊技が終了して第１飾り図柄の可変表示が再開されると、その可変表示が長時間継続する可能性がある（例えば、第１飾り図柄の可変表示が開始されてからすぐに中断されたような場合）。そのような場合に、大当り遊技が終了した後に再開される可変表示では表示結果がはずれ図柄になることを把握している遊技者は、遊技球の打ち出しを止めてしまうしまう可能性がある。特に、保留記憶数が多い場合には、遊技者がそのようにする可能性が高い。すると、遊技者にとって無駄な時間が発生することになる。また、遊技店にとって、遊技機の稼働率が低下する。さらには、遊技者にとって、可変表示の表示結果を事前に把握できることになるので、その可変表示が行われている方の可変表示装置に対する興味を失うことになる。
【０２６３】
しかし、この実施の形態のように、第１飾り図柄の可変表示（または、第２飾り図柄の可変表示）が行われている場合に第２大当り遊技（または、第１大当り遊技）が開始されるときに第１飾り図柄の可変表示（または、第２飾り図柄の可変表示）を終了させれば、むやみに長い可変表示が実行されることが防止される。よって、大当り遊技に関連して可変表示の表示結果を推測することが困難になり、遊技者にとって無駄な時間が発生したり遊技機の稼働率が低下することを防止できるようになる。
【０２６４】
また、強制はずれとされたときには、高い確率で、連続予告演出を伴う変動パターン＃４および＃９の変動を実行することによって、一種の大当り予告（第２可変表示装置９ｂの停止図柄が大当り図柄になることの予告）が実現されている。変動パターン＃４および＃９の変動は、第２可変表示装置９ｂの停止図柄が大当り図柄になることに決定されている場合に実行されるからである。
【０２６５】
実施の形態２．
第１の実施の形態（実施の形態１）では、強制はずれ時の特殊変動パターンである変動パターン＃４および＃９を実行するようにしたが、そのような変動パターンを用いることなく、強制はずれ時の特殊変動パターンを実現することができる。第２の実施の形態（実施の形態２）では、図４０に示すように、変動パターン＃４は用いられない。なお、図４０には通常状態において使用される変動パターンが示されているが、確変状態において用いられる変動パターンにおいて、変動パターン＃９は用いられない。そして、強制はずれとされたときに用いられる変動パターンテーブルの内容と大当り判定の結果はずれとされたときに用いられる変動パターンテーブルの内容とを同じにする。または、強制はずれとされたときにも大当り判定の結果はずれとされたときにも、同じ変動パターンテーブルを用いる。
【０２６６】
図４１は、この実施の形態における第１変動パターン設定処理（図１７および図１８参照）におけるステップＳ１１５の処理を示すフローチャートである。なお、第１変動パターン送信処理におけるステップＳ１１５以外の処理は、第１の実施の形態の場合と同様である。
【０２６７】
そして、この実施の形態では、ステップＳ１１５において、ＣＰＵ５６は、強制はずれフラグがセットされている場合には、変動パターンコマンドとして、８１ＸＸ（Ｈ）を送信する（ステップＳ１１５ａ，１１５ｂ）。つまり、８０ＸＸ（Ｈ）の「０」の部分を「１」に変更する。また、強制はずれフラグがセットされていない場合には、変動パターンコマンドとして、８０ＸＸ（Ｈ）を送信する（ステップＳ１１５ａ，１１５ｃ）。８０ＸＸ（Ｈ）は、図１３に示された変動パターンコマンドの内容と同じである。８１ＸＸ（Ｈ）は、ＥＸＴデータ（ＸＸの部分）は、図１３に示された変動パターンコマンドのＥＸＴデータと同じである。また、８０ＸＸ（Ｈ）で特定される変動パターンの変動時間と、８１ＸＸ（Ｈ）で特定される変動パターンの変動時間とは同じである（「ＸＸ」が同じとき）。
【０２６８】
そして、演出制御用ＣＰＵ１０１は、第１予告選択処理において、変動パターン＃４指定コマンドまたは変動パターン＃９指定コマンドを受信したか否か判定する処理（ステップＳ８１１）に代えて、８１ＸＸ（Ｈ）の変動パターンコマンドを受信したか否か判定する。８１ＸＸ（Ｈ）の変動パターンコマンドを受信した場合には、予告決定用乱数にもとづいて、連続予告演出を実行するか否かと、実行する場合の演出態様を決定する。なお、予告決定テーブルの内容は、図３６に示されたものとは異なる。
【０２６９】
例えば、変動パターン＃１，＃２，＃３，＃５，＃６，＃７，＃８，＃１０のそれぞれに対応して、図３６に示されたような予告決定テーブルが用意され、受信した変動パターンコマンドの種類に応じて、対応する予告決定テーブルを用いて、連続予告演出を実行するか否かと、実行する場合の演出態様を決定する。なお、８１ＸＸ（Ｈ）の変動パターンコマンドを受信し、連続予告演出を実行することに決定された場合には、変動態様を図２９に示されたような変動態様にする。
【０２７０】
このような制御によっても、一種の大当り予告（第２可変表示装置９ｂの停止図柄が大当り図柄になることの予告）が実現される。８１ＸＸ（Ｈ）の変動パターンコマンドを受信したときに実行される変動態様が、強制はずれ時の特殊変動パターンに相当するからである。
【０２７１】
なお、遊技制御用マイクロコンピュータ５６０は、強制はずれフラグがセットされているときに、常に８１ＸＸ（Ｈ）の変動パターンコマンドを送信するのではなく、抽選によって８１ＸＸ（Ｈ）の変動パターンコマンドを送信するか否か決定するようにしてもよい。その場合、８１ＸＸ（Ｈ）の変動パターンコマンドを送信しないことに決定した場合には、８０ＸＸ（Ｈ）の変動パターンコマンドを送信する。
【０２７２】
実施の形態３．
第１の実施の形態および第２の実施の形態では、遊技制御用マイクロコンピュータ５６０が、強制はずれフラグにもとづいて、強制はずれ時の特殊変動パターンを決定するようにしたが、演出制御用マイクロコンピュータ１００が、独自に強制はずれ時の特殊変動パターンを実現するようにしてもよい。
【０２７３】
この実施の形態（第３の実施の形態）では、図１７および図１８に示されたステップＳ１０６，Ｓ１１２〜Ｓ１１４の処理を実行しない。すなわち、強制はずれとされたときにも大当り判定の結果はずれとされたときにも同じ変動パターンテーブルが用いられる。従って、演出制御用ＣＰＵ１０１は、強制はずれとされたのか大当り判定の結果はずれとされたのかを区別できない。
【０２７４】
そこで、演出制御用ＣＰＵ１０１は、図４２に示すように、停止図柄を大当り図柄とする第２飾り図柄の変動が実行されている場合には（ステップＳ８１１ａ）、連続予告演出を実行するか否かと、実行する場合の演出態様を決定する（ステップＳ８１２）。
【０２７５】
停止図柄を大当り図柄とする第２飾り図柄の変動が実行されているか否かは、第２演出制御プロセスフラグの値が第２飾り図柄変動中処理に対応した値であり、かつ、第２変動パターンを指定する演出制御コマンドとともに確変大当り指定コマンドまたは通常大当り指定コマンドが送信されたか否かによって判定できる。
【０２７６】
この実施の形態でも、例えば、変動パターン＃１，＃２，＃３，＃５，＃６，＃７，＃８，＃１０のそれぞれに対応して、図３６に示されたような予告決定テーブルが用意され、ステップＳ８１２では、受信した変動パターンコマンドの種類に応じて、対応する予告決定テーブルを用いて、連続予告演出を実行するか否かと、実行する場合の演出態様を決定する。なお、連続予告演出を実行することに決定された場合には、変動態様を図２９に示されたような変動態様にする。また、予告決定テーブルは、強制非特定表示結果決定手段が第１の可変表示装置９ａの飾り図柄の表示結果を特定表示結果（大当り図柄）にしないことに決定したときに使用される可変表示態様を示すデータが設定された可変表示態様テーブルに相当することになる。
【０２７７】
このような制御によっても、一種の大当り予告（第２可変表示装置９ｂの停止図柄が大当り図柄になることの予告）が実現される。連続予告演出を伴う変動態様が、強制はずれ時の特殊変動パターンに相当するからである。
【０２７８】
実施の形態４．
図４３は、第４の実施の形態（実施の形態４）における演出制御用ＣＰＵ１０１が実行する第１予告選択処理を示すフローチャートである。第１予告選択処理において、演出制御用ＣＰＵ１０１は、停止図柄を大当り図柄とする第２飾り図柄の変動が実行されている場合には（ステップＳ８１１ａ）、受信した変動パターンコマンドが示す変動パターンの変動時間を特定する（ステップＳ８１３）。また、第２飾り図柄の変動時間の残り時間を特定する（ステップＳ８１４）。第２飾り図柄の変動時間の残り時間は、第２演出制御プロセス制御において用いられている変動時間タイマ（図３９参照）の値で特定される。
【０２７９】
なお、この実施の形態でも、ＣＰＵ５６は、図１７および図１８に示されたステップＳ１０６，Ｓ１１２〜Ｓ１１４の処理を実行しない。すなわち、強制はずれとされたときにも大当り判定の結果はずれとされたときにも同じ変動パターンテーブルが用いられる。
【０２８０】
さらに、演出制御用ＣＰＵ１０１は、第２飾り図柄の変動時間の残り時間中に、少なくとも２期間（図２９参照、例えば、ステップＳ８１３で特定した変動時間の２／５）の変動が可能であるか否か判定する（ステップＳ８１５）。可能であれば、図２９に示されたような連続予告を伴う第１図柄の可変表示を実行することにする（ステップＳ８１６）。ただし、少なくとも２期間の可変表示が実行されるが、図２９に示された５期間全ての可変表示が実行されるとは限らない。また、ステップＳ８１６において、いずれかの１期間または２以上の期間において予告演出を行うか否か抽選によって決定する。具体的には乱数を発生させ、発生された乱数と所定の判定値（予告演出を行う期間に対応して定義されている。）とを比較することによって、いずれかの１期間または２以上の期間において予告演出を行うか否か決定する。
【０２８１】
ステップＳ８１５で１期間以下の時間でしか可変表示を行うことができないと判定した場合には、その期間において予告演出を行うことが可能であるか否か判定する（ステップＳ８１７）。例えば、短期間の特別の予告演出（例えば、予告用のキャラクタを運動表示させて予告演出を実行するときに運動する時間を短くしたような演出）を用意し、その期間よりも第２飾り図柄の変動時間の残り時間が長い場合に予告演出を行うことが可能であるとする。予告演出を行うことが可能である場合には、特別の予告演出を実行することに決定する。
【０２８２】
このような制御によっても、一種の大当り予告（第２可変表示装置９ｂの停止図柄が大当り図柄になることの予告）が実現される。連続予告演出を伴う変動態様が、強制はずれ時の特殊変動パターンに相当し、また、特別の予告演出を伴う変動パターンが強制はずれ時の特殊変動パターンに相当するからである。
【０２８３】
なお、ステップＳ８１４，Ｓ８１５，Ｓ８１７，Ｓ８１８の処理を実行しないようにしてもよい。その場合には、常に５期間の連続予告を伴う変動パターンによって第１飾り図柄の可変表示が行われることになるが、第１の実施の形態の場合と同様に、第２可変表示装置９ｂに大当り図柄が導出表示されたときに、以降の期間において予告演出は実行されない。また、常に５期間の連続予告を伴う変動パターンを用いるのではなく、抽選によって通常の変動パターン（連続予告を伴わない変動パターン）を用いるのか連続予告を伴う変動パターンを用いるのかを決定し、かつ、連続予告を伴う変動パターンを用いると決定した場合に、第１の実施の形態の場合と同様に、いずれの期間において予告演出を行うのかを決定するようにしてもよい。また、ステップＳ８１５において少なくとも２期間分の時間以上あるか否か判定するのは、変動開始時点と第２可変表示装置９ｂに大当り図柄が導出表示される時点との間の時間が短いと、遊技者に、連続予告が第２可変表示装置９ｂに大当り図柄が導出表示されることの予告であることを認識させることができないおそれがあるからである。
【０２８４】
実施の形態５．
図４４は、第５の実施の形態（実施の形態５）における大当り予告（第２可変表示装置９ｂの停止図柄が大当り図柄になることの予告）を説明するための説明図である。第２可変表示装置９ｂにおいて停止図柄が大当り図柄になる可変表示が行われている場合に、第１飾り図柄の可変表示が開始されるときに、演出制御用ＣＰＵ１０１は、前回の第１飾り図柄の可変表示中に予告演出（連続予告ではない。例えば、図３０（５）に例示されたような予告演出。）が実行されていたことを条件に、今回の可変表示でも予告演出（連続予告ではない。例えば、図３０（５）に例示されたような予告演出。）を実行することに決定する。
【０２８５】
また、特別の予告演出を用意し、前回の第１飾り図柄の可変表示中に予告演出が実行されていない場合には、今回の可変表示において特別の予告演出を実行することに決定する。
【０２８６】
なお、この実施の形態でも、ＣＰＵ５６は、図１７および図１８に示されたステップＳ１０６，Ｓ１１２〜Ｓ１１４の処理を実行しない。すなわち、強制はずれとされたときにも大当り判定の結果はずれとされたときにも同じ変動パターンテーブルが用いられる。従って、演出制御用ＣＰＵ１０１は、強制はずれとされたのか大当り判定の結果はずれとされたのかを区別できない。
【０２８７】
図４５は、第５の実施の形態における演出制御用ＣＰＵ１０１が実行する第１予告演出処理を示すフローチャートである。予告演出処理において、演出制御用ＣＰＵ１０１は、停止図柄を大当り図柄とする第２飾り図柄の変動が実行されている場合には（ステップＳ８１１ａ）、第２飾り図柄の変動時間の残り時間を特定する（ステップＳ８１４）。その期間において予告演出を行うことが可能であるか否か判定する（ステップＳ８１７）。例えば、図３０（５）に例示されたような予告演出の演出期間として決められている時間よりも、第２飾り図柄の変動時間の残り時間が長いか否か判定する。予告演出を行うことが可能である場合には、前回の第１飾り図柄の可変表示（変動）において予告演出が実行されたか否か判定する（ステップＳ８１７ａ）。
【０２８８】
なお、図４５には示されていないが、演出制御用ＣＰＵ１０１は、ステップＳ８１１ａで停止図柄を大当り図柄とする第２飾り図柄の可変表示が実行されている場合ではないと判定されたときに、例えばキャラクタ画像を用いた図３０（５）に例示されたような予告演出（連続予告以外の予告演出、特別図柄の停止図柄が大当り図柄となること、またはリーチが発生することを事前に報知するための演出）を行うか否かと、行う場合の予告演出の種類を決定する。従って、通常の可変表示（停止図柄を大当り図柄とする第２飾り図柄の可変表示が実行されている場合ではないときに開始される第１飾り図柄の可変表示）において、図３０（５）に例示されたような予告演出が実行される場合がある。
【０２８９】
前回の第１飾り図柄の可変表示において予告演出が実行された場合には、演出制御用ＣＰＵ１０１は、前回の可変表示において実行された予告演出の内容に応じた予告演出（例えば、同じ予告演出）を実行することに決定する（ステップＳ８１６ａ）。前回の第１飾り図柄の可変表示において予告演出が実行されていない場合には、あらかじめ決められている特別の予告演出を実行することに決定する（ステップＳ８１８ａ）。
【０２９０】
このような制御によっても、一種の大当り予告（第２可変表示装置９ｂの停止図柄が大当り図柄になることの予告）が実現される。前回の可変表示において実行された予告演出の内容に応じた予告演出または特別の予告演出を伴う変動態様が、強制はずれ時の特殊変動パターンに相当し、また、特別の予告演出を伴う変動パターンが強制はずれ時の特殊変動パターンに相当するからである。
【０２９１】
なお、第２〜第５の実施の形態において、主基板３１その他の基板のハードウェア構成は、第１の実施の形態におけるハードウェア構成と同じである。
【０２９２】
実施の形態６．
上記の各実施の形態では、大当り遊技が開始されるときに、強制はずれに決定されたことにもとづいて開始された飾り図柄の可変表示を終了させたが、大当り遊技に関連する他の時点で飾り図柄の可変表示を終了させるようにしてもよい。この実施の形態では、大当り遊技が終了するときに、強制はずれに決定されたことにもとづいて開始された飾り図柄の可変表示を終了させる。
【０２９３】
図４６は、この実施の形態の遊技制御用マイクロコンピュータ５６０（具体的には、ＣＰＵ５６）が実行する第１特別図柄変動中処理を示すフローチャートである。図４６に示すように、この実施の形態では、ＣＰＵ５６は、第２大当り遊技中である場合に、ステップＳ１２８の処理を実行する。また、第２大当り遊技中でない場合に、ステップＳ１２２以降の処理を実行する。なお、ＣＰＵ５６は、例えば、第２大当り遊技中であるか否かを、第２特別図柄プロセスフラグの値がステップＳ３０６〜Ｓ３０９のいずれかに応じた値（具体的には、第１特別図柄プロセスフラグについてのステップＳ３０６〜Ｓ３０９のいずれかに応じた値に相当する第２特別図柄プロセスフラグについての値）であるか否かによって判定する。この実施の形態では、ＣＰＵ５６は、強制はずれフラグがセットされている場合に（ステップＳ１２８）、第２大当り終了指定コマンドが送信されたことを確認したら、強制終了フラグをセットして、第１はずれ図柄停止処理に移行する（ステップＳ１２９Ａ，Ｓ１３０，Ｓ１２６）。なお、第２大当り開始終了コマンドが送信されたか否かを判定するには、第２特別図柄プロセス処理において、第２大当り終了指定コマンドを送信したときにその旨を示すフラグをセットしておいて、ステップＳ１２９Ａでそのフラグを確認すればよい。また、この実施の形態では、ＣＰＵ５６は、ステップＳ１２２で第１変動時間タイマがタイムアウトしていないことを確認したら、第１の実施の形態（図２４参照）とは異なり、ステップＳ１２８に移行せずに処理を終了する。第２大当り遊技中である場合には第１変動時間タイマの減算処理が中断されているので第１変動時間タイマがタイムアウトすることはく、第１変動時間タイマがタイムアウトするのは、第２大当り遊技中でない場合であって、その場合に、第２大当り終了指定コマンドが送信されることはないからである。
【０２９４】
図４７は、この実施の形態の演出制御用マイクロコンピュータ１００（具体的には、演出制御用ＣＰＵ１０１）が実行する第１飾り図柄変動中処理を示すフローチャートである。この実施の形態では、演出制御用ＣＰＵ１０１は、第２大当り遊技中である場合に、ステップＳ８２７の処理を実行する。また、第２大当り遊技中でない場合に、ステップＳ８２１以降の処理を実行する。なお、演出制御用ＣＰＵ１０１は、例えば、第２大当り遊技中であるか否かを、第２飾り図柄プロセスフラグの値がステップＳ８０４〜Ｓ８０６のいずれかに応じた値（具体的には、第１飾り図柄プロセスフラグについてのステップＳ８０４〜Ｓ８０６のいずれかに応じた値に相当する第２飾り図柄プロセスフラグについての値）であるか否かによって判定する。そして、変動開始時に第１強制はずれ指定コマンドを受信している場合には（ステップＳ８２７）、第２大当り終了指定コマンドを受信したらステップＳ８２６に移行する（ステップＳ８２８Ａ）。また、この実施の形態では、演出制御用ＣＰＵ１０１は、ステップＳ８２５で変動時間タイマがタイムアウトしていないことを確認したら、第１の実施の形態（図３９参照）とは異なり、ステップＳ８２７に移行せずに処理を終了する。第２大当り遊技中である場合には変動時間タイマの減算処理が中断されているので変動時間タイマがタイムアウトすることはく、変動時間タイマがタイムアウトするのは、第２大当り遊技中でない場合であって、その場合に、第２大当り終了指定コマンドを受信することはないからである。
【０２９５】
遊技制御用マイクロコンピュータ５６０のその他の制御および演出制御用マイクロコンピュータ１００のその他の制御は、上記の各実施の形態の場合と同様である。また、主基板３１その他の基板のハードウェア構成は、上記の各実施の形態におけるハードウェア構成と同じである。
【０２９６】
なお、ここでは、第１特別図柄変動中処理について説明したが、第２特別図柄変動中処理も同様に構成される。つまり、ＣＰＵ５６は、第１大当り終了指定コマンドが送信されたことを確認したら、第２特別図柄の変動を終了させるために強制終了フラグをセットする。
【０２９７】
この実施の形態では、強制はずれとすることに決定されたことにもとづいて第１飾り図柄の可変表示（または、第２飾り図柄の可変表示）が行われている場合に第２大当り遊技（または、第１大当り遊技）が終了するときに第１飾り図柄の可変表示（または、第２飾り図柄の可変表示）を終了させるが、上記の各実施の形態の場合と同様に、第２可変表示装置９ｂ（または、第１可変表示装置９ａ）に大当り図柄が導出表示されることを、第１可変表示装置９ａ（または、第２可変表示装置９ｂ）における可変表示にもとづいて遊技者に認識され難くすることができる。
【０２９８】
なお、上記のように第２大当り遊技中では第１飾り図柄の可変表示を中断させる（変動時間の経過の測定を中断する）ように制御すると、第２大当り遊技が終了して第１飾り図柄の可変表示が再開されると、その可変表示が長時間継続する可能性があるが、ＣＰＵ５６は、第２特別図柄表示器８ｂおよび第２可変表示装置９ｂにおいて特定表示結果が導出表示されたときに、第１特別図柄表示器８ａおよび第１可変表示装置９ａにおいて可変表示がおこなわれていたときにはその変動時間の計測を中断させる計測中断手段を含むように構成されていてもよい。その場合、少なくとも第２特別図柄表示器８ｂおよび第２可変表示装置９ｂにおいて特定表示結果が導出表示されるまで、第１特別図柄および第１飾り図柄の変動を継続でき、それ以前に第１特別図柄および第１飾り図柄の変動を中断する場合に比べて、早めに第１特別図柄および第１飾り図柄の変動を終了させることができる。よって、可変表示の終了までの時間を長引かせて遊技者に不利益を与えることを防止できる。さらに、例えば、第２特別図柄表示器８ｂにおいて特定表示結果が導出表示されたことにもとづく第２大当り遊技が終了すると第１特別図柄および第１飾り図柄の変動が再開されるが、再開後の変動時間を、変動の中断時の残り変動時間よりも短くしてもよい。そのようにすれば、可変表示の終了までの時間をより短くできる。
【０２９９】
その場合、計測中断手段は、例えば、第２特別図柄プロセスフラグが第２大当り図柄停止処理に相当する値になったときに変動時間の計測を中断させるように構成されていてもよい。そのような構成によれば、簡便な処理によって、早めに第１特別図柄および第１飾り図柄の変動を終了させることができる。
【０３００】
なお、ＣＰＵ５６は、第１飾り図柄の変動時間の計測を中断させるときに演出制御用マイクロコンピュータ１００に中断コマンドを送信する。演出制御用マイクロコンピュータ１００における演出制御用ＣＰＵ１０１は、中断コマンドを受信すると、第１可変表示装置９ａにおける第１飾り図柄の変動を中断する。また、演出制御用ＣＰＵ１０１は、第１飾り図柄の変動を中断しているときに、例えば第１可変表示装置９ａに、その旨（第１特別図柄および第１飾り図柄の変動が中断し、その後に再開されること。）を報知する。
【０３０１】
また、演出制御用ＣＰＵ１０１は、第１飾り図柄の変動を中断しているときに、例えば、第１飾り図柄を揺れ表示させるように制御してもよい。なお、演出制御用ＣＰＵ１０１は、第１可変表示装置９ａの第１飾り図柄の変動を続行し、その他の表示（キャラクタ等）のみを止めるように制御してもよい。
【０３０２】
実施の形態７．
図４８は、第７の実施の形態（実施の形態７）の遊技制御用マイクロコンピュータ５６０（具体的には、ＣＰＵ５６）が実行する第１特別図柄変動中処理を示すフローチャートである。図４８に示すように、この実施の形態では、ＣＰＵ５６は、第２飾り図柄停止指定コマンドが送信されたことを確認したら、強制終了フラグをセットして、第１はずれ図柄停止処理に移行する（ステップＳ１２９Ｂ，Ｓ１３０，Ｓ１２６）。なお、第２飾り図柄停止指定コマンドが送信されたか否かを判定するには、第２特別図柄プロセス処理において、第２飾り図柄停止指定コマンドを送信したときにその旨を示すフラグをセットしておいて、ステップＳ１２９Ｂでそのフラグを確認すればよい。また、第２飾り図柄停止指定コマンドを使用しない変形例では、ステップＳ１２９Ｂの処理に代えて、第２変動時間タイマがタイムアウトしたか否か判定すればよい。
【０３０３】
図４９は、この実施の形態の演出制御用マイクロコンピュータ１００（具体的には、演出制御用ＣＰＵ１０１）が実行する第１飾り図柄変動中処理を示すフローチャートである。この実施の形態では、演出制御用ＣＰＵ１０１は、変動開始時に第１強制はずれ指定コマンドを受信している場合には、第２飾り図柄停止指定コマンドを受信したらステップＳ８２６に移行する（ステップＳ８２８Ｃ）。
【０３０４】
遊技制御用マイクロコンピュータ５６０のその他の制御および演出制御用マイクロコンピュータ１００のその他の制御は、上記の各実施の形態の場合と同様である。また、主基板３１その他の基板のハードウェア構成は、上記の各実施の形態におけるハードウェア構成と同じである。
【０３０５】
この実施の形態では、強制はずれとすることに決定されたことにもとづいて第１飾り図柄の可変表示（または、第２飾り図柄の可変表示）が行われている場合に、第２飾り図柄の可変表示（または、第１飾り図柄の可変表示）の表示結果として大当り図柄が導出表示されるときに第１飾り図柄の可変表示（または、第２飾り図柄の可変表示）を終了させることになるが、上記の各実施の形態の場合と同様に、第２可変表示装置９ｂ（または、第１可変表示装置９ａ）に大当り図柄が導出表示されることを、第１可変表示装置９ａ（または、第２可変表示装置９ｂ）における可変表示にもとづいて遊技者に認識され難くすることができる。
【０３０６】
また、上記の各実施の形態では、大当り遊技が開始されるとき、大当り遊技が終了するとき、または大当り図柄が導出表示されるときに、強制はずれに決定されたことにもとづいて開始された飾り図柄の可変表示を終了させるようにしたが、飾り図柄の可変表示を終了させるときから大当り遊技が終了するときまで（例えば、遊技制御用マイクロコンピュータ５６０が、図１０に示すステップＳ３０６〜Ｓ３０９のいずれかの処理を実行する状態にあるとき）の任意の時点で、飾り図柄の可変表示を終了させるようにしてもよい。例えば、大当り遊技中に遊技制御用マイクロコンピュータ５６０から送信されるラウンド開始やラウンド終了を示す演出制御コマンドを受信したときに、飾り図柄の可変表示を終了させるようにしてもよい。
【０３０７】
また、上記の各実施の形態では、遊技制御用マイクロコンピュータ５６０（具体的には、ＣＰＵ５６）は、第２特別図柄表示器８ｂおよび第２可変表示装置９ｂに大当り図柄が導出表示されたときから、大当り図柄が導出表示されたことにもとづく第２大当り遊技状態が終了するまでの間、第１の開始条件を成立させない所定の制御を実行するとともに、第２特別図柄表示器８ｂの表示結果を特定表示結果にする（第２可変表示装置９ｂの表示結果を特定表示結果にさせると決定したことでもある。）にもとづいて第２特別図柄表示器８ｂおよび第２可変表示装置９ｂで識別情報の可変表示が実行されているときには、第１特別図柄表示器８ａの識別情報の可変表示の表示結果を特定表示結果にしない（第１可変表示装置９ａの識別情報の可変表示の表示結果を特定表示結果にさせないことに決定することでもある。）ように構成されているので、第１特別図柄表示器８ａおよび第１可変表示装置９ａにおいて特定表示結果が導出表示されることと、第２特別図柄表示器８ｂおよび第２可変表示装置９ｂにおいて特定表示結果が導出表示されることとが同時に発生しないようにすることができる。
【０３０８】
また、上記の各実施の形態では、ＣＰＵ５６は、第１特別図柄プロセスフラグの値を更新することによって第１特別図柄の変動を強制的に終了させたが（例えば、図２４のステップＳ１２６参照。）、すなわち、第１の可変表示部での識別情報の可変表示を無効化する処理を実行する可変表示無効化手段の機能を第１特別図柄プロセスフラグ（可変表示に関する遊技状態を示すデータ）の値を更新することによって実現したが、変形例として、第１特別図柄プロセスフラグの値を更新することに代えて、第１変動時間タイマの値をクリア（例えば、０にする。）することによって、すなわち、可変表示時間を計測する計測手段を初期化することによって、第１特別図柄の変動を強制的に終了させるようにしてもよい。その場合、例えば、図２４におけるステップＳ１３０の処理を実行した後に第１変動時間タイマの値をクリアして処理を終了する。その後、再度第１特別図柄変動中の処理を実行するときに（例えば４ｍｓ後）、ステップＳ１２２で第１変動時間タイマがタイムアウトしていることになり、第１はずれ図柄停止処理に移行して、第１特別図柄の変動が強制的に終了される。なお、第１変動時間タイマの値がクリアされた後に、再度第１特別図柄変動中の処理が実行されるとステップＳ１２１で第１変動時間タイマの値が−１されるので、第１変動時間タイマの値を０にクリアする場合には、ステップＳ１２２では、第１変動時間タイマの値が０またはマイナス値になっているか否か判定する。また、図２４におけるステップＳ１３０の処理を実行した後に第１変動時間タイマの値をクリアする処理を実行してからステップＳ１２２に移行するようにしてもよい。、第１飾り図柄についても同様に、第１飾り図柄の変動を強制的に終了させるときに、第１演出制御プロセスフラグの値を更新する（例えば、図３９におけるステップＳ８２６参照。）ことに代えて、変動時間タイマの値をクリア（例えば、０にする。）することによって、第１飾り図柄の変動を強制的に終了させるようにしてもよい。
【０３０９】
また、上述した変形例では第１変動時間タイマの値はクリアされるが、上記の各実施の形態（上述した変形例を除く。）では、第１特別図柄の変動を強制的に終了させた場合に第１変動時間タイマの値はクリアされない（例えば、図２４参照）。しかし、次回の第１特別図柄の変動についてのステップＳ１９７（図２０参照）において、ＣＰＵ５６は、第１変動時間タイマに変動時間に相当する値をあらためて設定するので、第１特別図柄の変動を強制的に終了させるときに、第１変動時間タイマの値をクリアしてもしなくても問題はない。つまり、上記の各実施の形態（上述した変形例を除く。）においても、第１特別図柄の変動を強制的に終了させるときに第１変動時間タイマの値をクリアするようにしてもよい。また、タイマの値をクリアしてもしなくても問題はないことは、第１飾り図柄の変動時間を計測する変動時間タイマについても同様である。次回の第１飾り図柄の変動についてのステップＳ８４４（図３８参照）において、演出制御用ＣＰＵ１０１は、変動時間タイマの値をあらためて設定するからである。
【０３１０】
なお、上記の各実施の形態では、強制はずれフラグを用いて、第２特別図柄表示器８ｂで第２特別図柄の可変表示が実行されているときには第１特別図柄表示器８ａの第１特別図柄の可変表示の表示結果を大当り図柄にしないように制御したが、第１特別図柄表示器８ａの第１特別図柄の可変表示の表示結果を大当り図柄にしないようにするための手段は、そのようなものに限られない。例えば、ＣＰＵ５６は、特別図柄の変動開始時に大当りとするか否かの判定を常に行い、第２大当りフラグがセットされ、かつ、第２特別図柄が大当り変動（停止図柄を大当り図柄とする変動）中であるときには、判定結果が大当りである場合には判定結果をはずれに変更するようにしてもよい。また、ＣＰＵ５６は、第２大当りフラグがセットされ、かつ、第２特別図柄が変動中であるときには、大当り判定の処理を実行する前に、乱数バッファに格納されている大当り判定用乱数の値をはずれに相当する値に変更するようにしてもよい。
【０３１１】
また、上記の各実施の形態では、時短状態は、確変状態の終了後にのみ移行されるように構成されているが、そのような構成に限られず、例えば大当り図柄のうち時短状態になる大当り図柄（時短図柄）を定め、時短状態になる大当り図柄で大当りとなった後に時短状態に制御されるように構成されていてもよい。そのように構成されている場合には、時短状態が、通常遊技状態よりも高い割合で第１事前決定手段および第２事前決定手段により特定表示結果とする旨が決定される特別遊技状態に相当する。また、大当り図柄の全てを時短図柄（すなわち、「１」「２」「５」「７」「９」の全ての図柄を時短図柄）にしてもよい。さらに、確変図柄と時短図柄とは区別されていても重複していてもよい。確変図柄と時短図柄とが重複しているときは、そのような図柄で大当りとなると、確変状態でかつ時短状態に制御されることになる。
【０３１２】
なお、上記の実施の形態では、２つの大入賞口が設けられていたが、大入賞口は１つであってもよい。大入賞口は１つである場合には、いずれの可変表示装置において表示結果が大当り図柄になったときでも、その大入賞口が開放される。
【０３１３】
また、上記の実施の形態では、２つの可変表示装置（第１可変表示装置９ａおよび第２可変表示装置９ｂ）が設けられているが、１つの可変表示装置を設け、表示領域を第１飾り図柄用の表示領域と第２飾り図柄用の表示領域とに分けてもよい。
【０３１４】
また、上記の実施の形態では、第１事前決定手段は、第２事前決定手段が可変表示の表示結果を特定表示結果にすると決定したことにもとづいて第２可変表示実行手段が第２の可変表示部で識別情報の可変表示を実行しているときには、抽選手段による抽選処理の実行を禁止するように構成されているので、第１事前決定手段がソフトウェアによって実現されている場合に、抽選処理のプログラムをスキップするだけで抽選処理禁止手段を実現することができ、プログラム容量を増大させないようにすることができる。
【図面の簡単な説明】
【０３１５】
【図１】パチンコ遊技機を正面からみた正面図である。
【図２】遊技制御基板（主基板）の回路構成例を示すブロック図である。
【図３】中継基板、演出制御基板、ランプドライバ基板および音声出力基板の回路構成例を示すブロック図である。
【図４】メイン処理を示すフローチャートである。
【図５】タイマ割込処理を示すフローチャートである。
【図６】各乱数を示す説明図である。
【図７】大当り判定用乱数と大当り判定値との関係の一例を示す説明図である。
【図８】特別図柄および飾り図柄の変動パターン（変動時間）を示す説明図である。
【図９】特別図柄の停止図柄と、その後に制御される遊技状態との関係の一例を示す説明図である。
【図１０】第１特別図柄プロセス処理を示すフローチャートである。
【図１１】演出制御コマンドの信号線を示す説明図である。
【図１２】演出制御コマンドを構成する８ビットの制御信号とＩＮＴ信号との関係を示すタイミング図である。
【図１３】演出制御コマンドの内容の一例を示す説明図である。
【図１４】第１特別図柄通常処理の一例を示すフローチャートである。
【図１５】第１特別図柄停止図柄設定処理の一例を示すフローチャートである。
【図１６】第１特別図柄停止図柄設定処理の一例を示すフローチャートである。
【図１７】第１変動パターン設定処理の一例を示すフローチャートである。
【図１８】第１変動パターン設定処理の一例を示すフローチャートである。
【図１９】変動パターンテーブルの一例を示す説明図である。
【図２０】第１遊技状態移行制御処理の一例を示すフローチャートである。
【図２１】第１遊技状態移行制御処理の一例を示すフローチャートである。
【図２２】第１遊技状態移行制御処理におけるフラグのセット時期／リセット時期を説明するためのタイミング図である。
【図２３】第１遊技状態移行制御処理におけるフラグのセット時期／リセット時期を説明するためのタイミング図である。
【図２４】第１特別図柄変動中処理の一例を示すフローチャートである。
【図２５】第１大当り図柄停止処理の一例を示すフローチャートである。
【図２６】第１はずれ図柄停止処理の一例を示すフローチャートである。
【図２７】第１大当り終了処理の一例を示すフローチャートである。
【図２８】遊技制御用マイクロコンピュータの制御例を示すタイミング図である。
【図２９】第１変動パターン＃４および＃９の第１飾り図柄の変動態様の一例を示す説明図である。
【図３０】飾り図柄の可変表示の一例を示す説明図である。
【図３１】飾り図柄の可変表示の一例を示す説明図である。
【図３２】飾り図柄の変動終了の様子の変形例を示す説明図である。
【図３３】演出制御用マイクロコンピュータが実行するメイン処理の一例を示すフローチャートである。
【図３４】第１演出制御プロセス処理の一例を示すフローチャートである。
【図３５】第１予告選択処理処理の一例を示すフローチャートである。
【図３６】予告決定テーブルの一例を示す説明図である。
【図３７】プロセステーブルの一構成例を示す説明図である。
【図３８】第１飾り図柄変動開始処理の一例を示すフローチャートである。
【図３９】第１飾り図柄変動中処理の一例を示すフローチャートである。
【図４０】第２の実施の形態における変動パターンの一例を示す説明図である。
【図４１】第２の実施の形態におけるステップＳ１１５の処理を示すフローチャートである。
【図４２】第３の実施の形態における第１予告選択処理処理の一例を示すフローチャートである。
【図４３】第４の実施の形態における第１予告選択処理処理の一例を示すフローチャートである。
【図４４】第５の実施の形態における大当り予告を説明するための説明図である。
【図４５】第５の実施の形態における第１予告選択処理処理の一例を示すフローチャートである。
【図４６】第６の実施の形態における第１特別図柄変動中処理を示すフローチャートである。
【図４７】第６の実施の形態における第１飾り図柄変動中処理の一例を示すフローチャートである。
【図４８】第７の実施の形態における第１特別図柄変動中処理を示すフローチャートである。
【図４９】第７の実施の形態における第１飾り図柄変動中処理の一例を示すフローチャートである。
【符号の説明】
【０３１６】
１      パチンコ遊技機
８ａ    第１特別図柄表示器
８ｂ    第２特別図柄表示器
９ａ    第１可変表示装置
９ｂ    第２可変表示装置
１３    第１始動入賞口
１４    始動入賞口（第２始動入賞口）
１５    可変入賞球装置
３１    主基板
５６    ＣＰＵ
７７    中継基板
８０    演出制御基板
１００  演出制御用マイクロコンピュータ
１０１  演出制御用ＣＰＵ
５６０  遊技制御用マイクロコンピュータ
【図１】
2007130254.tif 000003
【図２】
2007130254.tif 000004
【図３】
2007130254.tif 000005
【図４】
2007130254.tif 000006
【図５】
2007130254.tif 000007
【図６】
2007130254.tif 000008
【図７】
2007130254.tif 000009
【図８】
2007130254.tif 000010
【図９】
2007130254.tif 000011
【図１０】
2007130254.tif 000012
【図１１】
2007130254.tif 000013
【図１２】
2007130254.tif 000014
【図１３】
2007130254.tif 000015
【図１４】
2007130254.tif 000016
【図１５】
2007130254.tif 000017
【図１６】
2007130254.tif 000018
【図１７】
2007130254.tif 000019
【図１８】
2007130254.tif 000020
【図１９】
2007130254.tif 000021
【図２０】
2007130254.tif 000022
【図２１】
2007130254.tif 000023
【図２２】
2007130254.tif 000024
【図２３】
2007130254.tif 000025
【図２４】
2007130254.tif 000026
【図２５】
2007130254.tif 000027
【図２６】
2007130254.tif 000028
【図２７】
2007130254.tif 000029
【図２８】
2007130254.tif 000030
【図２９】
2007130254.tif 000031
【図３０】
2007130254.tif 000032
【図３１】
2007130254.tif 000033
【図３２】
2007130254.tif 000034
【図３３】
2007130254.tif 000035
【図３４】
2007130254.tif 000036
【図３５】
2007130254.tif 000037
【図３６】
2007130254.tif 000038
【図３７】
2007130254.tif 000039
【図３８】
2007130254.tif 000040
【図３９】
2007130254.tif 000041
【図４０】
2007130254.tif 000042
【図４１】
2007130254.tif 000043
【図４２】
2007130254.tif 000044
【図４３】
2007130254.tif 000045
【図４４】
2007130254.tif 000046
【図４５】
2007130254.tif 000047
【図４６】
2007130254.tif 000048
【図４７】
2007130254.tif 000049
【図４８】
2007130254.tif 000050
【図４９】
2007130254.tif 000051